(57)【特許請求の範囲】
【請求項１】
各々を識別可能な複数種類の識別情報の可変表示を行ない表示結果を導出表示し、表示結果として予め定められた特定表示結果が導出表示されたときに遊技者にとって有利な特定遊技状態に制御する遊技機であって、
所定の動作を行なう可動部材と、
遊技状態を制御するとともに遊技機で異常が発生したときに異常報知指定コマンドを送信する遊技制御手段と、
前記異常報知指定コマンドを受信する毎に、音声報知手段を制御して、前記異常報知指定コマンドに基づく音声による異常報知を所定の報知許容期間において行なう異常報知制御手段と、
遊技機への電力供給が停止しても所定期間記憶内容を保持可能であり、制御を行なう際に発生する変動データを記憶する変動データ記憶手段と、
遊技機への電力供給が開始されたときに、所定条件の成立に基づいて前記変動データ記憶手段の記憶内容を初期化する初期化処理を実行する初期化手段と、
前記初期化手段によって前記初期化処理が実行されたことに基づいて、初期化報知を実行する初期化報知手段と、
遊技機への電力供給が開始されたことに基づいて、前記可動部材の初期動作を実行する初期動作実行手段とを備え、
前記初期化報知手段は、前記初期化報知の実行中に前記識別情報の可変表示が開始されるときには、当該識別情報の可変表示とともに前記初期化報知を実行し、
前記初期動作実行手段は、
前記初期化報知手段による前記初期化報知の実行を終了した後に、前記可動部材の初期動作を実行し、
前記可動部材の初期動作を開始するにあたって前記識別情報の可変表示が実行されているときには、当該識別情報の可変表示とともに前記可動部材の初期動作を実行し、
前記異常報知制御手段は、前記異常報知指定コマンドを新たに受信した際、前記異常報知制御手段が先に受信済みの異常報知指定コマンドに基づく異常報知を行なっている場合に、新たに受信した異常報知指定コマンドと先に受信済みの異常報知指定コマンドとの予め定められた優先順位を比較する比較手段を含み、
前記異常報知制御手段は、
前記比較手段によって比較された結果、新たに受信した異常報知指定コマンドと先に受信済みの異常報知指定コマンドとが同じ優先順位である場合または新たに受信した異常報知指定コマンドが先に受信済みの異常報知指定コマンドよりも優先順位が低い場合に、先に受信済みの異常報知指定コマンドに基づく報知が終了した時点で、新たに受信した異常報知指定コマンドに基づいた異常報知の前記報知許容期間が経過していなければ、新たに受信した異常報知指定コマンドに基づく報知を開始し、
前記異常報知指定コマンドを受信した際、前記初期化報知手段が前記初期化報知を実行している場合に、前記初期化報知が終了した時点で、受信した異常報知指定コマンドに基づいた異常報知の前記報知許容期間が経過していなければ、受信した異常報知指定コマンドに基づく報知を開始する、遊技機。
【請求項２】
各々を識別可能な複数種類の識別情報の可変表示を行ない表示結果を導出表示し、表示結果として予め定められた特定表示結果が導出表示されたときに遊技者にとって有利な特定遊技状態に制御する遊技機であって、
所定の動作を行なう可動部材と、
遊技状態を制御するとともに遊技機で異常が発生したときに異常報知指定コマンドを送信する遊技制御手段と、
前記異常報知指定コマンドを受信する毎に、音声報知手段を制御して、前記異常報知指定コマンドに基づく音声による異常報知を所定の報知許容期間において行なう異常報知制御手段と、
遊技機への電力供給が停止しても所定期間記憶内容を保持可能であり、制御を行なう際に発生する変動データを記憶する変動データ記憶手段と、
遊技機への電力供給が開始されたときに、所定条件の成立に基づいて前記変動データ記憶手段の記憶内容を初期化する初期化処理を実行する初期化手段と、
前記初期化手段によって前記初期化処理が実行されたことに基づいて、初期化報知を実行する初期化報知手段と、
遊技機への電力供給が開始されたことに基づいて、前記可動部材の初期動作を実行する初期動作実行手段とを備え、
前記初期動作実行手段は、
前記初期化報知手段による前記初期化報知の実行を終了した後に、前記可動部材の初期動作を実行し、
前記可動部材の初期動作を開始するにあたって前記識別情報の可変表示が実行されているときには、前記可動部材の初期動作の実行を制限し、
前記異常報知制御手段は、前記異常報知指定コマンドを新たに受信した際、前記異常報知制御手段が先に受信済みの異常報知指定コマンドに基づく異常報知を行なっている場合に、新たに受信した異常報知指定コマンドと先に受信済みの異常報知指定コマンドとの予め定められた優先順位を比較する比較手段を含み、
前記異常報知制御手段は、
前記比較手段によって比較された結果、新たに受信した異常報知指定コマンドと先に受信済みの異常報知指定コマンドとが同じ優先順位である場合または新たに受信した異常報知指定コマンドが先に受信済みの異常報知指定コマンドよりも優先順位が低い場合に、先に受信済みの異常報知指定コマンドに基づく報知が終了した時点で、新たに受信した異常報知指定コマンドに基づいた異常報知の前記報知許容期間が経過していなければ、新たに受信した異常報知指定コマンドに基づく報知を開始し、
前記異常報知指定コマンドを受信した際、前記初期化報知手段が前記初期化報知を実行している場合に、前記初期化報知が終了した時点で、受信した異常報知指定コマンドに基づいた異常報知の前記報知許容期間が経過していなければ、受信した異常報知指定コマンドに基づく報知を開始する、遊技機。
【発明の詳細な説明】
【技術分野】
【０００１】
本発明は、各々を識別可能な複数種類の識別情報の可変表示を行ない表示結果を導出表示し、表示結果として予め定められた特定表示結果が導出表示されたときに遊技者にとって有利な特定遊技状態に制御するパチンコ遊技機等の遊技機に関する。
【背景技術】
【０００２】
遊技機として、遊技媒体である遊技球を発射装置によって遊技領域に発射し、遊技領域に設けられている入賞口などの入賞領域に遊技球が入賞すると、所定個の賞球が遊技者に払い出されるものがある。さらに、識別情報を可変表示（「変動」ともいう。）可能な可変表示装置が設けられ、可変表示装置において識別情報の可変表示の表示結果が特定表示結果となった場合に、遊技状態（遊技機の状態。よって、具体的には、遊技機が制御されている状態。）を、所定の遊技価値を遊技者に与えるように構成されたものがある。
【０００３】
なお、遊技価値とは、遊技機の遊技領域に設けられた可変入賞球装置の状態が打球が入賞しやすい遊技者にとって有利な状態になることや、遊技者にとって有利な状態になるための権利を発生させたりすることや、賞球払出の条件が成立しやすくなる状態になることである。
【０００４】
パチンコ遊技機では、始動入賞口に遊技球が入賞したことに基づいて可変表示装置において開始される特別図柄（識別情報）の可変表示の表示結果として、予め定められた特定の表示態様が導出表示された場合に、「大当り」が発生する。なお、導出表示とは、図柄（最終停止図柄）を最終的に停止表示させることである。大当りが発生すると、たとえば、大入賞口が所定回数開放して打球が入賞しやすい大当り遊技状態に移行する。そして、各開放期間において、所定個（たとえば、１０個）の大入賞口への入賞があると大入賞口は閉成する。そして、大入賞口の開放回数は、所定回数（たとえば、１５ラウンド）に固定されている。なお、各開放について開放時間（たとえば、２９秒）が決められ、入賞数が所定個に達しなくても開放時間が経過すると大入賞口は閉成する。以下、各々の大入賞口の開放期間をラウンドということがある。また、ラウンドにおける遊技をラウンド遊技ということがある。
【０００５】
また、可変表示装置において、最終停止図柄（たとえば、左中右図柄のうち中図柄）となる図柄以外の図柄が、所定時間継続して、特定の表示結果と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行なわれる演出をリーチ演出という。また、リーチ状態やその様子をリーチ態様という。さらに、リーチ演出を含む可変表示をリーチ可変表示という。そして、可変表示装置に変動表示される図柄の表示結果が特定の表示結果でない場合には「はずれ」となり、変動表示状態は終了する。遊技者は、大当りをいかにして発生させるかを楽しみつつ遊技を行なう。
【０００６】
そのような遊技機において、可動部材を用いた遊技を実行可能に構成されたものがある。たとえば、特許文献１には、可動部材が設けられた遊技機において、遊技機への電力供給が開始されたときに初期化処理が実行（ＲＡＭクリア）されると、可動部材を初期動作させて可動部材の原点位置を検出するように構成することが記載されている。
【先行技術文献】
【特許文献】
【０００７】
【特許文献１】特開２０１０−１４２５１４号公報（段落０１２７−０１２８、段落０１３４−０１４１、図１５）
【発明の概要】
【発明が解決しようとする課題】
【０００８】
しかし、一般に、遊技機への電力供給が開始されたときに初期化処理が実行されると、初期化報知を実行することが行なわれている。すると、特許文献１に記載された遊技機のように可動部材の初期動作を実行するように構成すると、初期化処理が実行されたときに初期化報知と可動部材の初期動作とが重複したタイミングで実行されることになり、初期化報知と可動部材の初期動作とにかかる電力消費が集中してしまうという問題が生じる。
【０００９】
そこで、本発明は、初期化処理が実行されたときに初期化報知と可動部材の初期動作とにかかる電力消費を分散することができる遊技機を提供することを目的とする。
【課題を解決するための手段】
【００１０】
（手段１）本発明による遊技機は、各々を識別可能な複数種類の識別情報（たとえば、演出図柄）の可変表示を行ない表示結果を導出表示し、表示結果として予め定められた特定表示結果（たとえば、大当り図柄）が導出表示されたときに遊技者にとって有利な特定遊技状態（たとえば、大当り遊技状態）に制御する遊技機であって、
所定の動作を行なう可動部材（たとえば、第２の実施の形態における可動部材７８や演出羽根役物７９ａ，７９ｂなどの役物）と、
遊技状態を制御するとともに遊技機で異常（たとえば、図４７、図５７参照）が発生したときに異常報知指定コマンドを送信する遊技制御手段（たとえば、遊技制御用マイクロコンピュータ５６０、特に、図１４のステップＳ２３〜ステップＳ２７，ステップＳ４２、図２７、図３１を実行する部分）と、
異常報知指定コマンドを受信する毎に、音声報知手段（たとえば、音声出力基板７０）を制御して、異常報知指定コマンドに基づく音声による異常報知を所定の報知許容期間において行なう異常報知制御手段（たとえば、演出制御用マイクロコンピュータ１００、特に、図４１，図５０のステップＳ７０７、図４５，図５３のステップＳ３００２、図４５，図５４のステップＳ３０１２、図４６，図５５のステップＳ３０２２、図４６のステップＳ３０２７、図５６のステップＳ３０４２を実行する部分）と、
遊技機への電力供給が停止しても所定期間記憶内容を保持可能であり、制御を行なう際に発生する変動データを記憶する変動データ記憶手段（たとえば、バックアップＲＡＭとしてのＲＡＭ５５）と、
遊技機への電力供給が開始されたときに、所定条件の成立（たとえば、クリアスイッチのオン）に基づいて変動データ記憶手段の記憶内容を初期化する初期化処理を実行する初期化手段（たとえば、遊技制御用マイクロコンピュータ５６０における図１２のステップＳ１０を実行する部分）と、
初期化手段によって初期化処理が実行されたことに基づいて、初期化報知を実行する初期化報知手段（たとえば、第２の実施の形態において、演出制御用マイクロコンピュータ１００における図５３のステップＳ３１０１〜Ｓ３１１１を実行する部分）と、遊技機への電力供給が開始されたことに基づいて、可動部材の初期動作を実行する初期動作実行手段（たとえば、第２の実施の形態において、演出制御用マイクロコンピュータ１００における図５０のステップＳ７０８を実行する部分）とを備え、
初期化報知手段は、初期化報知の実行中に識別情報の可変表示が開始されるときには、当該識別情報の可変表示とともに初期化報知を実行し（たとえば、第２の実施の形態において、演出制御用マイクロコンピュータ１００は、図５１のステップＳ８２６１，図５２のステップＳ８４８１でＹのとき図５１のステップＳ８２６２，図５２のステップＳ８４８２を実行することにより、演出図柄の変動表示を実行する場合であっても初期化報知のランプ表示および音出力を継続する）、
初期動作実行手段は、初期化報知手段による初期化報知の実行を終了した後に、可動部材の初期動作を実行し（たとえば、第２の実施の形態において、演出制御用マイクロコンピュータ１００は、図５８のステップＳ３５０２でＹと判定したことを条件に図５８のステップＳ３５０３以降の処理に移行して役物の初期動作を実行する）、
可動部材の初期動作を開始するにあたって識別情報の可変表示が実行されているときには、当該識別情報の可変表示とともに可動部材の初期動作を実行し（たとえば、第２の実施の形態において、演出制御用マイクロコンピュータ１００は、役物初期動作処理において図５８のステップＳ３５０３でＮのとき演出図柄の変動表示中であるか否かにかかわらず図５８のステップＳ３５０４以降の処理に移行して役物の初期動作を開始する）、
異常報知制御手段は、異常報知指定コマンドを新たに受信した際、異常報知制御手段が先に受信済みの異常報知指定コマンドに基づく異常報知を行なっている場合に、新たに受信した異常報知指定コマンドと先に受信済みの異常報知指定コマンドとの予め定められた優先順位（たとえば、図５７参照）を比較する比較手段（たとえば、演出制御用マイクロコンピュータ１００における図５３のステップＳ３００１Ｄ、図５４のステップＳ３０１１Ｄ、図５５のステップＳ３０２１Ｄ、図５６のステップＳ３０４１Ｄを実行する部分）を含み、
異常報知制御手段は、
比較手段によって比較された結果、新たに受信した異常報知指定コマンドと先に受信済みの異常報知指定コマンドとが同じ優先順位である場合または新たに受信した異常報知指定コマンドが先に受信済みの異常報知指定コマンドよりも優先順位が低い場合（たとえば、図５３のステップＳ３００１、図５４のステップＳ３０１０、図５５のステップＳ３０２０、図５６のステップＳ３０４１でいずれかの異常報知指定コマンドが受信されたときに、図５３のステップＳ３００１Ｃ、図５４のステップＳ３０１１Ｃ、図５５のステップＳ３０２１Ｃ、図５６のステップＳ３０４１Ｃでいずれかの異常が報知中であると判断された場合、図５３のステップＳ３００１Ｄ、図５４のステップＳ３０１１Ｄ、図５５のステップＳ３０２１Ｄ、図５６のステップＳ３０４１Ｄで報知中の異常よりも受信された異常報知指定コマンドの異常の優先順位が高くないと判断された場合）に、（たとえば、受信された異常の報知は開始されず保留され、図５３のステップＳ３００１Ｇ、図５４のステップＳ３０１１Ｇ，ステップＳ３０１４、図５５のステップＳ３０２１Ｇ，ステップＳ３０２５、図５６のステップＳ３０４１Ｇ，ステップＳ３０４４で異常報知期間のみが開始され、）先に受信済みの異常報知指定コマンドに基づく報知が終了した時点で、新たに受信した異常報知指定コマンドに基づいた異常報知の報知許容期間が経過していなければ（たとえば、図５４のステップＳ３００６、図５５のステップＳ３０１６、図５６のステップＳ３０３６で異常報知タイマが減算され、図５３のステップＳ３００１Ａ、図５４のステップＳ３０１１Ａ、図５５のステップＳ３０２１Ａ、図５６のステップＳ３０４１Ａで未だ異常報知期間であると判断されているときに、図５３のステップＳ３００１Ｃ、図５４のステップＳ３０１１Ｃ、図５５のステップＳ３０２１Ｃ、図５６のステップＳ３０４１Ｃで優先順位の高い報知中の異常が行なわれていない、つまり終了したと判断された場合）、新たに受信した異常報知指定コマンドに基づく報知を開始し（たとえば、図５３のステップＳ３００２、図５４のステップＳ３０１２、図５５のステップＳ３０２２，ステップＳ３０２３、図５６のステップＳ３０４２で開始が保留されていた異常報知が開始される。）、
異常報知指定コマンドを受信した際、初期化報知手段が初期化報知を実行している場合（たとえば、図５３のステップＳ３００１、図５４のステップＳ３０１０、図５５のステップＳ３０２０、図５６のステップＳ３０４１でいずれかの異常報知指定コマンドが受信されたときに、図５３のステップＳ３００１Ｂ、図５４のステップＳ３０１１Ｂ、図５５のステップＳ３０２１Ｂ、図５６のステップＳ３０４１Ｂで初期化報知中であると判断された場合）に、（たとえば、受信された異常の報知は開始されず保留され、図５３のステップＳ３００１Ｇ、図５４のステップＳ３０１１Ｇ，ステップＳ３０１４、図５５のステップＳ３０２１Ｇ，ステップＳ３０２５、図５６のステップＳ３０４１Ｇ，ステップＳ３０４４で異常報知期間のみが開始され、）初期化報知が終了した時点で、受信した異常報知指定コマンドに基づいた異常報知の報知許容期間が経過していなければ（たとえば、図５４のステップＳ３００６、図５５のステップＳ３０１６、図５６のステップＳ３０３６で異常報知タイマが減算され、図５３のステップＳ３００１Ａ、図５４のステップＳ３０１１Ａ、図５５のステップＳ３０２１Ａ、図５６のステップＳ３０４１Ａで未だ異常報知期間であると判断されているときに、図５３のステップＳ３００１Ｂ、図５４のステップＳ３０１１Ｂ、図５５のステップＳ３０２１Ｂ、図５６のステップＳ３０４１Ｂで初期化報知中でない、つまり初期化報知が終了したと判断された場合）、受信した異常報知指定コマンドに基づく報知を開始する（たとえば、図５３のステップＳ３００２、図５４のステップＳ３０１２、図５５のステップＳ３０２２，ステップＳ３０２３、図５６のステップＳ３０４２で開始が保留されていた異常報知が開始される。）。
【００１１】
そのような構成により、初期化処理が実行されたときに初期化報知と可動部材の初期動作とにかかる電力消費を分散することができる。また、識別情報の可変表示が実行される場合であっても初期化報知や可動部材の初期動作を実行することができる。
（手段２）本発明による遊技機の他の態様は、各々を識別可能な複数種類の識別情報（たとえば、演出図柄）の可変表示を行ない表示結果を導出表示し、表示結果として予め定められた特定表示結果（たとえば、大当り図柄）が導出表示されたときに遊技者にとって有利な特定遊技状態（たとえば、大当り遊技状態）に制御する遊技機であって、
所定の動作を行なう可動部材（たとえば、第２の実施の形態および第３の実施の形態における可動部材７８や演出羽根役物７９ａ，７９ｂなどの役物）と、
遊技状態を制御するとともに遊技機で異常（たとえば、図４７、図５７参照）が発生したときに異常報知指定コマンドを送信する遊技制御手段（たとえば、遊技制御用マイクロコンピュータ５６０、特に、図１４のステップＳ２３〜ステップＳ２７，ステップＳ４２、図２７、図３１を実行する部分）と、
異常報知指定コマンドを受信する毎に、音声報知手段（たとえば、音声出力基板７０）を制御して、異常報知指定コマンドに基づく音声による異常報知を所定の報知許容期間において行なう異常報知制御手段（たとえば、演出制御用マイクロコンピュータ１００、特に、図４１，図５０のステップＳ７０７、図４５，図５３のステップＳ３００２、図４５，図５４のステップＳ３０１２、図４６，図５５のステップＳ３０２２、図４６のステップＳ３０２７、図５６のステップＳ３０４２を実行する部分）と、
遊技機への電力供給が停止しても所定期間記憶内容を保持可能であり、制御を行なう際に発生する変動データを記憶する変動データ記憶手段（たとえば、バックアップＲＡＭとしてのＲＡＭ５５）と、
遊技機への電力供給が開始されたときに、所定条件の成立（たとえば、クリアスイッチのオン）に基づいて変動データ記憶手段の記憶内容を初期化する初期化処理を実行する初期化手段（たとえば、遊技制御用マイクロコンピュータ５６０における図１２のステップＳ１０を実行する部分）と、
初期化手段によって初期化処理が実行されたことに基づいて、初期化報知を実行する初期化報知手段（たとえば、第２の実施の形態および第３の実施の形態において、演出制御用マイクロコンピュータ１００における図５３のステップＳ３１０１〜Ｓ３１１１を実行する部分）と、
遊技機への電力供給が開始されたことに基づいて、可動部材の初期動作を実行する初期動作実行手段（たとえば、第２の実施の形態および第３の実施の形態において、演出制御用マイクロコンピュータ１００における図５０のステップＳ７０８を実行する部分）とを備え、
初期動作実行手段は、初期化報知手段による初期化報知の実行を終了した後に、可動部材の初期動作を実行し（たとえば、第２の実施の形態および第３の実施の形態において、演出制御用マイクロコンピュータ１００は、図５８，図５９のステップＳ３５０２でＹと判定したことを条件に図５８，図５９のステップＳ３５０３以降の処理に移行して役物の初期動作を実行する）、
可動部材の初期動作を開始するにあたって識別情報の可変表示が実行されているときには、可動部材の初期動作の実行を制限し（たとえば、第３の実施の形態において、演出制御用マイクロコンピュータ１００は、役物初期動作処理において図５９のステップＳ３５０３ＡでＹのとき図５９のステップＳ３５０４以降の処理に移行せず、役物の初期動作を開始しない）、
異常報知制御手段は、異常報知指定コマンドを新たに受信した際、異常報知制御手段が先に受信済みの異常報知指定コマンドに基づく異常報知を行なっている場合に、新たに受信した異常報知指定コマンドと先に受信済みの異常報知指定コマンドとの予め定められた優先順位（たとえば、図５７参照）を比較する比較手段（たとえば、演出制御用マイクロコンピュータ１００における図５３のステップＳ３００１Ｄ、図５４のステップＳ３０１１Ｄ、図５５のステップＳ３０２１Ｄ、図５６のステップＳ３０４１Ｄを実行する部分）を含み、
異常報知制御手段は、
比較手段によって比較された結果、新たに受信した異常報知指定コマンドと先に受信済みの異常報知指定コマンドとが同じ優先順位である場合または新たに受信した異常報知指定コマンドが先に受信済みの異常報知指定コマンドよりも優先順位が低い場合（たとえば、図５３のステップＳ３００１、図５４のステップＳ３０１０、図５５のステップＳ３０２０、図５６のステップＳ３０４１でいずれかの異常報知指定コマンドが受信されたときに、図５３のステップＳ３００１Ｃ、図５４のステップＳ３０１１Ｃ、図５５のステップＳ３０２１Ｃ、図５６のステップＳ３０４１Ｃでいずれかの異常が報知中であると判断された場合、図５３のステップＳ３００１Ｄ、図５４のステップＳ３０１１Ｄ、図５５のステップＳ３０２１Ｄ、図５６のステップＳ３０４１Ｄで報知中の異常よりも受信された異常報知指定コマンドの異常の優先順位が高くないと判断された場合）に、（たとえば、受信された異常の報知は開始されず保留され、図５３のステップＳ３００１Ｇ、図５４のステップＳ３０１１Ｇ，ステップＳ３０１４、図５５のステップＳ３０２１Ｇ，ステップＳ３０２５、図５６のステップＳ３０４１Ｇ，ステップＳ３０４４で異常報知期間のみが開始され、）先に受信済みの異常報知指定コマンドに基づく報知が終了した時点で、新たに受信した異常報知指定コマンドに基づいた異常報知の報知許容期間が経過していなければ（たとえば、図５４のステップＳ３００６、図５５のステップＳ３０１６、図５６のステップＳ３０３６で異常報知タイマが減算され、図５３のステップＳ３００１Ａ、図５４のステップＳ３０１１Ａ、図５５のステップＳ３０２１Ａ、図５６のステップＳ３０４１Ａで未だ異常報知期間であると判断されているときに、図５３のステップＳ３００１Ｃ、図５４のステップＳ３０１１Ｃ、図５５のステップＳ３０２１Ｃ、図５６のステップＳ３０４１Ｃで優先順位の高い報知中の異常が行なわれていない、つまり終了したと判断された場合）、新たに受信した異常報知指定コマンドに基づく報知を開始し（たとえば、図５３のステップＳ３００２、図５４のステップＳ３０１２、図５５のステップＳ３０２２，ステップＳ３０２３、図５６のステップＳ３０４２で開始が保留されていた異常報知が開始される。）、
異常報知指定コマンドを受信した際、初期化報知手段が初期化報知を実行している場合（たとえば、図５３のステップＳ３００１、図５４のステップＳ３０１０、図５５のステップＳ３０２０、図５６のステップＳ３０４１でいずれかの異常報知指定コマンドが受信されたときに、図５３のステップＳ３００１Ｂ、図５４のステップＳ３０１１Ｂ、図５５のステップＳ３０２１Ｂ、図５６のステップＳ３０４１Ｂで初期化報知中であると判断された場合）に、（たとえば、受信された異常の報知は開始されず保留され、図５３のステップＳ３００１Ｇ、図５４のステップＳ３０１１Ｇ，ステップＳ３０１４、図５５のステップＳ３０２１Ｇ，ステップＳ３０２５、図５６のステップＳ３０４１Ｇ，ステップＳ３０４４で異常報知期間のみが開始され、）初期化報知が終了した時点で、受信した異常報知指定コマンドに基づいた異常報知の報知許容期間が経過していなければ（たとえば、図５４のステップＳ３００６、図５５のステップＳ３０１６、図５６のステップＳ３０３６で異常報知タイマが減算され、図５３のステップＳ３００１Ａ、図５４のステップＳ３０１１Ａ、図５５のステップＳ３０２１Ａ、図５６のステップＳ３０４１Ａで未だ異常報知期間であると判断されているときに、図５３のステップＳ３００１Ｂ、図５４のステップＳ３０１１Ｂ、図５５のステップＳ３０２１Ｂ、図５６のステップＳ３０４１Ｂで初期化報知中でない、つまり初期化報知が終了したと判断された場合）、受信した異常報知指定コマンドに基づく報知を開始する（たとえば、図５３のステップＳ３００２、図５４のステップＳ３０１２、図５５のステップＳ３０２２，ステップＳ３０２３、図５６のステップＳ３０４２で開始が保留されていた異常報知が開始される。）。
【００１２】
そのような構成により、初期化処理が実行されたときに初期化報知と可動部材の初期動作とにかかる電力消費を分散することができる。また、識別情報の可変表示が実行される場合であっても可動部材の初期動作を実行することができる。
（手段３）本発明による遊技機のさらに他の態様は、遊技媒体（たとえば、遊技球）の入賞によって遊技価値を付与可能な入賞領域（たとえば、始動入賞口１４、大入賞口）を有する遊技機であって、入賞領域に入賞した遊技媒体を検出可能な入賞検出部（たとえば、始動口スイッチ１４ａ、カウントスイッチ２３）と、入賞領域に入賞した後に入賞検出部を通過した遊技媒体を検出可能な入賞確認部（たとえば、入賞確認１スイッチ１４ｂ、入賞確認２スイッチ２３ｂ）と、入賞検出部で検出された遊技媒体の数と入賞確認部で検出された遊技媒体の数との差分が所定数（たとえば、１０個）以上となる差分異常（たとえば、排出異常）が発生したことに基づいて、異常情報（たとえば、セキュリティ信号）を外部出力する外部出力手段（たとえば、遊技制御用マイクロコンピュータ５６０におけるステップＳ１０６８Ａ〜Ｓ１０６８Ｃ，Ｓ１１０２，Ｓ１１０３を実行する部分）と、差分異常が発生したことに基づいて異常報知（たとえば、排出異常報知）を実行する異常報知手段（たとえば、演出制御用マイクロコンピュータ１００におけるステップＳ３００１〜Ｓ３００３を実行する部分）と、遊技機への電力供給が停止しても少なくとも差分異常が発生したことを示す情報（たとえば、排出異常フラグ）を所定期間保持可能な記憶手段（たとえば、バックアップＲＡＭとしてのＲＡＭ５５）と、遊技機への電力供給が開始されたときに、所定条件の成立（たとえば、クリアスイッチのオン）に基づいて記憶手段の記憶内容を初期化する初期化処理を実行する初期化手段（たとえば、遊技制御用マイクロコンピュータ５６０におけるステップＳ１０を実行する部分）とを備え、外部出力手段は、異常情報を外部出力しているときに遊技機への電力供給が停止し電力供給が再開された場合には、初期化手段によって初期化処理が実行されたか否かに応じて、遊技機への電力供給が再開されてから異なる期間にわたって異常情報を外部出力し（たとえば、遊技制御用マイクロコンピュータ５６０は、初期化処理を実行した場合には、ステップＳ１４ａでセキュリティ信号情報タイマをセットしたことに基づいて、ステップＳ１０６９〜Ｓ１０７４，Ｓ１１０２，Ｓ１１０３を実行して、セキュリティ信号を３０秒間出力し、初期化処理を実行せずにステップＳ９１，９２の停電復帰処理を実行した場合には、排出異常フラグがバックアップＲＡＭにバックアップされていることに基づいて、ステップＳ１０６８Ａ〜Ｓ１０６８Ｃ，Ｓ１１０２，Ｓ１１０３を実行して、次に初期化処理が実行されるまでセキュリティ信号の出力を継続する）、異常報知手段は、異常報知を実行しているときに遊技機への電力供給が停止し、初期化手段によって初期化処理が実行されることなく遊技機への電力供給が再開された場合には、異常報知を実行しない（たとえば、排出異常報知の実行中に電源供給が停止しても、遊技制御用マイクロコンピュータ５６０は、遊技機への電源供給の再開後に排出異常報知指定コマンドを再送するなどの処理を行なわず、演出制御用マイクロコンピュータ１００は、電源復旧後には排出異常報知を再開しない）ことを特徴とする。そのような構成により、異常報知を実行しているときに遊技機への電力供給が停止して再度電力供給が開始されたときに、初期化処理を実行して遊技機が起動した場合であるか、差分異常の発生後に遊技機が再起動した場合であるかを外部から認識可能とすることができる。
（手段４）手段３において、外部出力手段は、異常情報を外部出力しているときに遊技機への電力供給が停止し電力供給が再開された場合に、初期化手段によって初期化処理が実行された場合には所定期間（たとえば、３０秒間）が経過するまで異常情報を外部出力し（たとえば、遊技制御用マイクロコンピュータ５６０は、初期化処理を実行した場合には、ステップＳ１４ａでセキュリティ信号情報タイマをセットしたことに基づいて、ステップＳ１０６９〜Ｓ１０７４，Ｓ１１０２，Ｓ１１０３を実行して、セキュリティ信号を３０秒間出力する）、初期化手段によって初期化処理が実行されなかった場合には初期化処理が実行されるまで異常情報を外部出力する（たとえば、遊技制御用マイクロコンピュータ５６０は、初期化処理を実行せずにステップＳ９１，９２の停電復帰処理を実行した場合には、排出異常フラグがバックアップＲＡＭにバックアップされていることに基づいて、ステップＳ１０６８Ａ〜Ｓ１０６８Ｃ，Ｓ１１０２，Ｓ１１０３を実行して、次に初期化処理が実行されるまでセキュリティ信号の出力を継続する）ように構成されていてもよい。そのような構成によれば、初期化処理を実行して遊技機が起動した場合であるか、差分異常の発生後に遊技機が再起動した場合であるかを容易に外部から認識可能とすることができる。
（手段５）手段３または手段４において、入賞領域に遊技媒体が入賞不可能な閉鎖状態と遊技媒体が入賞容易な開放状態とに変化可能な可変入賞装置（たとえば、可変入賞球装置１５、特別可変入賞球装置２０）と、可変入賞装置が閉鎖状態であるときに入賞領域に遊技媒体が入賞する異常入賞が発生したか否かを判定する異常入賞判定手段（たとえば、遊技制御用マイクロコンピュータ５６０におけるステップＳ２５１〜Ｓ２５４，Ｓ２６１〜Ｓ２６４を実行する部分）とを備え、外部出力手段は、異常入賞判定手段によって異常入賞が発生したと判定された場合にも、差分異常が発生した場合と共通の出力端子（たとえば、ターミナル基板１６０の共通のコネクタＣＮ８）を用いて異常情報（たとえば、セキュリティ信号）を外部出力可能であり（たとえば、遊技制御用マイクロコンピュータ５６０におけるステップＳ２５５，Ｓ２６５，Ｓ１０６９〜Ｓ１０７４，Ｓ１１０２，Ｓ１１０３を実行する部分）、異常入賞が発生したことに基づいて異常情報を外部出力しているときに差分異常が発生した場合には、差分異常の発生に基づく異常情報の外部出力の制御に切り替える（たとえば、遊技制御用マイクロコンピュータ５６０は、ステップＳ１０６９〜Ｓ１０７４，Ｓ１１０２，Ｓ１１０３の処理を実行してセキュリティ信号を出力しているときに、排出異常フラグがセットされた場合には、以降、ステップＳ１０６８Ａ〜Ｓ１０６８Ｃ，Ｓ１１０２，Ｓ１１０３の処理を実行してセキュリティ信号を出力する制御に切り替える）ように構成されていてもよい。そのような構成によれば、差分異常の発生だけでなく異常入賞の発生も外部から認識可能とするとともに、出力端子の共通化によって差分異常や異常入賞の発生を認識可能とするための機構の部品数の増加や配線作業の複雑化を防ぐことができる。
（手段６）手段３から手段５のうちのいずれかにおいて、入賞領域に遊技媒体が入賞不可能な閉鎖状態と遊技媒体が入賞容易な開放状態とに変化可能な可変入賞装置（たとえば、可変入賞球装置１５、特別可変入賞球装置２０）と、可変入賞装置が閉鎖状態であるときに入賞領域に遊技媒体が入賞する異常入賞が発生したか否かを判定する異常入賞判定手段（たとえば、遊技制御用マイクロコンピュータ５６０におけるステップＳ２５１〜Ｓ２５４，Ｓ２６１〜Ｓ２６４を実行する部分）とを備え、異常報知手段は、異常入賞判定手段によって異常入賞が発生したと判定された場合にも異常報知（たとえば、異常入賞１報知、異常入賞２報知）を実行可能であり（たとえば、演出制御用マイクロコンピュータ１００におけるステップＳ３００５〜Ｓ３０２５を実行する部分）、異常入賞が発生した場合には、第１態様の異常報知を実行し（たとえば、演出制御用マイクロコンピュータ１００は、ステップＳ３０１２を実行することによりランプのみを用いた異常入賞１報知を実行する）、差分異常が発生した場合には、第１態様と比較して外部から認識しやすい第２態様の異常報知を実行する（たとえば、演出制御用マイクロコンピュータ１００は、ステップＳ３０２２，Ｓ３０２３を実行することによりランプおよび音を用いた異常入賞２報知を実行する）ように構成されていてもよい。そのような構成によれば、緊急性が高い差分異常をより目立つ態様で報知することができる。
（手段７）本発明による遊技機のさらに他の態様は、遊技媒体（たとえば、遊技球）の入賞によって遊技価値を付与可能な入賞領域（たとえば、始動入賞口１４、大入賞口）を有する遊技機であって、入賞領域に入賞した遊技媒体を検出可能な入賞検出部（たとえば、始動口スイッチ１４ａ、カウントスイッチ２３）と、入賞領域に入賞した後に入賞検出部を通過した遊技媒体を検出可能な入賞確認部（たとえば、入賞確認１スイッチ１４ｂ、入賞確認２スイッチ２３ｂ）と、入賞領域に遊技媒体が入賞不可能な閉鎖状態と遊技媒体が入賞容易な開放状態とに変化可能な可変入賞装置（たとえば、可変入賞球装置１５、特別可変入賞球装置２０）と、可変入賞装置が閉鎖状態であるときに入賞領域に遊技媒体が入賞する異常入賞が発生したか否かを判定する異常入賞判定手段（たとえば、遊技制御用マイクロコンピュータ５６０におけるステップＳ２５１〜Ｓ２５４，Ｓ２６１〜Ｓ２６４を実行する部分）と、入賞検出部で検出された遊技媒体の数と入賞確認部で検出された遊技媒体の数との差分が所定数（たとえば、１０個）以上となる差分異常（たとえば、排出異常）が発生したことに基づいて、異常情報（たとえば、セキュリティ信号）を外部出力する外部出力手段（たとえば、遊技制御用マイクロコンピュータ５６０におけるステップＳ１０６８Ａ〜Ｓ１０６８Ｃ，Ｓ１１０２，Ｓ１１０３を実行する部分）と、異常入賞判定手段が異常入賞が発生したと判定したことに基づいて異常入賞報知（たとえば、異常入賞１報知、異常入賞２報知）を実行する異常入賞報知手段（たとえば、演出制御用マイクロコンピュータ１００におけるステップＳ３００５〜Ｓ３０２５を実行する部分）と、差分異常が発生したことに基づいて異常報知（たとえば、排出異常報知）を実行する異常報知手段（たとえば、演出制御用マイクロコンピュータ１００におけるステップＳ３００１〜Ｓ３００３を実行する部分）と、遊技機への電力供給が停止しても少なくとも差分異常が発生したことを示す情報（たとえば、排出異常フラグ）を所定期間保持可能な記憶手段（たとえば、バックアップＲＡＭとしてのＲＡＭ５５）と、遊技機への電力供給が開始されたときに、所定条件の成立（たとえば、クリアスイッチのオン）に基づいて記憶手段の記憶内容を初期化する初期化処理を実行する初期化手段（たとえば、遊技制御用マイクロコンピュータ５６０におけるステップＳ１０を実行する部分）とを備え、外部出力手段は、異常情報を外部出力しているときに遊技機への電力供給が停止し電力供給が再開された場合には、初期化手段によって初期化処理が実行されたか否かに応じて、遊技機への電力供給が再開されてから異なる期間にわたって異常情報を外部出力し（たとえば、遊技制御用マイクロコンピュータ５６０は、初期化処理を実行した場合には、ステップＳ１４ａでセキュリティ信号情報タイマをセットしたことに基づいて、ステップＳ１０６９〜Ｓ１０７４，Ｓ１１０２，Ｓ１１０３を実行して、セキュリティ信号を３０秒間出力し、初期化処理を実行せずにステップＳ９１，９２の停電復帰処理を実行した場合には、排出異常フラグがバックアップＲＡＭにバックアップされていることに基づいて、ステップＳ１０６８Ａ〜Ｓ１０６８Ｃ，Ｓ１１０２，Ｓ１１０３を実行して、次に初期化処理が実行されるまでセキュリティ信号の出力を継続する）、異常入賞報知手段は、可変入賞装置が閉鎖状態であるときに入賞領域に遊技媒体が第１所定数（たとえば、２０個）入賞した場合には、第１態様の異常入賞報知を実行し（たとえば、演出制御用マイクロコンピュータ１００は、ステップＳ３０１２を実行することによりランプのみを用いた異常入賞１報知を実行する）、可変入賞装置が閉鎖状態であるときに入賞領域に遊技媒体が第１所定数より多い第２所定数（たとえば、５０個）入賞した場合には、第１態様とは異なる第２態様の異常入賞報知を実行し（たとえば、演出制御用マイクロコンピュータ１００は、ステップＳ３０２２，Ｓ３０２３を実行することによりランプおよび音を用いた異常入賞２報知を実行する）、異常報知手段は、異常報知を実行しているときに遊技機への電力供給が停止し、初期化手段によって初期化処理が実行されることなく遊技機への電力供給が再開された場合には、異常報知を実行しない（たとえば、排出異常報知の実行中に電源供給が停止しても、遊技制御用マイクロコンピュータ５６０は、遊技機への電源供給の再開後に排出異常報知指定コマンドを再送するなどの処理を行なわず、演出制御用マイクロコンピュータ１００は、電源復旧後には排出異常報知を再開しない）ことを特徴とする。そのような構成により、異常報知を実行しているときに遊技機への電力供給が停止して再度電力供給が開始されたときに、初期化処理を実行して遊技機が起動した場合であるか、差分異常の発生後に遊技機が再起動した場合であるかを外部から認識可能とすることができる。
（手段８）手段７において、異常入賞報知手段は、第１態様の異常入賞報知として第１演出手段（たとえば、ランプ）を用いた異常入賞報知を実行し（たとえば、演出制御用マイクロコンピュータ１００は、ステップＳ３０１２を実行することによりランプのみを用いた異常入賞１報知を実行する）、第２態様の異常入賞報知として第１演出手段（たとえば、ランプ）および第２演出手段（たとえば、スピーカ２７）を用いた異常入賞報知を実行する（たとえば、演出制御用マイクロコンピュータ１００は、ステップＳ３０２２，Ｓ３０２３を実行することによりランプおよび音を用いた異常入賞２報知を実行する）ように構成されていてもよい。そのような構成によれば、可変入賞装置が閉鎖状態であるときに入賞領域へのより多くの入賞を検出した緊急性が高い異常入賞をより目立つ態様で報知することができる。
（手段９）本発明による遊技機のさらに他の態様は、遊技媒体（たとえば、遊技球）の入賞によって遊技価値を付与可能な入賞領域（たとえば、始動入賞口１４、大入賞口）を有する遊技機であって、入賞領域に入賞した遊技媒体を検出可能な入賞検出部（たとえば、始動口スイッチ１４ａ、カウントスイッチ２３）と、入賞領域に入賞した後に入賞検出部を通過した遊技媒体を検出可能な入賞確認部（たとえば、入賞確認１スイッチ１４ｂ、入賞確認２スイッチ２３ｂ）と、入賞領域に遊技媒体が入賞不可能な閉鎖状態と遊技媒体が入賞容易な開放状態とに変化可能な可変入賞装置（たとえば、可変入賞球装置１５、特別可変入賞球装置２０）と、可変入賞装置が閉鎖状態であるときに入賞領域に遊技媒体が入賞する異常入賞が発生したか否かを判定する異常入賞判定手段（たとえば、遊技制御用マイクロコンピュータ５６０におけるステップＳ２５１〜Ｓ２５４，Ｓ２６１〜Ｓ２６４を実行する部分）と、入賞検出部で検出された遊技媒体の数と入賞確認部で検出された遊技媒体の数との差分が所定数（たとえば、１０個）以上となる差分異常（たとえば、排出異常）が発生したことに基づいて、異常情報（たとえば、セキュリティ信号）を外部出力する外部出力手段（たとえば、遊技制御用マイクロコンピュータ５６０におけるステップＳ１０６８Ａ〜Ｓ１０６８Ｃ，Ｓ１１０２，Ｓ１１０３を実行する部分）と、異常入賞判定手段が異常入賞が発生したと判定したことに基づいて異常入賞報知（たとえば、異常入賞１報知、異常入賞２報知）を実行する異常入賞報知手段（たとえば、演出制御用マイクロコンピュータ１００におけるステップＳ３００５〜Ｓ３０２５を実行する部分）と、差分異常が発生したことに基づいて異常報知（たとえば、排出異常報知）を実行する異常報知手段（たとえば、演出制御用マイクロコンピュータ１００におけるステップＳ３００１〜Ｓ３００３を実行する部分）と、遊技機への電力供給が停止しても少なくとも差分異常が発生したことを示す情報（たとえば、排出異常フラグ）を所定期間保持可能な記憶手段（たとえば、バックアップＲＡＭとしてのＲＡＭ５５）と、遊技機への電力供給が開始されたときに、所定条件の成立（たとえば、クリアスイッチのオン）に基づいて記憶手段の記憶内容を初期化する初期化処理を実行する初期化手段（たとえば、遊技制御用マイクロコンピュータ５６０におけるステップＳ１０を実行する部分）とを備え、外部出力手段は、異常情報を外部出力しているときに遊技機への電力供給が停止し電力供給が再開された場合には、初期化手段によって初期化処理が実行されたか否かに応じて、遊技機への電力供給が再開されてから異なる期間にわたって異常情報を外部出力し（たとえば、遊技制御用マイクロコンピュータ５６０は、初期化処理を実行した場合には、ステップＳ１４ａでセキュリティ信号情報タイマをセットしたことに基づいて、ステップＳ１０６９〜Ｓ１０７４，Ｓ１１０２，Ｓ１１０３を実行して、セキュリティ信号を３０秒間出力し、初期化処理を実行せずにステップＳ９１，９２の停電復帰処理を実行した場合には、排出異常フラグがバックアップＲＡＭにバックアップされていることに基づいて、ステップＳ１０６８Ａ〜Ｓ１０６８Ｃ，Ｓ１１０２，Ｓ１１０３を実行して、次に初期化処理が実行されるまでセキュリティ信号の出力を継続する）、異常入賞報知手段は、可変入賞装置が閉鎖状態であるときに入賞領域に遊技媒体が第１所定数（たとえば、２０個）入賞した場合には、異常入賞が発生したと判定されてから所定期間（たとえば、３１秒間）経過後に異常入賞報知の実行を終了し（たとえば、演出制御用マイクロコンピュータ１００は、ステップＳ３００５〜Ｓ３０１４を実行することにより異常入賞１報知を３１秒間実行する）、可変入賞装置が閉鎖状態であるときに入賞領域に遊技媒体が第１所定数より多い第２所定数（たとえば、５０個）入賞した場合には、異常入賞が発生したと判定されてから所定期間よりも長い特定期間（たとえば、３００秒間）経過後に異常入賞報知の実行を終了し（たとえば、演出制御用マイクロコンピュータ１００は、ステップＳ３０１５〜Ｓ３０２５を実行することにより異常入賞２報知を３００秒間実行する）、異常報知手段は、異常報知を実行しているときに遊技機への電力供給が停止し、初期化手段によって初期化処理が実行されることなく遊技機への電力供給が再開された場合には、異常報知を実行しない（たとえば、排出異常報知の実行中に電源供給が停止しても、遊技制御用マイクロコンピュータ５６０は、遊技機への電源供給の再開後に排出異常報知指定コマンドを再送するなどの処理を行なわず、演出制御用マイクロコンピュータ１００は、電源復旧後には排出異常報知を再開しない）ことを特徴とする。そのような構成により、異常報知を実行しているときに遊技機への電力供給が停止して再度電力供給が開始されたときに、初期化処理を実行して遊技機が起動した場合であるか、差分異常の発生後に遊技機が再起動した場合であるかを外部から認識可能とすることができる。
（手段１０）手段９において、異常入賞報知手段は、所定期間が経過するまで異常入賞報知を実行する場合には、第１演出手段（たとえば、ランプ）を用いた異常入賞報知を実行し（たとえば、演出制御用マイクロコンピュータ１００は、ステップＳ３０１２を実行することによりランプのみを用いた異常入賞１報知を実行する）、特定期間が経過するまで異常入賞報知を実行する場合には、第１演出手段（たとえば、ランプ）および第２演出手段（たとえば、スピーカ２７）を用いた異常入賞報知を実行する（たとえば、演出制御用マイクロコンピュータ１００は、ステップＳ３０２２，Ｓ３０２３を実行することによりランプおよび音を用いた異常入賞２報知を実行する）ように構成されていてもよい。そのような構成によれば、可変入賞装置が閉鎖状態であるときに入賞領域へのより多くの入賞を検出した緊急性が高い異常入賞をより目立つ態様で報知することができる。
（手段１１）本発明による遊技機のさらに他の態様は、所定の遊技を実行可能な遊技機であって、所定の動作を行なう可動部材（たとえば、第２の実施の形態における可動部材７８や演出羽根役物７９ａ，７９ｂなどの役物）と、遊技機への電力供給が停止しても所定期間記憶内容を保持可能であり、制御を行なう際に発生する変動データを記憶する変動データ記憶手段（たとえば、バックアップＲＡＭとしてのＲＡＭ５５）と、遊技機への電力供給が開始されたときに、所定条件の成立（たとえば、クリアスイッチのオン）に基づいて変動データ記憶手段の記憶内容を初期化する初期化処理を実行する初期化手段（たとえば、遊技制御用マイクロコンピュータ５６０におけるステップＳ１０を実行する部分）と、初期化手段によって初期化処理が実行されたことに基づいて、初期化報知を実行する初期化報知手段（たとえば、第２の実施の形態において、演出制御用マイクロコンピュータ１００におけるステップＳ３１０１〜Ｓ３１１１を実行する部分）と、遊技機への電力供給が開始されたことに基づいて、可動部材の初期動作を実行する初期動作実行手段（たとえば、第２の実施の形態において、演出制御用マイクロコンピュータ１００におけるステップＳ７０８を実行する部分）とを備え、初期動作実行手段は、初期化報知手段による初期化報知の実行を終了した後に、可動部材の初期動作を実行する（たとえば、第２の実施の形態において、演出制御用マイクロコンピュータ１００は、ステップＳ３５０２でＹと判定したことを条件にステップＳ３５０３以降の処理に移行して役物の初期動作を実行する）ことを特徴とする。そのような構成により、初期化処理が実行されたときに初期化報知と可動部材の初期動作とにかかる電力消費を分散することができる。
（手段１２）手段１１において、遊技中に少なくとも音出力手段（たとえば、スピーカ２７）を用いた音出力による演出（たとえば、音出力を伴う演出図柄の変動表示）を実行可能な演出実行手段（たとえば、演出制御用マイクロコンピュータ１００におけるステップＳ８０１〜Ｓ８０３を実行する部分）を備え、初期化報知手段は、音出力手段を用いた音出力を伴う初期化報知を実行し（たとえば、第２の実施の形態において、演出制御用マイクロコンピュータ１００は、ステップＳ３１０８を実行して、音を用いた初期化報知を実行する）、演出実行手段は、初期化報知が実行されているときには、音出力手段を用いた音出力による演出を実行しない（たとえば、第２の実施の形態において、演出制御用マイクロコンピュータ１００は、ステップＳ８２６１，Ｓ８４８１でＹのときステップＳ８２６２，Ｓ８４８２を実行することにより、演出図柄の変動表示を実行する場合であっても初期化報知の音出力を継続する）ように構成されていてもよい。そのような構成によれば、初期化報知と音出力手段を用いた音出力による演出とが重複したタイミングで実行されることを防止し、電力消費が集中してしまうことを防止することができる。
（手段１３）手段１１または手段１２において、遊技中に少なくとも発光手段（たとえば、ランプ）を用いた発光表示による演出（たとえば、ランプ表示を伴う演出図柄の変動表示）を実行可能な演出実行手段（たとえば、演出制御用マイクロコンピュータ１００におけるステップＳ８０１〜Ｓ８０３を実行する部分）を備え、初期化報知手段は、発光手段を用いた発光表示を伴う初期化報知を実行し（たとえば、第２の実施の形態において、演出制御用マイクロコンピュータ１００は、ステップＳ３１０９を実行して、ランプを用いた初期化報知を実行する）、演出実行手段は、初期化報知が実行されているときには、発光手段を用いた発光表示による演出を実行しない（たとえば、第２の実施の形態において、演出制御用マイクロコンピュータ１００は、ステップＳ８２６１，Ｓ８４８１でＹのときステップＳ８２６２，Ｓ８４８２を実行することにより、演出図柄の変動表示を実行する場合であっても初期化報知のランプ表示を継続する）ように構成されていてもよい。そのような構成によれば、初期化報知と発光手段を用いた発光表示による演出とが重複したタイミングで実行されることを防止し、電力消費が集中してしまうことを防止することができる。
【図面の簡単な説明】
【００１３】
【図１】パチンコ遊技機を正面からみた正面図である。
【図２】遊技盤の前面を示す正面図である。
【図３】普通入賞口内の断面構造の具体例を示す説明図である。
【図４】遊技機を裏面から見た背面図である。
【図５】始動入賞口内の断面構造の具体例を示す説明図である。
【図６】遊技球を検出可能な検出手段の方式を説明するための回路図である。
【図７】遊技制御基板（主基板）の構成例を示すブロック図である。
【図８】中継基板、演出制御基板、ランプドライバ基板および音声出力基板の回路構成例を示すブロック図である。
【図９】遊技制御手段における出力ポートのビット割り当て例を示す説明図である。
【図１０】遊技制御手段における入力ポートのビット割り当て例を示す説明図である。
【図１１】ターミナル基板の内部構成を示す回路図である。
【図１２】遊技制御用マイクロコンピュータが実行するメイン処理を示すフローチャートである。
【図１３】ホットスタート処理の処理例を示すフローチャートである。
【図１４】４ｍｓタイマ割込処理を示すフローチャートである。
【図１５】特別図柄プロセス処理のプログラムの一例を示すフローチャートである。
【図１６】始動口スイッチ通過処理を示すフローチャートである。
【図１７】特別図柄通常処理を示すフローチャートである。
【図１８】特別図柄停止処理を示すフローチャートである。
【図１９】普通図柄プロセス処理を示すフローチャートである。
【図２０】普通図柄通常処理の一例を示すフローチャートである。
【図２１】普通図柄変動処理の一例を示すフローチャートである。
【図２２】普通図柄停止処理の一例を示すフローチャートである。
【図２３】普通図柄の変動時間および可変入賞球装置の開放パターンの一例を示す説明図である。
【図２４】普通電動役物作動処理の一例を示すフローチャートである。
【図２５】スイッチ処理で使用されるＲＡＭに形成される各２バイトのバッファを示す説明図である。
【図２６】スイッチ処理の処理例を示すフローチャートである。
【図２７】スイッチ正常／異常チェック処理を示すフローチャートである。
【図２８】スイッチ正常／異常チェック処理を説明するための説明図である。
【図２９】スイッチ正常／異常チェック処理を説明するための説明図である。
【図３０】始動入賞口内で遊技球が球詰まり状態を起こした場合を示す説明図である。
【図３１】異常入賞報知処理を示すフローチャートである。
【図３２】ターミナル基板に出力される各種信号を示すブロック図である。
【図３３】情報出力処理を示すフローチャートである。
【図３４】情報出力処理を示すフローチャートである。
【図３５】情報出力処理を示すフローチャートである。
【図３６】情報出力処理を示すフローチャートである。
【図３７】情報出力処理を示すフローチャートである。
【図３８】入賞タイマセット処理を示すフローチャートである。
【図３９】セキュリティ信号の出力タイミングを示す説明図である。
【図４０】排出異常に基づきセキュリティ信号を出力しているときに遊技機への電力供給が停止した後に、電力供給が復旧した場合のセキュリティ信号の出力タイミングを示す説明図である。
【図４１】演出制御用マイクロコンピュータが実行するメイン処理を示すフローチャートである。
【図４２】演出制御プロセス処理を示すフローチャートである。
【図４３】演出図柄変動開始処理の一例を示すフローチャートである。
【図４４】演出図柄変動中処理の一例を示すフローチャートである。
【図４５】報知制御処理を示すフローチャートである。
【図４６】報知制御処理を示すフローチャートである。
【図４７】検出可能な異常およびその内容を示す図である。
【図４８】異常入賞、排出異常、およびその他の異常の内容とそれぞれに対応して送信されるコマンドとの関係を示す図である。
【図４９】第２の実施の形態におけるパチンコ遊技機を正面からみた正面図である。
【図５０】第２の実施の形態における演出制御用マイクロコンピュータが実行するメイン処理を示すフローチャートである。
【図５１】第２の実施の形態における演出図柄変動開始処理を示すフローチャートである。
【図５２】第２の実施の形態における演出図柄変動中処理を示すフローチャートである。
【図５３】第２の実施の形態における報知制御処理を示す第１のフローチャートである。
【図５４】第２の実施の形態における報知制御処理を示す第２のフローチャートである。
【図５５】第２の実施の形態における報知制御処理を示す第３のフローチャートである。
【図５６】第２の実施の形態における報知制御処理を示す第４のフローチャートである。
【図５７】検出可能な異常、その内容およびその報知の優先順位を示す図である。
【図５８】第２の実施の形態における役物初期動作処理を示すフローチャートである。
【図５９】第３の実施の形態における役物初期動作処理を示すフローチャートである。
【発明を実施するための形態】
【００１４】
実施の形態１．
以下、本発明の第１の実施の形態を図面を参照して説明する。まず、遊技機の一例であるパチンコ遊技機の全体の構成について説明する。図１はパチンコ遊技機を正面からみた正面図、図２は遊技盤の前面を示す正面図である。
【００１５】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板と、それらに取り付けられる種々の部品（後述する遊技盤を除く。）とを含む構造体である。
【００１６】
図１に示すように、パチンコ遊技機１は、額縁状に形成されたガラス扉枠２を有する。ガラス扉枠２の下部表面には打球供給皿（貯留皿）３がある。打球供給皿３の下部には、打球供給皿３に収容しきれない遊技球を貯留する余剰球受皿４と遊技球を発射する打球操作ハンドル（操作ノブ）５が設けられている。ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には遊技領域７が形成されている。
【００１７】
遊技領域７の中央付近には、それぞれが演出用の飾り図柄（演出図柄）を可変表示する複数の可変表示部を含む演出表示装置（飾り図柄表示装置）９が設けられている。演出表示装置９には、たとえば「左」、「中」、「右」の３つの可変表示部（図柄表示エリア）がある。演出表示装置９は、特別図柄表示器８による特別図柄の可変表示期間中に、装飾用（演出用）の図柄としての演出図柄の可変表示を行なう。演出図柄の可変表示を行なう演出表示装置９は、演出制御基板に搭載されている演出制御用マイクロコンピュータによって制御される。
【００１８】
演出表示装置９の下部には、始動入賞口１４に入った有効入賞球数すなわち保留記憶（始動記憶または始動入賞記憶ともいう。）数を表示する４つの特別図柄保留記憶表示器１８が設けられている。特別図柄保留記憶表示器１８は、保留記憶数を入賞順に４個まで表示する。特別図柄保留記憶表示器１８は、始動入賞口１４に始動入賞があるごとに、点灯状態のＬＥＤの数を１増やす。そして、特別図柄保留記憶表示器１８は、特別図柄表示器８で可変表示が開始されるごとに、点灯状態のＬＥＤの数を１減らす（すなわち１つのＬＥＤを消灯する）。具体的には、特別図柄保留記憶表示器１８は、特別図柄表示器８で可変表示が開始されるごとに、点灯状態をシフトする。なお、この例では、始動入賞口１４への入賞による始動記憶数に上限数（４個まで）が設けられているが、上限数を４個以上にしてもよい。
【００１９】
演出表示装置９の上部には、識別情報としての特別図柄を可変表示する特別図柄表示器（特別図柄表示装置）８が設けられている。この実施の形態では、特別図柄表示器８は、たとえば０〜９の数字を可変表示可能な簡易で小型の表示器（たとえば７セグメントＬＥＤ）で実現されている。特別図柄表示器８は、遊技者に特定の停止図柄を把握しづらくさせるために、０〜９９など、より多種類の数字を可変表示するように構成されていてもよい。また、演出表示装置９は、特別図柄表示器８による特別図柄の可変表示期間中に、装飾用（演出用）の図柄としての演出図柄の可変表示を行なう。
【００２０】
演出表示装置９の下方には、始動入賞口１４を形成する可変入賞球装置１５が設けられている。可変入賞球装置１５は、羽根を開閉可能に構成され、羽根が開放しているときに遊技球が入賞し易い状態（開状態）となり、羽根が開放していないとき（閉じているとき）に遊技球が入賞し難い状態（閉状態）となる。始動入賞口１４に入った入賞球は、遊技盤６の背面に導かれ、始動口スイッチ１４ａ（たとえば、近接スイッチ）によって検出されるとともに、入賞確認スイッチ１４ｂ（たとえば、フォトセンサ）によって検出される（なお、逆に、始動口スイッチ１４ａをフォトセンサを用いて構成し、入賞確認スイッチ１４ｂを近接スイッチを用いて構成してもよいし、近接スイッチやフォトセンサに代えてマイクロスイッチなどの機械式のスイッチを用いてもよい）。なお、この実施の形態では、始動口スイッチ１４ａによって遊技球が検出されたことに基づいて、乱数回路からの乱数の抽出が行なわれ、特別図柄の変動表示が開始される。また、後述するように、始動口スイッチ１４ａによる検出結果に加えて入賞確認スイッチ１４ｂの検出結果に基づいて排出異常の発生の有無が判定され、排出異常の発生を検出したことに基づいてセキュリティ信号が外部出力される。また、始動口スイッチ１４ａによる検出結果に加えて入賞確認スイッチ１４ｂの検出結果に基づいて、後述する入賞信号が外部出力され、賞球個数コマンドが払出制御用マイクロコンピュータ３７０に送信されて賞球払出が実行される。また、可変入賞球装置１５は、ソレノイド１６によって開状態にされる。
【００２１】
なお、可変入賞球装置１５の真上に第１始動入賞口を設け、可変入賞球装置１５を第２始動入賞口としてもよい。この場合、第１始動入賞口および第２始動入賞口のそれぞれについて、始動口スイッチ（たとえば、近接スイッチ）を設けるとともに入賞確認スイッチ（たとえば、フォトセンサ）を設けるようにしてもよい。そして、第１始動入賞口および第２始動入賞口のそれぞれについて、この実施の形態と同様に、始動口スイッチによって遊技球が検出されたことに基づいて、乱数回路からの乱数の抽出が行なわれ、特別図柄の変動表示が開始されるようにしてもよい。また、第１始動入賞口および第２始動入賞口のそれぞれについて、この実施の形態と同様に、始動口スイッチによる検出結果に加えて入賞確認スイッチの検出結果に基づいて排出異常の発生の有無が判定され、排出異常の発生を検出したことに基づいてセキュリティ信号が外部出力されるようにしてもよい。さらに、第１始動入賞口および第２始動入賞口のそれぞれについて、この実施の形態と同様に、始動口スイッチによる検出結果に加えて入賞確認スイッチの検出結果に基づいて、後述する入賞信号が外部出力され、賞球個数コマンドが払出制御用マイクロコンピュータ３７０に送信されて賞球払出が実行されるようにしてもよい。
【００２２】
可変入賞球装置１５の下部には、特定遊技状態（大当り状態）においてソレノイド２１によって開状態に制御される開閉板を用いた特別可変入賞球装置２０が設けられている。特別可変入賞球装置２０は大入賞口を開閉する手段である。特別可変入賞球装置２０に入賞し遊技盤６の背面に導かれた入賞球は、カウントスイッチ２３（たとえば、近接スイッチ）で検出されるとともに、入賞確認スイッチ２３ｂ（たとえば、フォトセンサ）によって検出される（なお、逆に、カウントスイッチ２３をフォトセンサを用いて構成し、入賞確認スイッチ２３ｂを近接スイッチを用いて構成してもよいし、近接スイッチやフォトセンサに代えてマイクロスイッチなどの機械式のスイッチを用いてもよい）。なお、この実施の形態では、カウントスイッチ２３によって遊技球が検出されたことに基づいて、大当り遊技中に大入賞口に遊技球が入賞したことが検出されるとともに、ラウンドごとに大入賞口への入賞数が所定数（本例では、１０個に達したか否か）の判定が行なわれる。また、後述するように、カウントスイッチ２３による検出結果に加えて入賞確認スイッチ２３ｂの検出結果に基づいて排出異常の発生の有無が判定され、排出異常の発生を検出したことに基づいてセキュリティ信号が外部出力される。また、カウントスイッチ２３による検出結果に加えて入賞確認スイッチ２３ｂの検出結果に基づいて、後述する入賞信号が外部出力され、賞球個数コマンドが払出制御用マイクロコンピュータ３７０に送信されて賞球払出が実行される。
【００２３】
遊技球がゲート３２を通過しゲートスイッチ３２ａで検出されると、普通図柄表示器１０の表示の可変表示が開始される。この実施の形態では、左右のランプ（点灯時に図柄が視認可能になる）が交互に点灯することによって可変表示が行なわれ、たとえば、可変表示の終了時に左側のランプが点灯すれば当たりになる。そして、普通図柄表示器１０における停止図柄が所定の図柄（当り図柄）である場合に、可変入賞球装置１５が所定回数、所定時間だけ開状態になる。普通図柄表示器１０の近傍には、ゲート３２を通過した入賞球数を表示する４つのＬＥＤによる表示部を有する普通図柄始動記憶表示器４１が設けられている。ゲート３２への遊技球の通過があるごとに、普通図柄始動記憶表示器４１は点灯するＬＥＤを１増やす。そして、普通図柄表示器１０の可変表示が開始されるごとに、点灯するＬＥＤを１減らす。
【００２４】
遊技盤６には、複数の入賞口２９，３０が設けられ、遊技球の入賞口２９，３０への入賞は、それぞれ入賞口スイッチ２９ａ，３０ａ（たとえば、近接スイッチ）によって検出されるとともに、入賞確認スイッチ２９ｂ，３０ｂ（たとえば、フォトセンサ）によって検出される（なお、逆に、入賞口スイッチ２９ａ，３０ａをフォトセンサを用いて構成し、入賞確認スイッチ２９ｂ，３０ｂを近接スイッチを用いて構成してもよいし、近接スイッチやフォトセンサに代えてマイクロスイッチなどの機械式のスイッチを用いてもよい）。なお、この実施の形態では、後述するように、入賞口スイッチ２９ａ，３０ａによる検出結果に加えて入賞確認スイッチ２９ｂ，３０ｂの検出結果に基づいて、入賞信号が外部出力され、賞球個数コマンドが払出制御用マイクロコンピュータ３７０に送信されて賞球払出が実行される。
【００２５】
なお、図３に示すように、入賞確認スイッチ１４ｂ，２３ｂ，２９ｂ，３０ｂのうち、少なくとも、入賞口２９，３０への入賞を検出する入賞確認スイッチ２９ｂ，３０ｂについては、遊技枠側に取り付けられている。そのように構成することによって、この実施の形態のように遊技盤６が交換可能に構成されている場合に、遊技枠側に設けられた入賞確認スイッチ２９ｂ，３０ｂについては、遊技盤６にかかわらず共通に用いることができ、遊技機のコスト削減を図っている。
【００２６】
なお、この実施の形態では、以下、入賞確認スイッチ１４ｂ，２３ｂ，２９ｂ，３０ｂを区別して指す場合に、それぞれ、入賞確認１スイッチ１４ｂ、入賞確認２スイッチ２３ｂ、入賞確認３スイッチ２９ｂ、および入賞確認４スイッチ３０ｂともいう。
【００２７】
各入賞口２９，３０は、遊技媒体を受け入れて入賞を許容する領域として遊技盤６に設けられる入賞領域を構成している。なお、始動入賞口１４や大入賞口も、遊技媒体を受け入れて入賞を許容する入賞領域を構成する。なお、各入賞口２９，３０に入賞した遊技球を入賞スイッチで検出する構成に代えて、遊技球が所定領域（たとえばゲート）を通過したことを検出スイッチで検出する構成としてもよい。遊技領域７の左右周辺には、遊技中に点滅表示される装飾ランプ２５が設けられ、下部には、入賞しなかった遊技球を吸収するアウト口２６がある。また、遊技領域７の外側の左右上部には、効果音を発する２つのスピーカ２７が設けられている。遊技領域７の外周には、天枠ランプ２８ａ、左枠ランプ２８ｂおよび右枠ランプ２８ｃが設けられている。さらに、遊技領域７における各構造物（大入賞口等）の周囲には装飾ＬＥＤが設置されている。天枠ランプ２８ａ、左枠ランプ２８ｂおよび右枠ランプ２８ｃおよび装飾用ＬＥＤは、遊技機に設けられている装飾発光体の一例である。なお、この実施の形態では、遊技機に設けられている発光体をランプやＬＥＤを用いて構成する場合を示しているが、この実施の形態で示した態様に限らず、たとえば、遊技機に設けられている発光体を全てＬＥＤを用いて構成するようにしてもよい。
【００２８】
なお、図１および図２では、図示を省略しているが、左枠ランプ２８ｂの近傍に、賞球払出中に点灯する賞球ランプが設けられ、天枠ランプ２８ａの近傍に、補給球が切れたときに点灯する球切れランプが設けられている。なお、賞球ランプおよび球切れランプは、賞球の払出中である場合や球切れが検出された場合に、演出制御基板に搭載された演出制御用マイクロコンピュータによって点灯制御される。さらに、プリペイドカードが挿入されることによって球貸しを可能にするプリペイドカードユニット（以下、「カードユニット」という。）５０が、パチンコ遊技機１に隣接して設置されている。
【００２９】
カードユニット５０には、たとえば、使用可能状態であるか否かを示す使用可表示ランプ、カードユニットがいずれの側のパチンコ遊技機１に対応しているのかを示す連結台方向表示器、カードユニット内にカードが投入されていることを示すカード投入表示ランプ、記録媒体としてのカードが挿入されるカード挿入口、およびカード挿入口の裏面に設けられているカードリーダライタの機構を点検する場合にカードユニットを解放するためのカードユニット錠が設けられている。
【００３０】
遊技者の操作により打球発射装置から発射された遊技球は、打球レールを通って遊技領域７に入り、その後、遊技領域７を下りてくる。遊技球が始動入賞口１４に入り始動口スイッチ１４ａで検出されると、図柄の可変表示を開始できる状態であれば、特別図柄表示器８において特別図柄が可変表示（変動）を始める。図柄の可変表示を開始できる状態でなければ、保留記憶数を１増やす。
【００３１】
特別図柄表示器８における特別図柄の可変表示は、一定時間が経過したときに停止する。停止時の特別図柄（停止図柄）が大当り図柄（特定表示結果）であると、大当り遊技状態に移行する。すなわち、特別可変入賞球装置２０が、一定時間経過するまで、または、所定個数（たとえば１０個）の遊技球が入賞するまで開放する。そして、特別可変入賞球装置２０の開放は、決定されたラウンド数の最後のラウンドまで（たとえば、１５ラウンドまで）許容される。
【００３２】
停止時の特別図柄表示器８における特別図柄が確率変動を伴う大当り図柄（確変図柄）である場合には、次に大当りになる確率が高くなる。すなわち、確変状態という遊技者にとってさらに有利な状態になる。
【００３３】
遊技球がゲート３２を通過すると、普通図柄表示器１０において普通図柄が可変表示される状態になる。また、普通図柄表示器１０における停止図柄が所定の図柄（当り図柄）である場合に、可変入賞球装置１５が所定時間だけ開状態になる。
【００３４】
次に、パチンコ遊技機１の裏面の構造について図４を参照して説明する。図４は、遊技機を裏面から見た背面図である。図４に示すように、パチンコ遊技機１裏面側では、演出表示装置９を制御する演出制御用マイクロコンピュータ１００が搭載された演出制御基板８０を含む変動表示制御ユニット、遊技制御用マイクロコンピュータ等が搭載された遊技制御基板（主基板）３１、音声出力基板７０、ランプドライバ基板３５、および球払出制御を行なう払出制御用マイクロコンピュータ等が搭載された払出制御基板３７等の各種基板が設置されている。なお、遊技制御基板３１は基板収納ケース２００に収納されている。
【００３５】
さらに、パチンコ遊技機１裏面側には、ＤＣ３０Ｖ、ＤＣ２１Ｖ、ＤＣ１２ＶおよびＤＣ５Ｖ等の各種電源電圧を作成する電源回路が搭載された電源基板９１０やタッチセンサ基板９１が設けられている。電源基板９１０には、パチンコ遊技機１における遊技制御基板３１および各電気部品制御基板（演出制御基板８０および払出制御基板３７）やパチンコ遊技機１に設けられている各電気部品（電力が供給されることによって動作する部品）への電力供給を実行あるいは遮断するための電力供給許可手段としての電源スイッチ、遊技制御基板３１の遊技制御用マイクロコンピュータ５６０のＲＡＭ５５をクリアするためのクリアスイッチが設けられている。さらに、電源スイッチの内側（基板内部側）には、交換可能なヒューズが設けられている。
【００３６】
なお、この実施の形態では、主基板３１は遊技盤側に設けられ、払出制御基板３７は遊技枠側に設けられている。このような構成であっても、後述するように、主基板３１と払出制御基板３７との間の通信をシリアル通信で行なうことによって、遊技盤を交換する際の配線の取り回しを容易にしている。
【００３７】
なお、各制御基板には、制御用マイクロコンピュータを含む制御手段が搭載されている。制御手段は、遊技制御手段等からのコマンドとしての指令信号（制御信号）に従って遊技機に設けられている電気部品（遊技用装置：球払出装置９７、演出表示装置９、ランプやＬＥＤなどの発光体、スピーカ２７等）を制御する。以下、主基板３１を制御基板に含めて説明を行なうことがある。その場合には、制御基板に搭載される制御手段は、遊技制御手段と、遊技制御手段等からの指令信号に従って遊技機に設けられている電気部品を制御する手段とのそれぞれを指す。また、主基板３１以外のマイクロコンピュータが搭載された基板を“サブ基板”ということがある。なお、球払出装置９７は、遊技球を誘導する通路とステッピングモータ等により駆動されるスプロケット等によって誘導された遊技球を貯留皿や下皿に払い出すための装置であって、払い出された賞球や貸し球をカウントする払出個数カウントスイッチ等もユニットの一部として構成されている。なお、この実施の形態では、払出検出手段は、払出個数カウントスイッチ３０１によって実現され、球払出装置９７から実際に賞球や貸し球が払い出されたことを検出する機能を備える。この場合、払出個数カウントスイッチ３０１は、賞球や貸し球の払い出しを１球検出するごとに検出信号を出力する。
【００３８】
パチンコ遊技機１裏面において、上方には、各種情報をパチンコ遊技機１の外部に出力するための各端子を備えたターミナル基板１６０が設置されている。ターミナル基板１６０には、たとえば、大当り遊技状態の発生を示す大当り情報等の情報出力信号（図３２に示す図柄確定回数１信号、始動口信号、大当り１信号、大当り２信号、大当り３信号、時短信号、入賞信号、セキュリティ信号、高確中信号、賞球情報）を外部出力するための情報出力端子が設けられている。
【００３９】
貯留タンク３８に貯留された遊技球は誘導レール（図示せず）を通り、カーブ樋を経て払出ケース４０Ａで覆われた球払出装置９７に至る。球払出装置９７の上方には、遊技媒体切れ検出手段としての球切れスイッチ１８７が設けられている。球切れスイッチ１８７が球切れを検出すると、球払出装置９７の払出動作が停止する。球切れスイッチ１８７は遊技球通路内の遊技球の有無を検出するスイッチであるが、貯留タンク３８内の補給球の不足を検出する球切れ検出スイッチ１６７も誘導レールにおける上流部分（貯留タンク３８に近接する部分）に設けられている。球切れ検出スイッチ１６７が遊技球の不足を検知すると、遊技機設置島に設けられている補給機構からパチンコ遊技機１に対して遊技球の補給が行なわれる。
【００４０】
入賞に基づく景品としての遊技球や球貸し要求に基づく遊技球が多数払出されて打球供給皿３が満杯になると、遊技球は、余剰球誘導通路を経て余剰球受皿４に導かれる。さらに遊技球が払出されると、感知レバー（図示せず）が貯留状態検出手段としての満タン検出スイッチ４５を押圧して、貯留状態検出手段としての満タン検出スイッチ４５がオンする。その状態では、球払出装置内の払出モータの回転が停止して球払出装置の動作が停止するとともに打球発射装置の駆動も停止する。
【００４１】
次に、各入賞口の断面構造の具体例の一例として、始動入賞口１４内の断面構造の具体例を説明する。なお、一例として始動入賞口１４内の断面構造について説明するが、大入賞口や入賞口２９，３０についても、およそ同様の断面構造でカウントスイッチ２３や入賞口スイッチ２９ａ，３０ａが上流側に配置され、入賞確認スイッチ２３ｂ，２９ｂ，３０ｂが下流側に配置されている。ただし、入賞口２９，３０に関しては、上流側に配置される入賞口スイッチ２９ａ，３０ａと、下流側に配置される入賞確認スイッチ２９ｂ，３０ｂとの距離が多少離れていても支障が生じる処理はないので、既に図３で説明したように、少なくとも、入賞確認スイッチ２９ｂ，３０ｂについては遊技枠側に配置され、遊技機のコスト低減を図っている。
【００４２】
図５は、始動入賞口１４内の断面構造の具体例を示す説明図である。図５に示すように、始動入賞口１４内には、始動入賞口内に入賞した遊技球を検出可能な２つのスイッチ（始動口スイッチ１４ａと入賞確認スイッチ１４ｂ）が設けられている。この実施の形態では、図５に示すように、始動入賞口１４内で、始動口スイッチ１４ａと入賞確認スイッチ１４ｂとが上下に配置されている（本例では、始動口スイッチ１４ａが上側に配置され、入賞確認スイッチ１４ｂが下側に配置されている）。従って、この実施の形態では、始動入賞口１４内に入賞した遊技球は、遊技盤６の背面に導かれ、まず始動口スイッチ１４ａで検出され、次いで入賞確認スイッチ１４ｂで検出される。なお、下流側の入賞確認スイッチ１４ｂの配置に関して、遊技球が入賞側の開口部分から入賞したあと排出側の開口部分から排出される経路において、できるだけ排出側の開口部分に近い位置に配置されていれば、配置位置の高低などは問わない。
【００４３】
また、始動口スイッチ１４ａと入賞確認スイッチ１４ｂとして、それぞれ異なる検出方式のスイッチが用いられる。この実施の形態では、始動口スイッチ１４ａとして近接スイッチを用い、入賞確認スイッチ１４ｂとしてフォトセンサを用いる場合を示している。
【００４４】
また、この実施の形態では、始動口スイッチ１４ａによって遊技球が検出されたことに基づいて、乱数回路からの乱数の抽出が行なわれ、特別図柄の変動表示が開始される。また、後述するように、始動口スイッチ１４ａによる検出結果に加えて入賞確認スイッチ１４ｂの検出結果に基づいて排出異常の発生の有無が判定され、排出異常の発生を検出したことに基づいてセキュリティ信号が外部出力される。また、始動口スイッチ１４ａによる検出結果に加えて入賞確認スイッチ１４ｂの検出結果に基づいて、後述する入賞信号が外部出力され、賞球個数コマンドが払出制御用マイクロコンピュータ３７０に送信されて賞球払出が実行される。
【００４５】
なお、始動口スイッチ１４ａおよび入賞確認スイッチ１４ｂの検出方式は、この実施の形態で示したものに限らず、たとえば、始動口スイッチ１４ａと入賞確認スイッチ１４ｂとで異なる検出方式であれば、逆に始動口スイッチ１４ａとしてフォトセンサを用い、入賞確認スイッチ１４ｂとして近接スイッチを用いてもよい。この場合、フォトセンサである始動口スイッチ１４ａの検出結果に基づいて乱数回路からの乱数の抽出や特別図柄の変動表示が実行され、フォトセンサである始動口スイッチ１４ａの検出結果に加えて近接スイッチである入賞確認スイッチ１４ｂの検出結果に基づいて、始動入賞口１４の排出異常の判定や、入賞信号の外部出力、賞球払出が実行されることになる。また、たとえば、電磁式のスイッチである近接スイッチや光学式のフォトセンサに代えて、始動口スイッチ１４ａまたは入賞確認スイッチ１４ｂとして、機械式のスイッチ（マイクロスイッチなど）を用いてもよい。
【００４６】
図６は、遊技球を検出可能な検出手段の方式を説明するための回路図である。図６（Ａ）には、始動口スイッチ１４ａ（近接スイッチ）が示されている。始動口スイッチ１４ａの一方の端子には、電源基板９１０から＋１２Ｖ電源電圧が供給されている。始動口スイッチ１４ａの他方の端子の電圧レベルである検出信号は、主基板３１に入力される。主基板３１において、検出信号は、入力ドライバ回路から遊技制御用マイクロコンピュータの入力ポートに入力される。また、始動口スイッチ１４ａの出力側には、一端が接地されている抵抗ＲとコンデンサＣが接続されている。
【００４７】
近接スイッチである始動口スイッチ１４ａに設けられている穴を金属の遊技球が通過するとコイルＬに逆起電力が生じ、コイルＬの等価的な抵抗値が極めて大きくなる。従って、始動口スイッチ１４ａの出力は、０Ｖに近いローレベルになる。すなわち、検出信号は、ローレベルである。始動口スイッチ１４ａに設けられている穴を金属の遊技球が通過していない場合には、始動口スイッチ１４ａの出力は、＋１２ＶがコイルＬと抵抗Ｒの抵抗値で分圧された値であり、ハイレベルであるとみなされるしきい値レベルを越える。すなわち、検出信号は、ハイレベルである。従って、この実施の形態では、遊技制御用マイクロコンピュータは、始動口スイッチ１４ａからの出力がハイレベルであれば始動口スイッチ１４ａがオフ状態であると判断することができ、始動口スイッチ１４ａからの出力がローレベルであれば始動口スイッチ１４ａがオン状態であると判断することができる（すなわち、始動口スイッチ１４ａの出力は負論理となっている）。なお、検出信号のレベルを入力ドライバ回路で論理反転してから遊技制御用マイクロコンピュータ５６０に入力するように構成してもよい。
【００４８】
なお、この実施の形態では、大入賞口に関しては、カウントスイッチ２３の検出信号のレベルが入力ドライバ回路で論理反転してから遊技制御用マイクロコンピュータ５６０に入力される。従って、この実施の形態では、遊技制御用マイクロコンピュータは、カウントスイッチ２３からの出力（論理反転後の出力）がローレベルであればカウントスイッチ２３がオフ状態であると判断することができ、カウントスイッチ２３からの出力（論理反転後の出力）がハイレベルであればカウントスイッチ２３がオン状態であると判断することができる。
【００４９】
また、この実施の形態では、入賞口２９，３０に関しては、入賞口スイッチ２９ａ，３０ａの検出信号のレベルが入力ドライバ回路で論理反転してから遊技制御用マイクロコンピュータ５６０に入力される。従って、この実施の形態では、遊技制御用マイクロコンピュータは、入賞口スイッチ２９ａ，３０ａからの出力（論理反転後の出力）がローレベルであれば入賞口スイッチ２９ａ，３０ａがオフ状態であると判断することができ、入賞口スイッチ２９ａ，３０ａからの出力（論理反転後の出力）がハイレベルであれば入賞口スイッチ２９ａ，３０ａがオン状態であると判断することができる。
【００５０】
図６（Ｂ）には、入賞確認スイッチ１４ｂ（フォトセンサ）が示されている。図６（Ｂ）に示すフォトセンサは、発光する発光ダイオード（ＬＥＤ）３４１と、受光して電流を出力するフォトトランジスタ３４２とで構成されている。発光ダイオード３４１およびフォトトランジスタ３４２の近傍を遊技球が通過すると、遊技球が反射した発光ダイオード３４１からの光をフォトトランジスタ３４２が受光して出力側に電流を流す。なお、この場合、フォトトランジスタ３４２のコレクタ端子からエミッタ端子の向きに電流が流れることにより、フォトセンサの検出信号は、近接スイッチと同様に負論理である。ただし、この実施の形態では、入賞確認スイッチ１４ｂの検出信号は、入力ドライバ回路で論理反転してから遊技制御用マイクロコンピュータ５６０に入力される。従って、この実施の形態では、遊技制御用マイクロコンピュータは、入賞確認スイッチ１４ｂからの出力（論理反転後の出力）がローレベルであれば入賞確認スイッチ１４ｂがオフ状態であると判断することができ、入賞確認スイッチ１４ｂからの出力（論理反転後の出力）がハイレベルであれば入賞確認スイッチ１４ｂがオン状態であると判断することができる。
【００５１】
なお、この実施の形態では、入賞確認スイッチ２３ｂ，２９ｂ，３０ｂの検出信号も、同様に、入力ドライバ回路で論理反転してから遊技制御用マイクロコンピュータ５６０に入力される。従って、この実施の形態では、遊技制御用マイクロコンピュータは、入賞確認スイッチ２３ｂ，２９ｂ，３０ｂからの出力（論理反転後の出力）がローレベルであれば入賞確認スイッチ２３ｂ，２９ｂ，３０ｂがオフ状態であると判断することができ、入賞確認スイッチ２３ｂ，２９ｂ，３０ｂからの出力（論理反転後の出力）がハイレベルであれば入賞確認スイッチ２３ｂ，２９ｂ，３０ｂがオン状態であると判断することができる。
【００５２】
なお、この実施の形態では、フォトセンサとして反射型のフォトセンサが用いられるが、図６（Ｃ）における上段に示すように、発光素子（ＬＥＤ３４１）と受光素子（フォトトランジスタ３４２）とを入賞球経路を挟むように対向させて設置し、遊技球が発光素子からの光を遮ることによって受光素子が光を検出しなくなることによって、発光素子と受光素子との間を通過した遊技球を検出する透過型のフォトセンサを用いてもよい。透過型のフォトセンサを用いる場合に、図６（Ｃ）における下段に示すように、発光素子の光軸（図６（Ｃ）において黒丸で例示されている。）が、遊技球経路（入賞球経路）を通過する遊技球の中央部からずれるように、発光素子および受光素子を設置することが好ましい。光軸が遊技球の中央部に相当するように設置する場合に比べて、連続して通過する２つの遊技球の間隔が相対的に広い部分（図６（Ｃ）における「空隙」の部分）において遊技球を検知することができ、２つの遊技球を別個に検出しやすいからである。同様の理由で、図６（Ｂ）に例示する反射型のフォトセンサを用いる場合にも、発光素子からの光の反射点が遊技球の中央部からずれるように、発光素子および受光素子を設置することが好ましい。
【００５３】
図７は、主基板（遊技制御基板）３１における回路構成の一例を示すブロック図である。なお、図７には、払出制御基板３７および演出制御基板８０等も示されている。主基板３１には、プログラムに従ってパチンコ遊技機１を制御する遊技制御用マイクロコンピュータ（遊技制御手段に相当）５６０、制御用クロック生成回路１１１、および乱数用クロック生成回路１１２が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行なうＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＲＡＭ５５が内蔵されていればよく、ＲＯＭ５４は外付けであっても内蔵されていてもよい。また、Ｉ／Ｏポート部５７は、外付けであってもよい。さらに、ハードウェア乱数（ハードウェア回路が発生する乱数）を発生する乱数回路５０９が内蔵されている。
【００５４】
ここで、制御用クロック生成回路１１１は、遊技制御用マイクロコンピュータ５６０の外部にて、所定周波数の発振信号となる制御用クロックＣＣＬＫを生成する。制御用クロック生成回路１１１により生成された制御用クロックＣＣＬＫは、たとえば、遊技制御用マイクロコンピュータ５６０の制御用外部クロック端子ＥＸＣを介してクロック回路５０２に供給される。乱数用クロック生成回路１１２は、遊技制御用マイクロコンピュータ５６０の外部にて、制御用クロックＣＣＬＫの発振周波数とは異なる所定周波数の発振信号となる乱数用クロックＲＣＬＫを生成する。乱数用クロック生成回路１１２により生成された乱数用クロックＲＣＬＫは、たとえば、遊技制御用マイクロコンピュータ５６０の乱数用外部クロック端子ＥＲＣを介して乱数回路５０９に供給される。一例として、乱数用クロック生成回路１１２により生成される乱数用クロックＲＣＬＫの発振周波数は、制御用クロック生成回路１１１により生成される制御用クロックＣＣＬＫの発振周波数以下となるようにすればよい。あるいは、乱数用クロック生成回路１１２により生成される乱数用クロックＲＣＬＫの発振周波数は、制御用クロック生成回路１１１により生成される制御用クロックＣＣＬＫの発振周波数よりも高周波となるようにしてもよい。
【００５５】
なお、遊技制御用マイクロコンピュータ５６０においてＣＰＵ５６がＲＯＭ５４に格納されているプログラムに従って制御を実行するので、以下、遊技制御用マイクロコンピュータ５６０（またはＣＰＵ５６）が実行する（または、処理を行なう）ということは、具体的には、ＣＰＵ５６がプログラムに従って制御を実行することである。このことは、主基板３１以外の他の基板に搭載されているマイクロコンピュータについても同様である。
【００５６】
遊技制御用マイクロコンピュータ５６０は、始動口スイッチ１４ａへの始動入賞が生じたときに乱数回路５０９から数値データをランダムＲとして読み出し、特別図柄および演出図柄の変動開始時にランダムＲに基づいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる。
【００５７】
また、遊技制御用マイクロコンピュータ５６０には、払出制御基板３７（の払出制御用マイクロコンピュータ３７０）とシリアル通信で信号を入出力（送受信）するためのシリアル通信回路５１１が内蔵されている。なお、払出制御用マイクロコンピュータ３７０にも、遊技制御用マイクロコンピュータ５６０とシリアル通信で信号を入出力するためのシリアル通信回路が内蔵されている。
【００５８】
なお、この実施の形態では、遊技制御用マイクロコンピュータ５６０と払出制御用マイクロコンピュータ３７０との間でシリアル通信を行なう場合を示しているが、演出制御基板８０側にもシリアル通信回路を搭載するようにし、遊技制御用マイクロコンピュータ５６０は、シリアル通信方式を用いて演出制御コマンドを演出制御用マイクロコンピュータ１００に送信するように制御してもよい。
【００５９】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグや、保留記憶数をカウントするための保留記憶数カウンタの値など）と未払出賞球数を示すデータ（具体的には、後述する賞球コマンド出力カウンタの値）は、バックアップＲＡＭに保存される。遊技制御手段の制御状態に応じたデータとは、停電等が生じた後に復旧した場合に、そのデータに基づいて、遊技を再開させるために必要なデータである。また、制御状態に応じたデータと未払出賞球数を示すデータとを遊技の進行状態を示すデータと定義する。また、この実施の形態では、排出異常が発生した場合に後述する排出異常フラグがセットされるのであるが、この排出異常フラグもバックアップＲＡＭに記憶されバックアップされる。なお、この実施の形態では、ＲＡＭ５５の全部が、電源バックアップされているとする。
【００６０】
遊技制御用マイクロコンピュータ５６０のリセット端子には、電源基板からのリセット信号が入力される。電源基板には、遊技制御用マイクロコンピュータ５６０等に供給されるリセット信号を生成するリセット回路が搭載されている。なお、リセット信号がハイレベルになると遊技制御用マイクロコンピュータ５６０等は動作可能状態になり、リセット信号がローレベルになると遊技制御用マイクロコンピュータ５６０等は動作停止状態になる。従って、リセット信号がハイレベルである期間は、遊技制御用マイクロコンピュータ５６０等の動作を許容する許容信号が出力されていることになり、リセット信号がローレベルである期間は、遊技制御用マイクロコンピュータ５６０等の動作を停止させる動作停止信号が出力されていることになる。なお、リセット回路をそれぞれの電気部品制御基板（電気部品を制御するためのマイクロコンピュータが搭載されている基板）に搭載してもよい。
【００６１】
さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（たとえば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。なお、電源監視回路を電源基板に搭載するのではなく、バックアップ電源によって電源バックアップされる基板（たとえば、主基板３１）に搭載するようにしてもよい。また、遊技制御用マイクロコンピュータ５６０の入力ポートには、ＲＡＭの内容をクリアすることを指示するためのクリアスイッチが操作されたことを示すクリア信号（図示せず）が入力される。
【００６２】
また、ゲートスイッチ３２ａ、始動口スイッチ１４ａ、入賞確認１スイッチ１４ｂ、カウントスイッチ２３、入賞確認２スイッチ２３ｂ、各入賞口スイッチ２９ａ，３０ａ、入賞確認３スイッチ２９ｂ、入賞確認４スイッチ３０ｂ、電波センサ４２、磁石センサ４３、枠開放スイッチ４４、満タン検出スイッチ４５、および球有り検出スイッチ４６からの検出信号を基本回路５３に与える入力ドライバ回路５８も主基板３１に搭載され、可変入賞球装置１５を開閉するソレノイド１６、および特別可変入賞球装置を開閉するソレノイド２１を基本回路５３からの指令に従って駆動する出力回路５９も主基板３１に搭載され、電源投入時に遊技制御用マイクロコンピュータ５６０をリセットするためのシステムリセット回路（図示せず）や、大当り遊技状態の発生を示す大当り情報等の情報出力信号を、ターミナル基板１６０を介して、ホールコンピュータ等の外部装置に対して出力する情報出力回路６４も主基板３１に搭載されている。
【００６３】
電波センサ４２により、遊技機を誤作動させるような異常電波が検出される。同様に磁石センサ４３により、遊技機を誤作動させるような異常磁気が検出される。枠開放スイッチ４４により、遊技枠が開放状態であることが検出される。満タン検出スイッチ４５により、打球供給皿（貯留皿）３の遊技球の満タン状態が検出される。球有り検出スイッチ４６により、打球供給皿（貯留皿）３の遊技球の有無が検出される。
【００６４】
この実施の形態では、演出制御基板８０に搭載されている演出制御手段（演出制御用マイクロコンピュータで構成される。）が、中継基板７７を介して遊技制御用マイクロコンピュータ５６０からの演出制御コマンドを受信し、演出図柄を可変表示する演出表示装置９の表示制御を行なう。
【００６５】
図８は、中継基板７７、演出制御基板８０、ランプドライバ基板３５および音声出力基板７０の回路構成例を示すブロック図である。なお、図８に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板８０のみを設けてもよい。
【００６６】
演出制御基板８０は、演出制御用ＣＰＵ１０１、および演出図柄プロセスフラグ等の演出に関する情報を記憶するＲＡＭを含む演出制御用マイクロコンピュータ１００を搭載している。なお、ＲＡＭは外付けであってもよい。この実施の形態では、演出制御用マイクロコンピュータ１００におけるＲＡＭは電源バックアップされていない。演出制御基板８０において、演出制御用ＣＰＵ１０１は、内蔵または外付けのＲＯＭ（図示せず）に格納されたプログラムに従って動作し、中継基板７７を介して入力される主基板３１からの取込信号（演出制御ＩＮＴ信号）に応じて、入力ドライバ１０２および入力ポート１０３を介して演出制御コマンドを受信する。また、演出制御用ＣＰＵ１０１は、演出制御コマンドに基づいて、ＶＤＰ（ビデオディスプレイプロセッサ）１０９に演出表示装置９の表示制御を行なわせる。
【００６７】
この実施の形態では、演出制御用マイクロコンピュータ１００と共動して演出表示装置９の表示制御を行なうＶＤＰ１０９が演出制御基板８０に搭載されている。ＶＤＰ１０９は、演出制御用マイクロコンピュータ１００とは独立したアドレス空間を有し、そこにＶＲＡＭをマッピングする。ＶＲＡＭは、画像データを展開するためのバッファメモリである。そして、ＶＤＰ１０９は、ＶＲＡＭ内の画像データをフレームメモリを介して演出表示装置９に出力する。
【００６８】
演出制御用ＣＰＵ１０１は、受信した演出制御コマンドに従ってＣＧＲＯＭ（図示せず）から必要なデータを読み出すための指令をＶＤＰ１０９に出力する。ＣＧＲＯＭは、演出表示装置９に表示されるキャラクタ画像データや動画像データ、具体的には、人物、文字、図形や記号等（演出図柄を含む）、および背景画像のデータをあらかじめ格納しておくためのＲＯＭである。ＶＤＰ１０９は、演出制御用ＣＰＵ１０１の指令に応じて、ＣＧＲＯＭから画像データを読み出す。そして、ＶＤＰ１０９は、読み出した画像データに基づいて表示制御を実行する。
【００６９】
さらに、演出制御用ＣＰＵ１０１は、出力ポート１０５を介してランプドライバ基板３５に対してランプを駆動する信号を出力する。また、演出制御用ＣＰＵ１０１は、出力ポート１０４を介して音声出力基板７０に対して音番号データを出力する。
【００７０】
ランプドライバ基板３５において、ランプを駆動する信号は、入力ドライバ３５１を介してランプドライバ３５２に入力される。ランプドライバ３５２は、ランプを駆動する信号に基づいて天枠ランプ２８ａ、左枠ランプ２８ｂおよび右枠ランプ２８ｃなどの枠側に設けられている発光体に電流を供給する。また、遊技盤側に設けられている装飾ランプ２５に電流を供給する。
【００７１】
音声出力基板７０において、音番号データは、入力ドライバ７０２を介して音声合成用ＩＣ７０３に入力される。音声合成用ＩＣ７０３は、音番号データに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７に出力する。音声データＲＯＭ７０４には、音番号データに応じた制御データが格納されている。音番号データに応じた制御データは、所定期間（たとえば演出図柄の変動期間）における効果音または音声の出力態様を時系列的に示すデータの集まりである。
【００７２】
図９は、遊技制御手段における出力ポートの割り当ての例を示す説明図である。図９に示すように、出力ポート０からは、払出制御基板３７に送信される払出制御信号（本例では、接続信号）が出力される。また、大入賞口を開閉する可変入賞球装置２０を開閉するためのソレノイド（大入賞口扉ソレノイド）２１、および可変入賞球装置１５を開閉するためのソレノイド（普通電動役物ソレノイド）１６に対する駆動信号も、出力ポート０から出力される。また、出力ポート０から、ターミナル基板１６０を介して外部装置（たとえば、ホールコンピュータ）に対して出力される信号のうち高確中信号も出力される。
【００７３】
なお、図９に示された「論理」（たとえば１がオン状態）と逆の論理（たとえば０がオン状態）を用いてもよいが、特に、接続信号については、主基板３１と払出制御基板３７との間の信号線において断線が生じた場合やケーブル外れの場合（ケーブル未接続を含む）等に、払出制御用マイクロコンピュータ３７０では必ずオフ状態と検知されるように「論理」が定められる。具体的には、一般に、断線やケーブル外れが生ずると信号の受信側ではハイレベルが検知されるので、主基板３１と払出制御基板３７との間の信号線でのハイレベルが、遊技制御手段における出力ポートにおいてオフ状態になるように「論理」が定められる。従って、必要であれば、主基板３１において出力ポートの外側に、信号を論理反転させる出力バッファ回路が設置される。
【００７４】
そして、出力ポート１から、ターミナル基板１６０を介して、外部装置（たとえば、ホールコンピュータ）に対して、各種情報出力用信号すなわち制御に関わる情報（たとえば、図柄確定回数１信号、始動口信号、大当り１信号、大当り２信号、大当り３信号、時短信号、入賞信号、セキュリティ信号）の出力データが出力される。ただし、既に説明したように、外部出力される信号のうち高確中信号については、出力ポート０から出力される。なお、この実施の形態では、後述する賞球情報（賞球払出を１０個検出するごとに出力される信号）も、ターミナル基板１６０を介して外部装置に出力される。この場合、払出制御基板３７側において、賞球払出が検出され、賞球情報が主基板３１に入力される。そして、主基板３１に入力された賞球情報は、遊技制御用マイクロコンピュータ５６０を経由することなく、主基板３１上をそのまま経由してターミナル基板１６０を介して外部出力される。なお、主基板３１に入力された賞球情報は、遊技制御用マイクロコンピュータ５６０を一旦経由してから、ターミナル基板１６０を介して外部出力されるようにしてもよい。
【００７５】
なお、ターミナル基板１６０を介して外部出力される信号は、この実施の形態で示したものに限られない。たとえば、遊技枠が開放状態であることを示すドア開放信号や、後述する賞球信号１（賞球払出を１個検出するごとに出力される信号）、遊技機で各種の異常（図４７参照）が検出されたことを示す異常状態信号も、ターミナル基板１６０を介して外部装置に出力されるようにしてもよい。この場合、払出制御基板３７側において、遊技枠が開放状態であることや、賞球払出、遊技機の異常状態も検出され、ドア開放信号や賞球信号１、遊技機異常状態信号が主基板３１に入力される。そして、主基板３１に入力されたドア開放信号や賞球信号１、遊技機異常状態信号は、遊技制御用マイクロコンピュータ５６０を経由することなく、主基板３１上をそのまま経由してターミナル基板１６０を介して外部出力される。なお、この場合も、主基板３１に入力されたドア開放信号や賞球信号１、遊技機異常状態信号は、遊技制御用マイクロコンピュータ５６０を一旦経由してから、ターミナル基板１６０を介して外部出力されるようにしてもよい。
【００７６】
また、たとえば、特別図柄表示装置を２つ備えるように遊技機を構成する場合、特別図柄の変動回数を通知するための図柄確定回数信号として図柄確定回数１信号に加えて図柄確定回数２信号も、ターミナル基板１６０を介して外部出力するようにしてもよい。この場合、たとえば、いずれか一方の特別図柄の変動回数のみを通知するための信号として図柄確定回数２信号を外部出力するようにし、両方の特別図柄の変動回数を通知するための信号として図柄確定回数１信号を外部出力するように構成すればよい。そのように構成すれば、ホールコンピュータなどの外部装置側において、いずれか一方の特別図柄のみの変動回数に加えて、両方の特別図柄の合計の変動回数も把握することができる。
【００７７】
図１０は、遊技制御手段における入力ポートのビット割り当ての例を示す説明図である。図１０に示すように、入力ポート０のビット０，２〜７には、それぞれ、カウントスイッチ２３の検出信号、入賞口スイッチ２９ａ，３０ａの検出信号、入賞確認１スイッチ１４ｂ、入賞確認２スイッチ２３ｂ、入賞確認３スイッチ２９ｂ、および入賞確認４スイッチ３０ｂの検出信号が入力される。また、入力ポート１のビット４〜７には、それぞれ、電波センサ信号、磁石センサ信号、ドア開放信号、賞球情報が入力される。また、入力ポート２のビット０，２〜４には、それぞれ、始動口スイッチ１４ａの検出信号、ゲートスイッチ３２ａの検出信号、電源基板９１０からのクリアスイッチの検出信号および電源断信号が入力される。
【００７８】
図１１は、ターミナル基板１６０の内部構成を示す回路図である。図１１に示すターミナル基板１６０において、左側上段のコネクタＣＮ−１，ＣＮ−２は、主基板３１からの信号を伝達するケーブルを接続するためのコネクタであり、左側下段のコネクタＣＮ−３は、払出制御基板３７からの信号を、主基板３１を経由して伝達するケーブルを接続するためのコネクタである。また、右側のコネクタＣＮ１〜ＣＮ１０は、ホールコンピュータなど外部装置に対して信号を伝達するケーブルを接続するためのコネクタである。また、ターミナル基板１６０には、ドライバ回路としての半導体リレー（ＰｈｏｔｏＭＯＳリレー）ＰＣ１〜ＰＣ１０が搭載されている。
【００７９】
主基板３１からのケーブルがコネクタＣＮ−１，ＣＮ−２に接続されることにより、主基板３１（遊技制御用マイクロコンピュータ５６０）から各種信号がターミナル基板１６０に入力される。具体的には、コネクタＣＮ−１の端子「２」に図柄確定回数１信号が入力され、コネクタＣＮ−１の端子「３」に始動口信号が入力され、コネクタＣＮ−１の端子「４」に大当り１信号が入力され、コネクタＣＮ−１の端子「５」に大当り２信号が入力され、コネクタＣＮ−１の端子「６」に大当り３信号が入力され、コネクタＣＮ−１の端子「７」に時短信号が入力され、コネクタＣＮ−１の端子「８」に入賞信号が入力され、コネクタＣＮ−１の端子「９」にセキュリティ信号が入力され、コネクタＣＮ−２の端子「９」に高確中信号が入力される。
【００８０】
また、払出制御基板３７からのケーブルが主基板３１を経由してコネクタＣＮ−３に接続されることにより、払出制御基板３７（払出制御用マイクロコンピュータ３７０）からの信号がターミナル基板１６０に入力される。具体的には、コネクタＣＮ−３の端子「９」に賞球情報が入力される。
【００８１】
図１１に示すように、ターミナル基板１６０では、コネクタＣＮ−１、コネクタＣＮ−２およびコネクタＣＮ−３の端子「１」に基準電位の信号線が接続され、その信号線が分岐して、各々の半導体リレーＰＣ１〜ＰＣ１０の入力端子「１」に接続されている。また、コネクタＣＮ−１の端子「２」〜「９」、コネクタＣＮ−２のコネクタ「９」、およびコネクタＣＮ−３のコネクタ「９」に接続された信号線は、それぞれ、１ＫΩの抵抗Ｒ１〜Ｒ１０を介して半導体リレーＰＣ１〜ＰＣ１０の入力端子「２」に接続されている。また、半導体リレーＰＣ１〜ＰＣ１０の出力端子「４」に接続された信号線は、それぞれ、コネクタＣＮ１〜ＣＮ１０の端子「１」に接続されている。また、半導体リレーＰＣ１〜ＰＣ１０の出力端子「３」に接続された信号線は、それぞれ、コネクタＣＮ１〜ＣＮ１０の端子「２」に接続されている。
【００８２】
半導体リレーＰＣ１〜ＰＣ１０では、入力端子に信号電流が流れると、入力側の発光素子（ＬＥＤ）が発光する。発光された光は、ＬＥＤと対向に設けられた光電素子（太陽電池）に透明シリコンを通って照射される。光を受けた光電素子は、光の量に応じて電圧に交換し、この電圧は制御回路を通って出力部のＭＯＳＦＥＴゲートを充電する。光電素子より供給されるＭＯＳＦＥＴゲート電圧が設定電圧値に達すると、ＭＯＳＦＥＴが導通状態になり、負荷をオンさせる。入力端子の信号電流が切れると、発光素子（ＬＥＤ）の発光が止まる。ＬＥＤの発光が止まると、光電素子の電圧が下がり、光電素子から供給される電圧が下がると制御回路により、ＭＯＳＦＥＴのゲート負荷を急速に放電させる。この制御回路によりＭＯＳＦＥＴが非導通状態になり、負荷をオフさせる。
【００８３】
以上のような半導体リレーＰＣ１〜ＰＣ１０の動作により、入力側のコネクタＣＮ−１、コネクタＣＮ−２およびコネクタＣＮ−３から入力された信号が出力側のコネクタＣＮ１〜ＣＮ１０に伝達され、ホールコンピュータなど外部装置に対して出力される。具体的には、コネクタＣＮ１から図柄確定回数１信号が出力され、コネクタＣＮ２から始動口信号が出力され、コネクタＣＮ３から大当り１信号が出力され、コネクタＣＮ４から大当り２信号が出力され、コネクタＣＮ５から大当り３信号が出力され、コネクタＣＮ６から時短信号が出力され、コネクタＣＮ７から入賞信号が出力され、コネクタＣＮ８からセキュリティ信号が出力され、コネクタＣＮ９から高確中信号が出力され、コネクタＣＮ１０から賞球情報が出力される。なお、ターミナル基板１６０における各外部出力信号に対するコネクタの割り当ては、この実施の形態で示したものに限られない。たとえば、セキュリティ信号については、ターミナル基板１６０に設けられた一番端のコネクタ（たとえば、コネクタＣＮ１０）から出力されるようにしてもよい。
【００８４】
なお、コネクタＣＮ７から出力される入賞信号は、所定数分（この実施の形態では、１０個分）の賞球を払い出すための所定の払出条件が成立したこと（始動入賞口１４、大入賞口、普通入賞口２９，３０への入賞が発生したこと。賞球の払出までは行なわれていない。具体的には、近接スイッチ（入賞口スイッチ２９ａ，３０ａ、カウントスイッチ２３、始動口スイッチ１４ａ）からの検出信号とフォトセンサ（入賞確認スイッチ２９ｂ，３０ｂ，２３ｂ，１４ｂ）からの検出信号との両方を入力したことを条件として、所定の払出条件が成立したと判定されたこと。）を示す信号である。入賞信号を確認することによって、払い出される賞球数の予定数を、ホールコンピュータなどの外部装置側で認識できるようにすることができる。
【００８５】
また、コネクタＣＮ１０から出力される賞球情報は、特定数（この実施の形態では、１０個）の賞球が払い出されたこと（球払出装置９７が駆動されて実際に賞球が払い出されたこと）を示す信号である。賞球情報を確認することによって、実際に払い出された賞球数を、ホールコンピュータなどの外部装置側で認識できるようにすることができる。また、入賞信号で示される賞球の予定数と賞球情報で示される払出済みの賞球数とを確認することによって、賞球払出が正常に行なわれたか否かや賞球過不足数を、ホールコンピュータなどの外部装置側で認識できるようにすることができる。
【００８６】
また、コネクタＣＮ８から出力されるセキュリティ信号は、遊技機のセキュリティ状態を示す信号である。具体的には、後述するように、始動口スイッチ１４ａの検出結果と入賞確認スイッチ１４ｂの検出結果とに基づいて、始動入賞口１４への排出異常が発生したと判定された場合に、セキュリティ信号がホールコンピュータなどの外部装置に出力される。また、カウントスイッチ２３の検出結果と入賞確認スイッチ２３ｂの検出結果とに基づいて、大入賞口への排出異常が発生したと判定された場合に、セキュリティ信号がホールコンピュータなどの外部装置に出力される。そのように構成することによって、電波などを用いて始動入賞口１４や大入賞口への入賞数が実際の入賞数よりも多くなるように認識させるような不正行為が行なわれたことを、ホールコンピュータなどの外部装置側で認識できるようにすることができる。
【００８７】
この実施の形態では、排出異常の発生に基づきセキュリティ信号を外部出力する場合には、遊技機への電源が再投入され初期化処理が実行されるまで、この排出異常の発生に基づくセキュリティ信号の外部出力が継続される。なお、後述するように、初期化処理が行なわれた場合にはセキュリティ信号が所定期間（たとえば、３０秒間）外部出力されるので、より正確には、遊技機への電源が再投入され初期化処理が実行されたときに、内部的には排出異常の発生に基づくセキュリティ信号の外部出力を終了し、初期化処理に基づくセキュリティ信号の外部出力が開始され、所定期間（たとえば、３０秒間）を経過するまでセキュリティ信号の出力が継続される。従って、見た目上は、排出異常の発生に基づきセキュリティ信号の外部出力が開始された場合には、遊技機への電源が再投入され初期化処理が実行された後、所定期間（たとえば、３０秒間）を経過したときにセキュリティ信号の外部出力が終了する。
【００８８】
また、この実施の形態では、可変入賞球装置１５が開状態でないときに始動入賞口１４への遊技球の入賞を検出した場合や、大当り遊技中でないときに大入賞口への遊技球の入賞を検出した場合に異常入賞が発生したと判定され、この異常入賞が検出された場合にも、セキュリティ信号が所定期間（たとえば、３０秒間）ホールコンピュータなどの外部装置に出力される。そのように構成することによって、可変入賞球装置１５や大入賞口に対する不正行為によって異常入賞が生じたことを報知することができ、その結果、可変入賞球装置１５や大入賞口に対する不正行為を確実に防止することができる。
【００８９】
また、この実施の形態では、遊技機への電源投入が行なわれて初期化処理が実行された場合にも、セキュリティ信号が所定期間（たとえば、３０秒間）ホールコンピュータなどの外部装置に出力される。そのように構成することによって、不自然なタイミングで（たとえば、遊技店の開店時に全ての遊技機の電源リセット作業を終えた後であるにもかかわらず）初期化処理が実行されたことを認識可能とすることによって、不正に遊技機を電源リセットさせて電源リセットのタイミングで大当りを狙うような不正行為が行なわれた可能性を、ホールコンピュータなどの外部装置側で認識できるようにすることができる。
【００９０】
なお、この実施の形態では、上記のように、排出異常が検出された場合と、異常入賞が検出された場合と、初期化処理（たとえば、遊技機への電源投入時に、クリアスイッチによる操作が行なわれたことに基づいてＲＡＭ５５の記憶内容をクリアするなどの処理）が実行された場合とで、共通のセキュリティ信号をターミナル基板１６０の共通のコネクタＣＮ８から外部出力している。これは、初期化処理が実行されるのは、通常、遊技店の開店時に遊技機の電源リセット作業を行なう場合のみであることから、１日のうち１回程度しか出力されない信号のためにターミナル基板１６０上に専用のコネクタや半導体リレーを設けることは効率的ではなく無駄が多い。また、排出異常や異常入賞も何らかの不正行為が行なわれない限り発生しないのであるから、排出異常や異常入賞のために専用のコネクタや半導体リレーを個別に設けることも効率的ではなく無駄が多い。そこで、この実施の形態では、排出異常が検出された場合と、異常入賞が検出された場合と、初期化処理が実行された場合とで、共通のコネクタＣＮ８からセキュリティ信号を出力するように構成することによって、外部出力用の信号線や回路素子の無駄を低減している。すなわち、ホールコンピュータなどの外部装置に情報を出力するための機構の部品数の増加や配線作業の複雑化を防ぐことができる。
【００９１】
なお、セキュリティ信号として共通のコネクタから外部出力される信号は、この実施の形態で示したものに限られない。たとえば、始動入賞口１４や大入賞口への排出異常に限らず、普通入賞口２９，３０への排出異常も検出して、ターミナル基板１６０の共通のコネクタＣＮ８からセキュリティ信号として外部出力可能なように構成してもよい。この場合、たとえば、普通入賞口２９，３０についても、始動入賞口１４や大入賞口と同様に、遊技球の入賞を検出するためのスイッチとして検出方式の異なる２種類のスイッチ（近接スイッチとフォトセンサ）を用いて、始動入賞口１４や大入賞口と同様の判定方法に従って、排出異常の有無を判定するようにすればよい。また、たとえば、始動入賞口１４と大入賞口とのいずれか一方の排出異常のみを検出して、セキュリティ信号を外部出力するように構成してもよい。
【００９２】
また、たとえば、この実施の形態では、始動入賞口１４および大入賞口の両方の異常入賞を検出してセキュリティ信号を外部出力可能に構成しているが、始動入賞口１４と大入賞口とのいずれか一方の異常入賞のみを検出して、セキュリティ信号を外部出力するように構成してもよい。
【００９３】
また、たとえば、遊技機に設けられた磁石センサ４３で異常磁気を検出した場合や、遊技機に設けられた電波センサ４２で異常電波を検出した場合に、ターミナル基板１６０の共通のコネクタＣＮ８からセキュリティ信号として外部出力可能なように構成してもよい。また、たとえば、遊技機に設けられた各種スイッチの異常を検出した場合（たとえば、入力値が閾値を超えたと判定したことにより、短絡などの発生を検出した場合）に、ターミナル基板１６０の共通のコネクタＣＮ８からセキュリティ信号として外部出力可能なように構成してもよい。
【００９４】
上記のように、普通入賞口２９，３０への排出異常や磁気異常、電波異常についてもターミナル基板１６０の共通のコネクタＣＮ８からセキュリティ信号として外部出力可能なように構成すれば、１本の信号線さえ接続すればホールコンピュータなど外部装置で異常検出を行なえるようにすることができ、異常検出に関する作業負担を軽減することができる。
【００９５】
また、たとえば、遊技制御用マイクロコンピュータ５６０と払出制御用マイクロコンピュータ３７０との間の通信異常を検出した場合にも、ターミナル基板１６０の共通のコネクタＣＮ８からセキュリティ信号として外部出力可能なように構成してもよい。本実施の形態では、たとえば、遊技制御用マイクロコンピュータ５６０は、払出制御用マイクロコンピュータ３７０から払出制御コマンドを受信できなかったことに基づいて通信異常が発生したと判定する。このとき、ターミナル基板１６０の共通のコネクタＣＮ８からセキュリティ信号として外部出力してもよい。また、たとえば、遊技制御用マイクロコンピュータ５６０は、シリアル通信回路５１１のステータスレジスタ（図示せず）のいずれかのエラービットの値がセットされていることに基づいて通信異常が発生したと判定し、ターミナル基板１６０の共通のコネクタＣＮ８からセキュリティ信号として外部出力してもよい。
【００９６】
なお、セキュリティ信号用の信号線およびコネクタＣＮ８とは別に、遊技制御用マイクロコンピュータ５６０と払出制御用マイクロコンピュータ３７０との間の通信異常専用の信号線およびコネクタをターミナル基板１６０に設けてもよい。そして、遊技制御用マイクロコンピュータ５６０と払出制御用マイクロコンピュータ３７０との間の通信異常を検出した場合には、セキュリティ信号とは別の信号として、ターミナル基板１６０を経由してホールコンピュータなどの外部装置に出力するようにしてもよい。
【００９７】
また、セキュリティ信号出力用の信号線とは別に、初期化処理実行の検出や、始動入賞口１４の排出異常の検出、大入賞口の排出異常の検出、始動入賞口１４への異常入賞の検出、大入賞口への異常入賞の検出、磁気異常の検出、電波異常の検出、通信異常の検出について、それぞれ別々の信号線を設けるようにし、ターミナル基板１６０から、セキュリティ信号とともに、それぞれの異常に対応した外部出力信号も、ホールコンピュータなどの外部装置に出力するようにしてもよい。そのように構成すれば、セキュリティ信号を確認することによって何らかの異常が発生していることを認識できるとともに、さらに異常の種類ごとに出力される信号を確認することによって遊技店側で異常の種類を確認することができる。従って、遊技店側から異常の種類の確認まで要求されているような場合には、セキュリティ信号とは別に異常種類ごとの外部出力信号を設けることによって、より遊技店のニーズに応えた外部出力を行なえるようにすることができる。一方で、何らかの異常が発生していることの確認のみを要求しているような遊技店の場合には、外部出力される信号のうち、セキュリティ信号のみをホールコンピュータなどの外部装置に接続して確認するようにすればよい。
【００９８】
上記のように、半導体リレーＰＣ１〜ＰＣ１０をターミナル基板１６０に設けたことにより、外部から遊技機内部への信号入力を防止することができ、その結果、不正行為を確実に防止することができる。なお、上記の例では、ターミナル基板１６０に半導体リレーＰＣ１〜ＰＣ１０を設けていたが、半導体リレーＰＣ１〜ＰＣ１０ではなく、機械式のリレー等の他のリレー素子であってもよい。
【００９９】
次に遊技機の動作について説明する。図１２は、遊技機に対して電力供給が開始され遊技制御用マイクロコンピュータ５６０へのリセット信号がハイレベルになったことに応じて遊技制御用マイクロコンピュータ５６０のＣＰＵ５６が実行するメイン処理を示すフローチャートである。リセット信号が入力されるリセット端子の入力レベルがハイレベルになると、遊技制御用マイクロコンピュータ５６０のＣＰＵ５６は、ＲＯＭ５４に記憶されているセキュリティチェックプログラム５４Ａに従って、プログラムの内容が正当か否かを確認するための処理であるセキュリティチェック処理を実行した後、Ｓ１以降のメイン処理を開始する。メイン処理において、ＣＰＵ５６は、まず、必要な初期設定を行なう。
【０１００】
初期設定処理において、ＣＰＵ５６は、まず、割込禁止に設定する（Ｓ１）。次に、マスク可能割込の割込モードを設定し（Ｓ２）、スタックポインタにスタックポインタ指定アドレスを設定する（Ｓ３）。なお、Ｓ２では、遊技制御用マイクロコンピュータ５６０の特定レジスタ（Ｉレジスタ）の値（１バイト）と内蔵デバイスが出力する割込ベクタ（１バイト：最下位ビット０）から合成されるアドレスが、割込番地を示すモードに設定する。また、マスク可能な割込が発生すると、ＣＰＵ５６は、自動的に割込禁止状態に設定するとともに、プログラムカウンタの内容をスタックにセーブする。
【０１０１】
次いで、ＣＰＵ５６は、払出制御用マイクロコンピュータ３７０に対して、接続信号の出力を開始する（Ｓ４）。なお、ＣＰＵ５６は、Ｓ４で接続信号の出力を開始すると、遊技機の電源供給が停止したり、何らかの通信異常が生じて出力不能とならない限り、払出制御用マイクロコンピュータ３７０に対して接続信号を継続して出力する。
【０１０２】
次いで、内蔵デバイスレジスタの設定（初期化）を行なう（Ｓ５）。Ｓ５の処理によって、内蔵デバイス（内蔵周辺回路）であるＣＴＣ（カウンタ／タイマ）およびＰＩＯ（パラレル入出力ポート）の設定（初期化）がなされる。
【０１０３】
この実施の形態で用いられる遊技制御用マイクロコンピュータ５６０は、Ｉ／Ｏポート（ＰＩＯ）およびタイマ／カウンタ回路（ＣＴＣ）５０４も内蔵している。
【０１０４】
次いで、ＣＰＵ５６は、ＲＡＭ５５をアクセス可能状態に設定し（Ｓ６）、クリア信号のチェック処理に移行する。
【０１０５】
なお、遊技の進行を制御する遊技装置制御処理（遊技制御処理）の開始タイミングをソフトウェアで遅らせるためのソフトウェア遅延処理を実行するようにしてもよい。そのようなソフトウェア遅延処理によって、ソフトウェア遅延処理を実行しない場合に比べて、遊技制御処理の開始タイミングを遅延させることができる。遅延処理を実行したときには、他の制御基板（たとえば、払出制御基板３７）に対して、遊技制御基板（主基板３１）が送信するコマンドを他の制御基板のマイクロコンピュータが受信できないという状況が発生することを防止できる。
【０１０６】
次いで、ＣＰＵ５６は、クリアスイッチがオンされているか否か確認する（Ｓ７）。なお、ＣＰＵ５６は、入力ポート０を介して１回だけクリア信号の状態を確認するようにしてもよいが、複数回クリア信号の状態を確認するようにしてもよい。たとえば、クリア信号の状態がオフ状態であることを確認したら、所定時間（たとえば、０．１秒）の遅延時間をおいた後、クリア信号の状態を再確認する。そのときにクリア信号の状態がオン状態であることを確認したら、クリア信号がオン状態になっていると判定する。また、このときにクリア信号の状態がオフ状態であることを確認したら、所定時間の遅延時間をおいた後、再度、クリア信号の状態を再確認するようにしてもよい。ここで、再確認の回数は、１回または２回に限られず、３回以上であってもよい。また、２回チェックして、チェック結果が一致していなかったときにもう一度確認するようにしてもよい。
【０１０７】
Ｓ７でクリアスイッチがオンでない場合には、遊技機への電力供給が停止したときにバックアップＲＡＭ領域のデータ保護処理（たとえばパリティデータの付加等の電力供給停止時処理）が行なわれたか否か確認する（Ｓ８）。この実施の形態では、電力供給の停止が生じた場合には、バックアップＲＡＭ領域のデータを保護するための処理が行なわれている。そのような電力供給停止時処理が行なわれていたことを確認した場合には、ＣＰＵ５６は、電力供給停止時処理が行なわれた、すなわち電力供給停止時の制御状態が保存されていると判定する。電力供給停止時処理が行なわれていないことを確認した場合には、ＣＰＵ５６は初期化処理を実行する。
【０１０８】
電力供給停止時処理が行なわれていたか否かは、電力供給停止時処理においてバックアップＲＡＭ領域に保存されるバックアップ監視タイマの値が、電力供給停止時処理を実行したことに応じた値（たとえば２）になっているか否かによって確認される。なお、そのような確認の仕方は一例であって、たとえば、電力供給停止時処理においてバックアップフラグ領域に電力供給停止時処理を実行したことを示すフラグをセットし、Ｓ８において、そのフラグがセットされていることを確認したら電力供給停止時処理が行なわれたと判定してもよい。
【０１０９】
電力供給停止時の制御状態が保存されていると判定したら、ＣＰＵ５６は、バックアップＲＡＭ領域のデータチェック（この例ではパリティチェック）を行なう（Ｓ９）。この実施の形態では、クリアデータ（００）をチェックサムデータエリアにセットし、チェックサム算出開始アドレスをポインタにセットする。また、チェックサムの対象になるデータ数に対応するチェックサム算出回数をセットする。そして、チェックサムデータエリアの内容とポインタが指すＲＡＭ領域の内容との排他的論理和を演算する。演算結果をチェックサムデータエリアにストアするとともに、ポインタの値を１増やし、チェックサム算出回数の値を１減算する。以上の処理が、チェックサム算出回数の値が０になるまで繰り返される。チェックサム算出回数の値が０になったら、ＣＰＵ５６は、チェックサムデータエリアの内容の各ビットの値を反転し、反転後のデータをチェックサムにする。
【０１１０】
電力供給停止時処理において、上記の処理と同様の処理によってチェックサムが算出され、チェックサムはバックアップＲＡＭ領域に保存されている。Ｓ９では、算出したチェックサムと保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっている可能性があることを意味する。そのような場合には、内部状態を電力供給停止時の状態に戻すことができないので、電力供給の停止からの復旧時でない電源投入時に実行される初期化処理（Ｓ１０〜Ｓ１４の処理）を実行する。
【０１１１】
チェック結果が正常であれば、ＣＰＵ５６は、バックアップ電源されたＲＡＭ５５が記憶するデータを用いて遊技を再開するためのホットスタート処理を行なう（Ｓ９１）。また、ＣＰＵ５６は、ＲＯＭ５４に格納されているバックアップ時コマンド送信テーブルの先頭アドレスをポインタに設定し（Ｓ９２）、Ｓ１５に移行する。なお、Ｓ９２で設定された後、後述するＳ１５ａのシリアル通信回路設定処理が行なわれてからバックアップコマンドが送信されることになる。
【０１１２】
初期化処理では、ＣＰＵ５６は、まず、ＲＡＭクリア処理を行なう（Ｓ１０）。なお、ＲＡＭ５５の全領域を初期化せず、所定のデータをそのままにしてもよい。また、ＲＯＭ５４に格納されている初期化時設定テーブルの先頭アドレスをポインタに設定し（Ｓ１１）、初期化時設定テーブルの内容を順次業領域に設定する（Ｓ１２）。
【０１１３】
Ｓ１１およびＳ１２の処理によって、たとえば、普通図柄判定用乱数カウンタ、普通図柄判定用バッファ、特別図柄バッファ、特別図柄プロセスフラグ、賞球中フラグ、球切れフラグ、排出異常フラグなど制御状態に応じて選択的に処理を行なうためのフラグに初期値が設定される。また、後述する各外部出力信号を出力するために用いる各タイマ（始動口情報記憶タイマや、入賞情報記憶タイマ、セキュリティ信号情報タイマなど）にも初期値（クリアデータ）が設定される。
【０１１４】
また、ＣＰＵ５６は、ＲＯＭ５４に格納されている初期化時コマンド送信テーブルの先頭アドレスをポインタに設定し（Ｓ１３）、その内容に従ってサブ基板を初期化するための初期化コマンドをサブ基板に送信する処理を実行する（Ｓ１４）。初期化コマンドとして、演出表示装置９に表示される初期図柄を示すコマンドや払出制御基板３７への初期化コマンド等を使用することができる。なお、Ｓ１３で設定された後、後述するＳ１５ａのシリアル通信回路設定処理が行なわれてから初期化コマンドが送信されることになる。
【０１１５】
また、ＣＰＵ５６は、セキュリティ信号情報タイマに所定時間（本例では、３０秒）をセットする（Ｓ１４ａ）。セキュリティ信号情報タイマは、ターミナル基板１６０から出力するセキュリティ信号のオン時間を計測するためのタイマである。この実施の形態では、Ｓ１４ａでセキュリティ信号情報タイマに所定時間がセットされたことに基づいて、後述する情報出力処理（Ｓ３１参照）が実行されることによって、遊技機の電源投入時に初期化処理が実行されたときに、セキュリティ信号が所定時間（本例では、３０秒）外部出力される。
【０１１６】
また、ＣＰＵ５６は、乱数回路５０９を初期設定する乱数回路設定処理を実行する（Ｓ１５）。この場合、ＣＰＵ５６は、あらかじめＲＯＭ５４に格納されている乱数回路設定プログラムに従って処理を実行することによって、乱数回路５０９にランダムＲの値を更新させるための設定を行なう。
【０１１７】
また、ＣＰＵ５６は、シリアル通信回路５１１を初期設定するシリアル通信回路設定処理を実行する（Ｓ１５ａ）。この場合、ＣＰＵ５６は、シリアル通信回路設定プログラムに従ってＲＯＭ５４の所定領域に格納されているデータをシリアル通信回路５１１に設定することによって、シリアル通信回路５１１に払出制御用マイクロコンピュータとシリアル通信させるための設定を行なう。
【０１１８】
シリアル通信回路５１１を初期設定すると、ＣＰＵ５６は、シリアル通信回路５１１の割り込み要求に応じて実行する割込処理の優先順位を初期設定する（Ｓ１５ｂ）。この場合、ＣＰＵ５６は、割込優先順位設定プログラム５５７に従って処理を実行することによって、割込処理の優先順位を初期設定する。
【０１１９】
たとえば、ＣＰＵ５６は、各割込処理のデフォルトの優先順位を含む所定の割込処理優先順位テーブルに従って、各割込処理の優先順位を初期設定する。この実施の形態では、ＣＰＵ５６は、割込処理優先順位テーブルに従って、シリアル通信回路５１１において通信異常が発生したことを割込原因とする割込処理を優先して実行するように初期設定する。この場合、たとえば、ＣＰＵ５６は、通信異常が発生したことを割込原因とする割込処理を優先して実行する旨を示す通信異常時割込優先実行フラグをセットする。
【０１２０】
なお、この実施の形態では、タイマ割込とシリアル通信回路５１１からの割り込み要求とが同時に発生した場合、ＣＰＵ５６は、タイマ割込による割込処理を優先して行なう。
【０１２１】
また、ユーザによって各割込処理のデフォルトの優先順位を変更することもできる。たとえば、遊技制御用マイクロコンピュータ５６０は、ユーザ（たとえば、遊技機の製作者）によって設定された割込処理を指定する指定情報を、あらかじめＲＯＭ５４の所定の記憶領域に記憶している。そして、ＣＰＵ５６は、ＲＯＭ５４の所定の記憶領域に記憶された指定情報に従って、割込処理の優先順位を設定する。
【０１２２】
なお、Ｓ１５〜Ｓ１５ｂだけでなく、乱数回路５０９やシリアル通信回路５１１の設定処理の一部は、Ｓ５の処理においても実行される。たとえば、Ｓ５において、内蔵デバイスレジスタとして、シリアル通信回路５１１のボーレートレジスタや通信設定レジスタ、割込制御レジスタ、ステータスレジスタに、初期値を設定する処理が実行される。
【０１２３】
そして、ＣＰＵ５６は、所定時間（たとえば４ｍｓ）ごとに定期的にタイマ割込がかかるように遊技制御用マイクロコンピュータ５６０に内蔵されているＣＴＣのレジスタの設定を行なうタイマ割込設定処理を実行する（Ｓ１６）。すなわち、初期値としてたとえば４ｍｓに相当する値が所定のレジスタ（時間定数レジスタ）に設定される。この実施の形態では、４ｍｓごとに定期的にタイマ割込がかかるとする。
【０１２４】
タイマ割込の設定が完了すると、ＣＰＵ５６は、まず、割込禁止状態にして（Ｓ１７）、初期値用乱数更新処理（Ｓ１８ａ）と表示用乱数更新処理（Ｓ１８ｂ）を実行して、再び割込許可状態にする（Ｓ１９）。すなわち、ＣＰＵ５６は、初期値用乱数更新処理および表示用乱数更新処理が実行されるときには割込禁止状態にして、初期値用乱数更新処理および表示用乱数更新処理の実行が終了すると割込許可状態にする。
【０１２５】
なお、初期値用乱数更新処理とは、初期値用乱数を発生するためのカウンタのカウント値を更新する処理である。初期値用乱数とは、大当りの種類を決定するための判定用乱数（たとえば、大当りを発生させる特別図柄を決定するための大当り図柄決定用乱数や、遊技状態を確変状態に移行させるかを決定するための確変決定用乱数、普通図柄に基づく当りを発生させるか否かを決定するための普通図柄当たり判定用乱数）を発生するためのカウンタ（判定用乱数発生カウンタ）等のカウント値の初期値を決定するための乱数である。後述する遊技制御処理（遊技制御用マイクロコンピュータが、遊技機に設けられている演出表示装置９、可変入賞球装置１５、球払出装置９７等の遊技用の装置を、自身で制御する処理、または他のマイクロコンピュータに制御させるために指令信号を送信する処理、遊技装置制御処理ともいう）において、判定用乱数発生カウンタのカウント値が１周すると、そのカウンタに初期値が設定される。
【０１２６】
また、表示用乱数とは、特別図柄表示器８の表示を決定するための乱数である。この実施の形態では、表示用乱数として、特別図柄の変動パターンを決定するための変動パターン決定用乱数や、大当りを発生させない場合にリーチとするか否かを決定するためのリーチ判定用乱数が用いられる。また、表示用乱数更新処理とは、表示用乱数を発生するためのカウンタのカウント値を更新する処理である。
【０１２７】
また、表示用乱数更新処理が実行されるときに割込禁止状態にされるのは、表示用乱数更新処理および初期値用乱数更新処理が後述するタイマ割込処理でも実行される（すなわち、タイマ割込処理のＳ２６，Ｓ２７でも同じ処理が実行される）ことから、タイマ割込処理における処理と競合してしまうのを避けるためである。すなわち、Ｓ１８ａ，Ｓ１８ｂの処理中にタイマ割込が発生してタイマ割込処理中で初期値用乱数や表示用乱数を発生するためのカウンタのカウント値を更新してしまったのでは、カウント値の連続性が損なわれる場合がある。しかし、Ｓ１８ａ，Ｓ１８ｂの処理中では割込禁止状態にしておけば、そのような不都合が生ずることはない。
【０１２８】
Ｓ１９で割込許可状態に設定されると、次にＳ１７の処理が実行されて割込禁止状態とされるまで、タイマ割込またはシリアル通信回路５１１からの割り込み要求を許可する状態となる。そして、割込許可状態に設定されている間に、タイマ割込が発生すると、遊技制御用マイクロコンピュータ５６０のＣＰＵ５６は、後述するタイマ割込処理を実行する。また、割込許可状態に設定されている間に、シリアル通信回路５１１から割り込み要求が発生すると、遊技制御用マイクロコンピュータ５６０のＣＰＵ５６は、各割込処理（通信異常割込処理や、受信時割込処理、送信完了割込処理）を実行する。また、本実施の形態では、Ｓ１７からＳ１９までのループ処理の前にＳ１５ｂを実行することによって、タイマ割込または割り込み要求を許可する状態に設定される前に、割込処理の優先順位を設定または変更する処理が行なわれる。
【０１２９】
次に、Ｓ９１のホットスタート処理について説明する。図１３は、ホットスタート処理の処理例を示すフローチャートである。ホットスタート処理において、ＣＰＵ５６は、まず、ＲＯＭ５４に格納されているバックアップ時設定テーブルの先頭アドレスをポインタに設定し（Ｓ９１０１）、バックアップ時設定テーブルの内容を順次作業領域（ＲＡＭ５５内の領域）に設定する（Ｓ９１０２）。作業領域はバックアップ電源によって電源バックアップされている。バックアップ時設定テーブルには、作業領域のうち初期化してもよい領域についての初期化データ（たとえば、賞球プロセスコードや賞球プロセスタイマ、枠状態表示バッファ、前回枠状態表示バッファ）が設定されている。Ｓ９１０１およびＳ９１０２の処理によって、作業領域のうち初期化してはならない部分については、保存されていた内容がそのまま残る。初期化してはならない部分とは、たとえば、電力供給停止前の遊技状態を示すデータ（特別図柄プロセスフラグ、排出異常フラグなど）、出力ポートの出力状態が保存されている領域（出力ポートバッファ）、未払出賞球数を示すデータが設定されている部分などである。
【０１３０】
なお、この実施の形態では、排出異常が検出され排出異常フラグがセットされている場合には、Ｓ９１０２の処理が実行されても排出異常フラグの内容はそのままバックアップＲＡＭに残る。一方で、セキュリティ信号情報タイマの値はクリアされる。
【０１３１】
また、ＣＰＵ５６は、遊技状態が高確率状態（確変状態）に制御されていることを示す高確中信号を、ターミナル基板１６０を介して外部出力することを許可する旨の高確中出力許可フラグをセットする（Ｓ９１０３）。なお、無条件に高確中出力許可フラグをセットするのではなく、まず、高確率状態（確変状態）であるか否かを確認し（具体的には、バックアップＲＡＭに記憶されている確変フラグがオン状態であるか否かを確認し）、高確率状態（確変状態）であることを条件に高確中出力許可フラグをセットするようにしてもよい。そのように、電力供給開始時に、無条件に高確中出力許可フラグをセットしてもよいし、高確率状態（確変状態）であることを条件に高確中出力フラグをセットしてもよい。
【０１３２】
また、ＣＰＵ５６は、後述する入賞信号の出力時間を計測するための入賞情報記憶タイマをクリアする（Ｓ９１０４）。すなわち、この実施の形態では、入賞情報記憶タイマの値は、電源バックアップされたＲＡＭ５５に記憶され、電力供給が停止しても所定時間は保持されるのであるが、Ｓ９１０４の処理が実行されることによって停電復旧時にクリアされる。このように、この実施の形態では、共通のホットスタート処理において、高確中出力許可フラグの設定処理と入賞情報記憶タイマのクリア処理とが実行可能に構成されており、処理ルーチンの共通化によって、遊技制御用マイクロコンピュータ５６０の制御負担を軽減している。
【０１３３】
なお、たとえば、バックアップ時設定テーブルにおいて、高確中出力許可フラグをオン状態に設定する値（たとえば、論理値「１」）や、入賞情報記憶タイマをクリアするための値（たとえば、クリアデータ「０」）も設定するようにし、Ｓ９１０２が実行されることによって、高確中出力許可フラグをオンにするとともに入賞情報記憶タイマをクリアするようにしてもよい。この場合、たとえば、バックアップ時設定テーブルに基づいて、作業領域中の高確中出力許可フラグの値をオン状態に設定したり（たとえば、論理値「１」を書き込んだり）、作業領域中の入賞情報記憶タイマの値にクリアデータを書き込んだりするようにすればよい。そのようにすれば、１つのデータテーブル（バックアップ時設定テーブル）を用いて、高確中出力許可フラグの設定処理と入賞情報記憶タイマのクリア処理とを共通化することができ、遊技制御用マイクロコンピュータ５６０の制御負担をさらに軽減することができる。
【０１３４】
次に、タイマ割込処理について説明する。図１４は、タイマ割込処理を示すフローチャートである。メイン処理の実行中に、具体的には、Ｓ１７〜Ｓ１９のループ処理の実行中における割込許可になっている期間において、タイマ割込が発生すると、遊技制御用マイクロコンピュータ５６０のＣＰＵ５６は、タイマ割込の発生に応じて起動されるタイマ割込処理を実行する。タイマ割込処理において、ＣＰＵ５６は、まず、電源断信号が出力されたか否か（オン状態になったか否か）を検出する電源断処理（電源断検出処理）を実行する（Ｓ２０）。そして、ＣＰＵ５６は、スイッチ回路５８を介して、ゲートスイッチ３２ａ、始動口スイッチ１４ａ、入賞確認１スイッチ１４ｂ、カウントスイッチ２３、入賞確認２スイッチ２３ｂ、入賞口スイッチ２９ａ，３０ａ、入賞確認３スイッチ２９ｂ、および入賞確認４スイッチ３０ｂのスイッチの検出信号を入力し、各スイッチの入力を検出する（スイッチ処理：Ｓ２１）。具体的には、各スイッチの検出信号を入力する入力ポートの状態がオン状態であれば、各スイッチに対応して設けられているスイッチタイマの値を＋１する。
【０１３５】
次に、ＣＰＵ５６は、特別図柄表示器８、普通図柄表示器１０、特別図柄保留記憶表示器１８、普通図柄保留記憶表示器４１の表示制御を行なう表示制御処理を実行する（Ｓ２２）。特別図柄表示器８および普通図柄表示器１０については、Ｓ３６，Ｓ３７で設定される出力バッファの内容に応じて各表示器に対して駆動信号を出力する制御を実行する。
【０１３６】
次いで、ＣＰＵ５６は、正規の時期以外の時期において大入賞口に遊技球が入賞したことを検出した場合や、正規の時期以外の時期において始動入賞口１４に遊技球が入賞したことを検出した場合に、異常入賞の報知を行なわせるための異常入賞報知処理を行なう（Ｓ２３）。異常入賞報知処理では、演出制御基板８０に異常入賞の発生を示すコマンドが送信される。
【０１３７】
次いで、ＣＰＵ５６は、電波センサ４２あるいは磁石センサ４３から検出信号を入力したことに基づいて電波異常報知あるいは磁気異常報知を行なわせるための磁気異常・電波異常報知処理を実行する（Ｓ２４）。異常入賞報知処理では、演出制御基板８０に電波異常あるいは磁気異常の発生を示すコマンドが送信される。
【０１３８】
次いで、ＣＰＵ５６は、満タン検出スイッチ４５から検出信号を入力したことに基づいて満タン報知を行ない、球有り検出スイッチ４６からの検出信号が途絶えることに基づいて貯留皿の球切れ報知を行なわせるための満タン・球切れ報知処理を実行する（Ｓ２５）。満タン・球切れ報知処理では、演出制御基板８０に満タンあるいは球切れの発生を示すコマンドが送信される。
【０１３９】
次いで、ＣＰＵ５６は、払出制御用マイクロコンピュータ３７０から払出制御コマンドを受信できなかったことに基づいて通信異常が発生したと判定し、通信異常を報知させるための払出制御基板通信異常報知処理を実行する（Ｓ２６）。払出制御基板通信異常報知処理では、演出制御基板８０に払出制御基板との間での通信異常の発生を示すコマンドが送信される。
【０１４０】
次いで、ＣＰＵ５６は、カードユニット５０との通信断の発生あるいは未接続状態を判定し、未接続状態あるいは通信異常を報知させるためのカードユニット通信異常報知処理を実行する（Ｓ２７）。カードユニット通信異常報知処理では、演出制御基板８０にカードユニット５０との間での通信異常の発生あるいは未接続状態を示すコマンドが送信される。
【０１４１】
次いで、ＣＰＵ５６は、遊技制御に用いられる普通図柄当り判定用乱数等の各判定用乱数を生成するための各カウンタのカウント値を更新する処理を行なう（判定用乱数更新処理：Ｓ２８）。また、ＣＰＵ５６は、初期値用乱数を発生するためのカウンタのカウント値を更新する処理を行なう（初期値用乱数更新処理：Ｓ２９）。さらに、ＣＰＵ５６は、表示用乱数を生成するためのカウンタのカウント値を更新する処理を行なう（表示用乱数更新処理：Ｓ３０）。
【０１４２】
次いで、ＣＰＵ５６は、特別図柄プロセス処理を行なう（Ｓ３１）。特別図柄プロセス処理では、遊技状態に応じてパチンコ遊技機１を所定の順序で制御するための特別図柄プロセスフラグに従って該当する処理が選び出されて実行される。そして、特別図柄プロセスフラグの値は、遊技状態に応じて各処理中に更新される。また、普通図柄プロセス処理を行なう（Ｓ３２）。普通図柄プロセス処理では、普通図柄表示器１０の表示状態を所定の順序で制御するための普通図柄プロセスフラグに従って該当する処理が選び出されて実行される。そして、普通図柄プロセスフラグの値は、遊技状態に応じて各処理中に更新される。
【０１４３】
次いで、ＣＰＵ５６は、特別図柄の変動に同期する演出図柄に関する演出制御コマンドを演出制御用マイクロコンピュータ１００に送出する処理を行なう（演出図柄コマンド制御処理：Ｓ３３）。なお、演出図柄の変動が特別図柄の変動に同期するとは、変動時間（可変表示期間）が同じであることを意味する。
【０１４４】
次いで、ＣＰＵ５６は、たとえばホール管理用コンピュータに供給される図柄確定回数１信号、始動口信号、大当り１〜３信号、時短信号、入賞信号、セキュリティ信号、高確中信号などのデータを出力する情報出力処理を行なう（Ｓ３４）。
【０１４５】
次いで、ＣＰＵ５６は、シリアル通信回路５１１を介して、払出制御用マイクロコンピュータ３７０と信号を送受信（入出力）する処理を実行するとともに、入賞が発生した場合には始動口スイッチ１４ａや、カウントスイッチ２３、入賞口スイッチ２９ａ，３０ａ、入賞確認スイッチ１４ｂ，２３ｂ，２９ｂ，３０ｂ等の検出信号に基づく賞球個数の設定などを行なう賞球処理を実行する（Ｓ３５）。なお、この実施の形態では、近接スイッチ（始動口スイッチ１４ａ、カウントスイッチ２３、入賞口スイッチ２９ａ，３０ａ）とフォトセンサ（入賞確認スイッチ１４ｂ，２３ｂ，２９ｂ，３０ｂ）との両方がオンしたことに基づく入賞検出に応じて、賞球個数コマンドの下位４ビットを異ならせることにより賞球個数を示すデータを賞球個数コマンドに設定し、当該設定した賞球個数コマンドをシリアル通信回路５１１を介して払出制御用マイクロコンピュータ３７０に出力する。払出制御基板３７に搭載されている払出制御用マイクロコンピュータ３７０は、賞球個数を示すデータが設定された賞球個数コマンドの受信に応じて球払出装置９７を駆動する。
【０１４６】
また、遊技機の制御状態を遊技機外部で確認できるようにするための試験信号を出力する処理である試験端子処理を実行する（Ｓ３６）。また、この実施の形態では、出力ポートの出力状態に対応したＲＡＭ領域（出力ポートバッファ）が設けられているのであるが、ＣＰＵ５６は、出力ポート０のＲＡＭ領域における接続信号に関する内容およびソレノイドに関する内容を出力ポートに出力する（Ｓ３７：出力処理）。そして、ＣＰＵ５６は、保留記憶数の増減をチェックする記憶処理を実行する（Ｓ３８）。
【０１４７】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３９）。さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ４０）。
【０１４８】
次いで、ＣＰＵ５６は、各状態表示灯の表示を行なうための状態表示制御データを状態表示制御データ設定用の出力バッファに設定する状態表示灯表示処理を行なう（Ｓ４１）。この場合、遊技状態が時短状態である場合には、時短状態であることを示す状態表示灯の表示を行なうための状態表示制御データを出力バッファに設定する。なお、遊技状態が高確率状態（たとえば、確変状態）にも制御される場合には、高確率状態であることを示す状態表示灯の表示を行なうための状態表示制御データを出力バッファに設定するようにしてもよい。
【０１４９】
次いで、ＣＰＵ５６は、枠開放スイッチ４４から検出信号を入力したことに基づいて遊技枠開放報知を行なわせるための遊技枠開放報知処理を実行する（Ｓ４２）。遊技枠開放報知処理では、演出制御基板８０に遊技機枠の開放を示すコマンドが送信される。
【０１５０】
その後、割込許可状態に設定し（Ｓ４３）、処理を終了する。
図１５は、主基板３１に搭載される遊技制御用マイクロコンピュータ５６０（具体的には、ＣＰＵ５６）が実行する特別図柄プロセス処理（Ｓ２６）のプログラムの一例を示すフローチャートである。上述したように、特別図柄プロセス処理では特別図柄表示器８または特別図柄表示器８および大入賞口を制御するための処理が実行される。特別図柄プロセス処理において、ＣＰＵ５６は、始動入賞口１４に遊技球が入賞したことを検出するための始動口スイッチ１４ａがオンしていたら、すなわち、始動入賞口１４への始動入賞が発生していたら、始動口スイッチ通過処理を実行する（Ｓ３１１，Ｓ３１２）。そして、Ｓ３００〜Ｓ３１０のうちのいずれかの処理を行なう。始動口スイッチ１４ａがオンしていなければ、内部状態に応じて、Ｓ３００〜Ｓ３１０のうちのいずれかの処理を行なう。
【０１５１】
なお、この実施の形態では、入賞信号の外部出力や賞球払出を行なうための処理に関しては、始動口スイッチ１４ａおよび入賞確認１スイッチ１４ｂの両方のオン状態を検出したことに基づいて実行するのに対して、Ｓ３１１では上流側に配置された始動口スイッチ１４ａがオン状態となったか否かのみが判定される。すなわち、上流側の始動口スイッチ１４ａがオン状態となってから下流側の入賞確認１スイッチ１４ｂがオン状態となるまでには少なからず時間差が生じるのであるから、入賞確認１スイッチ１４ｂがオン状態となるのを確認するまで待ってからＳ３１２の始動口スイッチ通過処理を実行したのでは、同じタイミングで遊技球が始動入賞した場合であっても、たとえば始動入賞口１４内での球詰まりや始動口スイッチ１４ａと入賞確認１スイッチ１４ｂとの検出時間のずれなど外的な要因で大当り判定用などの乱数の抽出タイミングが変動してしまい、遊技の公正を却って阻害してしまう事態が生じうる。そのため、この実施の形態では、始動口スイッチ１４ａのオン状態のみを検出したことに基づいて、直ちにＳ３１２の始動口スイッチ通過処理を実行し、大当り判定用などの乱数の抽出処理を行って、遊技の公正が却って阻害されてしまう事態を防止している。
【０１５２】
Ｓ３００〜Ｓ３１０の処理は、以下のような処理である。
特別図柄通常処理（Ｓ３００）：特別図柄プロセスフラグの値が０であるときに実行される。遊技制御用マイクロコンピュータ５６０は、特別図柄の可変表示が開始できる状態になると、保留記憶数バッファに記憶される数値データの記憶数（保留記憶数）を確認する。保留記憶数バッファに記憶される数値データの記憶数は保留記憶数カウンタのカウント値により確認できる。また、保留記憶数カウンタのカウント値が０でなければ、遊技制御用マイクロコンピュータ５６０は、大当り判定処理を実行し、特別図柄の可変表示の表示結果を大当りとするか否かを決定する。また、大当りとする場合には大当りフラグをセットする。そして、内部状態（特別図柄プロセスフラグ）をＳ３０１に応じた値（この例では１）に更新する。なお、大当りフラグは、大当り遊技が終了するときにリセットされる。
【０１５３】
変動パターン設定処理（Ｓ３０１）：特別図柄プロセスフラグの値が１であるときに実行される。また、変動パターンを決定し、その変動パターンにおける変動時間（可変表示時間：可変表示を開始してから表示結果を導出表示（停止表示）するまでの時間）を特別図柄の可変表示の変動時間とすることに決定する。また、特別図柄の変動時間を計測する変動時間タイマをスタートさせる。そして、内部状態（特別図柄プロセスフラグ）をＳ３０２に対応した値（この例では２）に更新する。
【０１５４】
表示結果指定コマンド送信処理（Ｓ３０２）：特別図柄プロセスフラグの値が２であるときに実行される。演出制御用マイクロコンピュータ１００に、表示結果指定コマンドを送信する制御を行なう。そして、内部状態（特別図柄プロセスフラグ）をＳ３０３に対応した値（この例では３）に更新する。
【０１５５】
特別図柄変動中処理（Ｓ３０３）：特別図柄プロセスフラグの値が３であるときに実行される。変動パターン設定処理で選択された変動パターンの変動時間が経過（Ｓ３０１でセットされる変動時間タイマがタイムアウトすなわち変動時間タイマの値が０になる）すると、演出制御用マイクロコンピュータ１００に、図柄確定指定コマンドを送信する制御を行ない、内部状態（特別図柄プロセスフラグ）をＳ３０４に対応した値（この例では４）に更新する。なお、演出制御用マイクロコンピュータ１００は、遊技制御用マイクロコンピュータ５６０が送信する図柄確定指定コマンドを受信すると演出表示装置９において第４図柄が停止されるように制御する。
【０１５６】
特別図柄停止処理（Ｓ３０４）：特別図柄プロセスフラグの値が４であるときに実行される。大当りフラグがセットされている場合に、内部状態（特別図柄プロセスフラグ）をＳ３０５に対応した値（この例では５）に更新する。また、小当りフラグがセットされている場合には、内部状態（特別図柄プロセスフラグ）をＳ３０８に対応した値（この例では８）に更新する。大当りフラグおよび小当りフラグのいずれもセットされていない場合には、内部状態（特別図柄プロセスフラグ）をＳ３００に対応した値（この例では０）に更新する。なお、この実施の形態では、特別図柄プロセスフラグの値が４となったことに基づいて、Ｓ３６の特別図柄表示制御処理において特別図柄の停止図柄を停止表示するための特別図柄表示制御データが特別図柄表示制御データ設定用の出力バッファに設定され、Ｓ２２の表示制御処理において出力バッファの設定内容に応じて実際に特別図柄の停止図柄が停止表示される。
【０１５７】
大入賞口開放前処理（Ｓ３０５）：特別図柄プロセスフラグの値が５であるときに実行される。大入賞口開放前処理では、大入賞口を開放する制御を行なう。具体的には、カウンタ（たとえば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）をＳ３０６に対応した値（この例では６）に更新する。なお、大入賞口開放前処理は各ラウンド毎に実行されるが、第１ラウンドを開始する場合には、大入賞口開放前処理は大当り遊技を開始する処理でもある。
【０１５８】
大入賞口開放中処理（Ｓ３０６）：特別図柄プロセスフラグの値が６であるときに実行される。大当り遊技状態中のラウンド表示の演出制御コマンドを演出制御用マイクロコンピュータ１００に送信する制御や大入賞口の閉成条件の成立を確認する処理等を行なう。なお、「大入賞口の閉成条件」は、大入賞口内の上流側のカウントスイッチ２３により検出された大入賞口への遊技球の入賞数が所定数（本例では、１０個）に達したことに基づいて成立する。大入賞口の閉成条件が成立し、かつ、まだ残りラウンドがある場合には、内部状態（特別図柄プロセスフラグ）をＳ３０５に対応した値（この例では５）に更新する。また、全てのラウンドを終えた場合には、内部状態（特別図柄プロセスフラグ）をＳ３０７に対応した値（この例では７）に更新する。
【０１５９】
大当り終了処理（Ｓ３０７）：特別図柄プロセスフラグの値が７であるときに実行される。大当り遊技状態が終了したことを遊技者に報知する表示制御を演出制御用マイクロコンピュータ１００に行なわせるための制御を行なう。また、遊技状態を示すフラグ（たとえば、確変フラグや時短フラグ）をセットする処理を行なう。そして、内部状態（特別図柄プロセスフラグ）をＳ３００に対応した値（この例では０）に更新する。
【０１６０】
小当り開放前処理（Ｓ３０８）：特別図柄プロセスフラグの値が８であるときに実行される。小当り開放前処理では、大入賞口を開放する制御を行なう。具体的には、カウンタ（たとえば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）をＳ３０９に対応した値（この例では９）に更新する。なお、小当り開放前処理は小当り遊技中の大入賞口の開放毎に実行されるが、小当り遊技中の最初の開放を開始する場合には、小当り開放前処理は小当り遊技を開始する処理でもある。
【０１６１】
小当り開放中処理（Ｓ３０９）：特別図柄プロセスフラグの値が９であるときに実行される。大入賞口の閉成条件の成立を確認する処理等を行なう。なお、「大入賞口の閉成条件」は、大入賞口内の上流側のカウントスイッチ２３により検出された大入賞口への遊技球の入賞数が所定数（本例では、１０個）に達したことに基づいて成立する。大入賞口の閉成条件が成立し、かつ、まだ大入賞口の開放回数が残っている場合には、内部状態（特別図柄プロセスフラグ）をＳ３０８に対応した値（この例では８）に更新する。また、全てのラウンドを終えた場合には、内部状態（特別図柄プロセスフラグ）をＳ３１０に対応した値（この例では１０（１０進数））に更新する。
【０１６２】
小当り終了処理（Ｓ３１０）：特別図柄プロセスフラグの値が１０であるときに実行される。小当り遊技状態が終了したことを遊技者に報知する表示制御を演出制御用マイクロコンピュータ１００に行なわせるための制御を行なう。そして、内部状態（特別図柄プロセスフラグ）をＳ３００に対応した値（この例では０）に更新する。
【０１６３】
図１６は、Ｓ３１２の始動口スイッチ通過処理を示すフローチャートである。始動口スイッチ通過処理において、ＣＰＵ５６は、まず、保留記憶数が上限値に達しているか否か（具体的には、保留記憶数をカウントするための保留記憶数カウンタの値が４でるか否か）を確認する（Ｓ２１１）。保留記憶数が上限値に達していなければ、ＣＰＵ５６は、大当り判定用乱数（ランダムＲ）となる数値データの読出元となる乱数値レジスタを特定する。
【０１６４】
なお、この実施の形態では、特別図柄プロセス処理のＳ３１１で始動入賞口１４内の上流側の始動口スイッチ１４ａのみのオン状態を検出したことに基づいて、図１６に示す始動口スイッチ通過処理を実行する場合を示しているが、Ｓ３１１において上流側の始動口スイッチ１４ａと下流側の入賞確認スイッチ１４ｂとの両方のオン状態を検出したことに基づいて、図１６に示す始動口スイッチ通過処理を実行するようにしてもよい。そのように構成しても、既に説明したように、始動入賞口１４内の上流側の始動口スイッチ１４ａからの始動入賞信号のみを入力したことに基づいて、始動入賞時ラッチ信号が出力され、乱数回路５０９の各乱数値レジスタに数値データがラッチされているので、各乱数値レジスタへの数値データのラッチのタイミングがずれることはない。
【０１６５】
次いで、ＣＰＵ５６は、保留記憶数カウンタの値を１増やす（Ｓ２１２）。次いで、ＣＰＵ５６は、特定した乱数回路５０９の乱数値レジスタから数値データを抽出するとともに、ソフトウェア乱数を生成するためのカウンタから値を抽出し、それらを、ＲＡＭ５５に形成されている保留記憶バッファにおける保存領域に格納する処理を実行する（Ｓ２１３）。なお、Ｓ２１３の処理では、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が抽出され、保存領域に格納される。なお、変動パターン種別判定用乱数（ランダム２）や変動パターン判定用乱数（ランダム３）を始動口スイッチ通過処理（始動入賞時）において抽出して保存領域にあらかじめ格納しておくのではなく、特別図柄の変動開始時に抽出するようにしてもよい。たとえば、遊技制御用マイクロコンピュータ５６０は、変動パターン設定処理（Ｓ３０１参照）において、変動パターン種別判定用乱数（ランダム２）を生成するための変動パターン種別判定用乱数カウンタから値を直接抽出したり、変動パターン判定用乱数（ランダム３）を生成するための変動パターン判定用乱数カウンタから値を直接抽出したりするようにしてもよい。
【０１６６】
そして、ＣＰＵ５６は、保留記憶数加算指定コマンドを演出制御用マイクロコンピュータ１００に送信する制御を行なう（Ｓ２１４）。
【０１６７】
図１７は、特別図柄プロセス処理における特別図柄通常処理（Ｓ３００）を示すフローチャートである。特別図柄通常処理において、ＣＰＵ５６は、保留記憶数の値を確認する（Ｓ５１）。具体的には、保留記憶数カウンタのカウント値を確認する。保留記憶数が０であれば、まだ客待ちデモ指定コマンドを送信していなければ、演出制御用マイクロコンピュータ１００に対して客待ちデモ指定コマンドを送信する制御を行ない（Ｓ５２）、処理を終了する。なお、たとえば、ＣＰＵ５６は、Ｓ５２で客待ちデモ指定コマンドを送信すると、客待ちデモ指定コマンドを送信したことを示す客待ちデモ指定コマンド送信済フラグをセットする。そして、客待ちデモ指定コマンドを送信した後に次回のタイマ割込以降の特別図柄通常処理を実行する場合には、客待ちデモ指定コマンド送信済フラグがセットされていることに基づいて重ねて客待ちデモ指定コマンドを送信しないように制御すればよい。また、この場合、客待ちデモ指定コマンド送信済フラグは、次回の特別図柄の変動表示が開始されるときにリセットされるようにすればよい。
【０１６８】
保留記憶数が０でなければ、ＣＰＵ５６は、ＲＡＭ５５において、保留記憶数＝１に対応する保存領域に格納されている各乱数値を読み出してＲＡＭ５５の乱数バッファ領域に格納する（Ｓ５５）。そして、ＣＰＵ５６は、保留記憶数カウンタのカウント値を１減算し、かつ、各保存領域の内容をシフトする（Ｓ５６）。すなわち、ＣＰＵ５６は、ＲＡＭ５５の保留記憶バッファにおいて保留記憶数＝ｎ（ｎ＝２，３，４）に対応する保存領域に格納されている各乱数値を、保留記憶数＝ｎ−１に対応する保存領域に格納する。よって、各保留記憶数に対応するそれぞれの保存領域に格納されている各乱数値が抽出された順番は、常に、保留記憶数＝１，２，３，４の順番と一致するようになっている。
【０１６９】
また、ＣＰＵ５６は、現在の遊技状態に応じて背景指定コマンドを演出制御用マイクロコンピュータ１００に送信する制御を行なう（Ｓ６０）。この場合、ＣＰＵ５６は、確変状態であることを示す確変フラグがセットされている場合には、確変状態背景指定コマンドを送信する制御を行なう。また、ＣＰＵ５６は、確変フラグがセットされておらず、時短状態であることを示す時短フラグがセットされている場合には、時短状態背景指定コマンドを送信する制御を行なう。また、ＣＰＵ５６は、確変フラグおよび時短フラグのいずれもセットされていなければ、通常状態背景指定コマンドを送信する制御を行なう。
【０１７０】
次いで、ＣＰＵ５６は、乱数バッファ領域からランダムＲ（大当り判定用乱数）を読み出し、大当り判定モジュールを実行する。なお、この場合、ＣＰＵ５６は、始動口スイッチ通過処理のＳ２１３で抽出し保留記憶バッファにあらかじめ格納した大当り判定用乱数を読み出し、大当り判定を行なう。大当り判定モジュールは、あらかじめ決められている大当り判定値や小当り判定値と大当り判定用乱数とを比較し、それらが一致したら大当りや小当りとすることに決定する処理を実行するプログラムである。すなわち、大当り判定や小当り判定の処理を実行するプログラムである。
【０１７１】
大当り判定の処理では、遊技状態が確変状態（高確率状態）の場合は、遊技状態が非確変状態（通常遊技状態および時短状態）の場合よりも、大当りとなる確率が高くなるように構成されている。具体的には、あらかじめ大当り判定値の数が多く設定されている確変時大当り判定テーブルと、大当り判定値の数が確変大当り判定テーブルよりも少なく設定されている通常時大当り判定テーブルとが設けられている。そして、ＣＰＵ５６は、遊技状態が確変状態であるか否かを確認し、遊技状態が確変状態であるときは、確変時大当り判定テーブルを使用して大当りの判定の処理を行ない、遊技状態が通常遊技状態や時短状態であるときは、通常時大当り判定テーブルを使用して大当りの判定の処理を行なう。大当りとすることに決定した場合には（Ｓ６１）、Ｓ７１に移行する。なお、大当りとするか否か決定するということは、大当り遊技状態に移行させるか否か決定するということであるが、特別図柄表示器における停止図柄を大当り図柄とするか否か決定するということでもある。
【０１７２】
なお、現在の遊技状態が確変状態であるか否かの確認は、確変フラグがセットされているか否かにより行なわれる。確変フラグは、遊技状態を確変状態に移行するときにセットされ、確変状態を終了するときにリセットされる。具体的には、確変大当りまたは突然確変大当りとすることに決定され、大当り遊技を終了する処理においてセットされ、大当りと決定されたときに特別図柄の変動表示を終了して停止図柄を停止表示するタイミングでリセットされる。
【０１７３】
大当り判定用乱数（ランダムＲ）の値がいずれの大当り判定値にも一致しなければ（Ｓ６１のＮ）、ＣＰＵ５６は、小当り判定テーブルを使用して小当りの判定の処理を行なう。すなわち、ＣＰＵ５６は、大当り判定用乱数（ランダムＲ）の値がいずれかの小当り判定値に一致すると、特別図柄に関して小当りとすることに決定する。そして、小当りとすることに決定した場合には（Ｓ６２）、ＣＰＵ５６は、小当りであることを示す小当りフラグをセットし（Ｓ６３）、Ｓ７５に移行する。
【０１７４】
なお、ランダムＲの値が大当り判定値および小当り判定値のいずれにも一致しない場合には（Ｓ６２のＮ）、すなわち、はずれである場合には、そのままＳ７５に移行する。
【０１７５】
Ｓ７１では、ＣＰＵ５６は、大当りであることを示す大当りフラグをセットする。次いで、ＣＰＵ５６は、大当り種別を決定するための大当り種別判定テーブルを用いて、乱数バッファ領域に格納された大当り種別判定用の乱数（ランダム１）の値と一致する値に対応した種別（「通常大当り」、「確変大当り」、「突然確変大当り」）を大当りの種別に決定する（Ｓ７３）。
【０１７６】
また、ＣＰＵ５６は、決定した大当りの種別を示すデータをＲＡＭ５５における大当り種別バッファに設定する（Ｓ７４）。たとえば、大当り種別が「通常大当り」の場合には大当り種別を示すデータとして「０１」が設定され、大当り種別が「確変大当り」の場合には大当り種別を示すデータとして「０２」が設定され、大当り種別が「突然確変大当り」の場合には大当り種別を示すデータとして「０３」が設定される。
【０１７７】
次いで、ＣＰＵ５６は、特別図柄の停止図柄を決定する（Ｓ７５）。具体的には、大当りフラグおよび小当りフラグのいずれもセットされていない場合には、はずれ図柄となる「−」を特別図柄の停止図柄に決定する。大当りフラグがセットされている場合には、大当り種別の決定結果に応じて、大当り図柄となる「１」、「３」、「７」のいずれかを特別図柄の停止図柄に決定する。すなわち、大当り種別を「突然確変大当り」に決定した場合には「１」を特別図柄の停止図柄に決定し、「通常大当り」に決定した場合には「３」を特別図柄の停止図柄に決定し、「確変大当り」に決定した場合には「７」を特別図柄の停止図柄に決定する。小当りフラグがセットされている場合には、小当り図柄となる「５」を特別図柄の停止図柄に決定する。
【０１７８】
そして、特別図柄プロセスフラグの値を変動パターン設定処理（Ｓ３０１）に対応した値に更新する（Ｓ７６）。
【０１７９】
図１８は、特別図柄プロセス処理における特別図柄停止処理（Ｓ３０４）を示すフローチャートである。特別図柄停止処理において、ＣＰＵ５６は、大当りフラグがセットされているか否かを確認する（Ｓ１３０１）。大当りフラグがセットされている場合には、ＣＰＵ５６は、セットされていれば、確変状態であることを示す確変フラグ、および時短状態であることを示す時短フラグをリセットする（Ｓ１３０２）。なお、セットされていれば、時短回数カウンタもリセットする。また、ＣＰＵ５６は、セットされていれば、高確中出力許可フラグをリセットする（Ｓ１３０３）。
【０１８０】
次いで、ＣＰＵ５６は、演出制御用マイクロコンピュータ１００に大当り開始指定コマンドを送信する制御を行なう（Ｓ１３０４）。具体的には、大当りの種別が通常大当りである場合には、大当り遊技の開始および通常大当りであることを指定する大当り開始１指定コマンドを送信する。大当りの種別が確変大当りである場合には、大当り遊技の開始および確変大当りであることを指定する大当り開始２指定コマンドを送信する。大当りの種別が突然確変大当りである場合には、大当り遊技の開始および小当り／突然確変大当りであることを指定する小当り／突然確変大当り開始指定コマンドを送信する。なお、大当りの種別が通常大当り、確変大当りまたは突然確変大当りのいずれであるかは、ＲＡＭ５５に記憶されている大当り種別を示すデータ（大当り種別バッファに記憶されているデータ）に基づいて判定される。
【０１８１】
また、ＣＰＵ５６は、大入賞口開放前タイマに大当り表示時間（大当りが発生したことを、たとえば、演出表示装置９において報知する時間）に相当する値を設定する（Ｓ１３０５）。なお、大入賞口開放前タイマは、大当り遊技や小当り遊技中に大入賞口を開放するまでの時間を計測するためのタイマである。具体的には、大当り遊技の開始時には、Ｓ１３０５において、変動表示を停止してから第１ラウンドが開始されるまでに要する時間（演出制御用マイクロコンピュータ１００側で変動表示を停止し大当り図柄を停止表示してから第１ラウンドが開始されるまでのファンファーレ演出を行なう時間に相当）が大入賞口開放前タイマに設定される。また、第１ラウンド以降については、各ラウンド間のインターバル時間（演出制御用マイクロコンピュータ１００側でラウンド間のインターバル演出を行なう時間に装置）が大入賞口開放前タイマに設定される。
【０１８２】
また、ＣＰＵ５６は、開放回数カウンタ（大当り遊技中や小当り遊技中の大入賞口の開放回数をカウントするためのカウンタ）に開放回数をセットする（Ｓ１３０６）。なお、この実施の形態では、大当り種別を区別することなく、開放回数カウンタには固定回数１５回がセットされるものとする。なお、大当り種別に応じて異なる回数を開放回数カウンタにセットするようにしてもよい。たとえば、通常大当りや確変大当りである場合には開放回数カウンタに１５回をセットし、突然確変大当りである場合には開放回数カウンタに２回をセットするようにしてもよい。そして、特別図柄プロセスフラグの値を大入賞口開放前処理（Ｓ３０５）に対応した値に更新する（Ｓ１３０７）。
【０１８３】
また、Ｓ１３０１で大当りフラグがセットされていなければ、ＣＰＵ５６は、時短状態における特別図柄の変動回数をカウントするための時短回数カウンタの値が０となっているか否かを確認する（Ｓ１３０８）。時短回数カウンタの値が０でなければ（この場合、通常大当りとなったことに基づいて時短状態に制御されるとともに時短回数カウンタがセットされている場合である）、ＣＰＵ５６は、時短回数カウンタの値を−１する（Ｓ１３０９）。そして、ＣＰＵ５６は、減算後の時短回数カウンタの値が０になった場合には（Ｓ１３１０）、時短フラグをリセットする（Ｓ１３１１）。
【０１８４】
次いで、ＣＰＵ５６は、小当りフラグがセットされているか否かを確認する（Ｓ１３１２）。小当りフラグがセットされていれば、ＣＰＵ５６は、演出制御用マイクロコンピュータ１００に小当り／突然確変大当り開始指定コマンドを送信する（Ｓ１３１３）。また、大入賞口開放前タイマに小当り表示時間（小当りが発生したことを、たとえば、演出表示装置９において報知する時間）に相当する値を設定する（Ｓ１３１４）。なお、小当りとなる場合には、小当り遊技の開始時に、Ｓ１３１４において、変動表示を停止してから小当り遊技が開始されるまでに要する時間が大入賞口開放前タイマに設定される。また、小当り遊技中においては、大入賞口の各開放間のインターバル時間が大入賞口開放前タイマに設定される。
【０１８５】
また、ＣＰＵ５６は、開放回数カウンタに開放回数をセットする（Ｓ１３１５）。なお、この実施の形態では、Ｓ１３１５において、開放回数カウンタに１５回がセットされる。なお、Ｓ１３０６で大当り種別に応じて異なる回数がセットされる場合、たとえば、突然確変大当りである場合に開放回数カウンタに２回がセットされる場合には、Ｓ１３１５でも開放回数カウンタに２回をセットするようにしてもよい。そして、特別図柄プロセスフラグの値を小当り開始前処理（Ｓ３０８）に対応した値に更新する（Ｓ１３１６）。
【０１８６】
小当りフラグもセットされていなければ（Ｓ１３１２のＮ）、ＣＰＵ５６は、特別図柄プロセスフラグの値を特別図柄通常処理（Ｓ３００）に対応した値に更新する（Ｓ１３１７）。
【０１８７】
次に、遊技制御用マイクロコンピュータ５６０（具体的には、ＣＰＵ５６）が実行する普通図柄プロセス処理（Ｓ２９）について説明する。図１９は、普通図柄プロセス処理の一例を示すフローチャートである。普通図柄プロセス処理では、ＣＰＵ５６は、ゲート３２を遊技球が通過してゲートスイッチ３２ａがオン状態となったことを検出すると（Ｓ１１１）、ゲートスイッチ通過処理（Ｓ１１２）を実行する。そして、ＣＰＵ５６は、普通図柄プロセスフラグの値に応じてＳ１００〜Ｓ１０３に示された処理のうちのいずれかの処理を実行する。
【０１８８】
ゲートスイッチ通過処理（Ｓ１１２）：ＣＰＵ５６は、ゲート通過記憶カウンタのカウント値（ゲート通過記憶数）が最大値（この例では「４」）に達しているか否か確認する。最大値に達していなければ、ゲート通過記憶カウンタのカウント値を＋１する。なお、ゲート通過記憶カウンタの値に応じて普通図柄保留記憶表示器４１のＬＥＤが点灯される。そして、ＣＰＵ５６は、普通図柄当り判定用乱数（ランダム４）の値を抽出し、ゲート通過記憶数の値に対応した保存領域（普通図柄判定用バッファ）に格納する処理を行なう。
【０１８９】
普通図柄通常処理（Ｓ１００）：ＣＰＵ５６は、普通図柄の変動を開始することができる状態（たとえば普通図柄プロセスフラグの値がＳ１００を示す値となっている場合、具体的には、普通図柄表示器１０において普通図柄の変動表示がなされておらず、かつ、普通図柄表示器１０に当たり図柄が導出表示されたことに基づく可変入賞球装置１５の開閉動作中でもない場合）には、ゲート通過記憶数の値を確認する。具体的には、ゲート通過記憶数カウンタのカウント値を確認する。ゲート通過記憶数が０でなければ、当りとするか否か（普通図柄の停止図柄を当り図柄とするか否か）を決定する。そして、普通図柄プロセスタイマに普通図柄の変動時間をセットし、タイマをスタートさせる。そして、普通図柄プロセスフラグの値を普通図柄変動処理（Ｓ１０１）を示す値（具体的には「１」）に更新する。
【０１９０】
普通図柄変動処理（Ｓ１０１）：ＣＰＵ５６は、普通図柄プロセスタイマがタイムアウトしたか否か確認し、タイムアウトしていたら、普通図柄表示器１０における普通図柄の変動を停止し、普通図柄プロセスタイマに普通図柄停止図柄表示時間をセットし、タイマをスタートさせる。そして、普通図柄プロセスフラグの値を普通図柄停止処理（Ｓ１０２）を示す値（具体的には「２」）に更新する。
【０１９１】
普通図柄停止処理（Ｓ１０２）：ＣＰＵ５６は、普通図柄プロセスタイマがタイムアウトしたか否かを確認し、タイムアウトしていたら、普通図柄の停止図柄が当り図柄であるかどうかを確認する。当り図柄でなければ（はずれ図柄であれば）、普通図柄プロセスフラグの値を普通図柄通常処理（Ｓ１００）を示す値（具体的には「０」）に更新する。一方、普通図柄の停止図柄が当り図柄であれば、普通図柄プロセスタイマに普通電動役物作動時間をセットし、タイマをスタートさせる。また、現在の遊技状態が高ベース状態であるか否かを確認し、高ベース状態であれば、高ベース状態のときの普通電動役物（可変入賞球装置１５）の開放パターンを選択し、低ベース状態であれば、低ベース状態のときの普通電動役物（可変入賞球装置１５）の開放パターンを選択し、選択した開放パターンを設定する。そして、普通図柄プロセスフラグの値を普通電動役物作動処理（Ｓ１０３）を示す値（具体的には「３」）に更新する。
【０１９２】
普通電動役物作動処理（Ｓ１０３）：ＣＰＵ５６は、普通図柄プロセスタイマがタイムアウトしていないことを条件に、普通電動役物（可変入賞球装置１５）への遊技球の入賞個数（始動入賞口１４への入賞個数）をカウントする普通電動役物入賞カウント処理を実行し、また、設定された開放パターンで普通電動役物の開放を行なう（可変入賞球装置１５の開閉動作を実行する）普通電動役物開放パターン処理を実行する。そして、普通図柄プロセスタイマがタイムアウトすると、普通図柄プロセスフラグの値を普通図柄通常処理（Ｓ１００）を示す値（具体的には「０」）に更新する。
【０１９３】
図２０は、普通図柄通常処理（Ｓ１００）を示すフローチャートである。普通図柄通常処理において、ＣＰＵ５６は、ゲート通過記憶数カウンタのカウント値を確認することにより、ゲート通過記憶数が０であるか否かを確認する（Ｓ１２１）。ゲート通過記憶数が０であれば（Ｓ１２１のＹ）、そのまま処理を終了する。ゲート通過記憶数が０でなければ（Ｓ１２１のＮ）、ＣＰＵ５６は、ゲート通過記憶数＝１に対応する保存領域に格納されている普通図柄当り判定用乱数値を読み出してＲＡＭ５５の乱数バッファ領域に格納する（Ｓ１２２）。そして、ＣＰＵ５６は、ゲート通過記憶数カウンタの値を１減らし、かつ、各保存領域の内容をシフトする（Ｓ１２３）。すなわち、ゲート通過記憶数＝ｎ（ｎ＝２，３，４）に対応する保存領域に格納されている普通図柄当り判定用乱数値を、ゲート通過記憶数＝ｎ−１に対応する保存領域に格納する。よって、各ゲート通過記憶数に対応するそれぞれの保存領域に格納されている普通図柄当り判定用乱数値が抽出された順番は、常に、ゲート通過記憶数＝１，２，３，４の順番と一致するようになっている。
【０１９４】
次いで、ＣＰＵ５６は、乱数格納バッファから普通図柄当り判定用乱数を読み出し（Ｓ１２４）、読み出した乱数値に基づいて当りとするかはずれとするかを決定する（Ｓ１２５）。具体的には、普通図柄当り判定用乱数の値が当り判定値と一致するか否かが判定され、一致する当り判定値があれば当りと決定される。たとえば、時短フラグがセットされているとき、すなわち高ベース状態（時短状態、確変時短状態）のときには、当り判定値を１〜１０のいずれかとし、低ベース状態のときには、当り判定値を３または７としている。普通図柄当り判定用乱数が０〜１０の数値範囲で更新されるとすると、高ベース状態のときの当選確率は１０／１１となり、低ベース状態のときの当選確率は２／１１となる。このように、高ベース状態のときは高確率で当りとなり、低ベース状態のときは低確率でしか当りとならない。
【０１９５】
次いで、ＣＰＵ５６は、普通図柄プロセスタイマに普通図柄変動時間をセットし（Ｓ１２６）、普通図柄表示器１０における普通図柄の変動を開始させる（Ｓ１２７）。なお、この実施の形態では、図２３に示すように、低ベース時の普通図柄の変動時間は３０．０秒とされ、高ベース時の普通図柄の変動時間は１．０秒とされている。そして、ＣＰＵ５６は、普通図柄プロセスフラグの値を普通図柄変動処理（Ｓ１０１）を示す値（具体的には「１」）に更新する（Ｓ１２８）。
【０１９６】
図２１は、普通図柄変動処理（Ｓ１０１）を示すフローチャートである。普通図柄変動処理において、ＣＰＵ５６は、普通図柄プロセスタイマの値が０になったかどうか、すなわち、普通図柄プロセスタイマがタイムアップしたかどうかを確認する（Ｓ１３１）。普通図柄プロセスタイマがタイムアップしていなければ（Ｓ１３１のＮ）、ＣＰＵ５６は、普通図柄プロセスタイマの値を−１する（Ｓ１３５）。
【０１９７】
普通図柄プロセスタイマがタイムアップしたとき、すなわち、普通図柄の変動時間が経過したときは（Ｓ１３１のＹ）、ＣＰＵ５６は、普通図柄表示器１０における普通図柄の変動を停止させる（Ｓ１３２）。そして、ＣＰＵ５６は、普通図柄プロセスタイマに普通図柄停止図柄表示時間をセットする（Ｓ１３３）。そして、ＣＰＵ５６は、普通図柄プロセスフラグの値を普通図柄停止処理（Ｓ１０２）を示す値（具体的には「２」）に更新する（Ｓ１３４）。
【０１９８】
図２２は、普通図柄停止処理（Ｓ１０２）を示すフローチャートである。普通図柄停止処理において、ＣＰＵ５６は、普通図柄プロセスタイマの値が０になったかどうか、すなわち、普通図柄プロセスタイマがタイムアップしたかどうかを確認する（Ｓ１４１）。普通図柄プロセスタイマがタイムアップしていなければ（Ｓ１４１のＮ）、ＣＰＵ５６は、普通図柄プロセスタイマの値を−１する（Ｓ１４２）。
【０１９９】
普通図柄プロセスタイマがタイムアップしたとき、すなわち、普通図柄停止図柄表示時間が経過したときは（Ｓ１４１のＹ）、ＣＰＵ５６は、普通図柄の停止図柄が当り図柄であるかどうか（Ｓ１２５にて当りと判定されたかどうか）を確認する（Ｓ１４３）。なお、普通図柄の停止図柄が当り図柄かどうかは、たとえば、Ｓ１２５にて当りと判定されたときに普通図柄当り判定フラグをセットすることとして、そのフラグがセットされているかどうかによって確認することができる。
【０２００】
普通図柄の停止図柄が当り図柄であるときは（Ｓ１４３のＹ）、ＣＰＵ５６は、普通図柄プロセスタイマに普通電動役物作動時間をセットする（Ｓ１４４）。普通電動役物作動時間は、普通電動役物（可変入賞球装置１５）が動作可能な最大時間である。普通電動役物作動時間は、高ベース状態のときの方が低ベース状態のときよりも長い時間に設定されている。この実施の形態では、高ベース状態のときには普通電動役物作動時間として７秒を設定し、低ベース状態のときには普通電動役物作動時間として１．５秒を設定するものとする。
【０２０１】
次いで、ＣＰＵ５６は、遊技状態が高ベース状態であるか低ベース状態であるかを確認する（Ｓ１４５）。高ベース状態であるか低ベース状態であるかは、時短フラグがセットされているかどうかによって確認することができる。時短フラグがセットされているときは高ベース状態であると判断し、時短フラグがセットされていないときは低ベース状態であると判断することができる。なお、高ベース状態のときに、高ベース状態であることを示す高ベース状態フラグをセットし、そのフラグがセットされているかどうかによって、高ベース状態であるか低ベース状態であるかを判断するようにしてもよい。
【０２０２】
高ベース状態であるときは（Ｓ１４５のＹ）、ＣＰＵ５６は、普通電動役物の開放パターンとして図２３に示す高ベース時テーブルに設定されている開放パターンを選択する（Ｓ１４６）。一方、低ベース状態であるときは（Ｓ１４５のＮ）、ＣＰＵ５６は、普通電動役物の開放パターンとして図２３に示す低ベース時テーブルに設定されている開放パターンを選択する（Ｓ１４７）。図２３に示す例では、低ベース時テーブルには、開放時間が０．５秒で閉鎖時間が１．０秒であり、開放回数が１回の開放パターンのデータが設定されている。この実施の形態では、低ベース状態のときには、前述のように普通図柄プロセスタイマに普通電動役物作動時間として１．５秒が設定されており、可変入賞球装置１５が０．５秒間１回だけ開放された後に閉鎖され、閉鎖時間１．０秒が経過したときに普通図柄プロセスタイマがタイムアップする。また、図２３に示す例では、高ベース時テーブルには、開放時間が２．５秒で閉鎖時間が１．０秒であり、開放回数が２回の開放パターンのデータが設定されている。この実施の形態では、高ベース状態のときには、前述のように普通図柄プロセスタイマに普通電動役物作動時間として７秒が設定されており、可変入賞球装置１５が２．５秒間開放された後に閉鎖され、閉鎖時間１．０秒が経過した後に再び可変入賞球装置１５が開放される。そして、開放時間２．５秒間経過すると再び可変入賞球装置１５が閉鎖され、閉鎖時間が１．０秒が経過したときに普通図柄プロセスタイマがタイムアップする。なお、閉鎖時間（本例では１．０秒）は、所定のインターバル期間に相当する。したがって、この実施の形態では、図２３に示す開放パターンに示される開放時間に従って可変入賞球装置１５が物理的に開放されている状態と、開放パターンに示される閉鎖時間の間に可変入賞球装置１５が閉鎖されている状態とが、可変入賞球装置１５の開状態に相当する。
【０２０３】
そして、ＣＰＵ５６は、Ｓ１４６またはＳ１４７で選択した開放パターンを開放パターンバッファにセットする（Ｓ１４８）。なお、開放パターンを開放パターンバッファにセットする際に、普通電動役物開放パターンタイマ（普通電動役物の開放時間および閉鎖時間を計測するタイマ）に開放パターン時間（ここでは可変入賞球装置１５が最初に開放されるまでの閉鎖時間）をセットする処理も行なわれる。その後、普通図柄プロセスフラグの値を普通電動役物作動処理（Ｓ１０３）を示す値（具体的には「３」）に更新する（Ｓ１４９）。
【０２０４】
Ｓ１４３において、普通図柄の停止図柄が当り図柄でなく、はずれ図柄であると判定されたときは（Ｓ１４３のＮ）、ＣＰＵ５６は、普通図柄プロセスフラグの値を普通図柄通常処理（Ｓ１００）を示す値（具体的には「０」）に更新する（Ｓ１５０）。
【０２０５】
図２４は、普通電動役物作動処理（Ｓ１０３）を示すフローチャートである。普通電動役物作動処理において、ＣＰＵ５６は、普通図柄プロセスタイマの値が０になったかどうか、すなわち、普通図柄プロセスタイマがタイムアップしたかどうかを確認する（Ｓ１６１）。普通図柄プロセスタイマがタイムアップしていなければ（Ｓ１６１のＮ）、ＣＰＵ５６は、普通図柄プロセスタイマの値を−１する（Ｓ１６２）。
【０２０６】
そして、ＣＰＵ５６は、スイッチオンバッファをレジスタにロードする（Ｓ１６３）。スイッチオンバッファは、スイッチのオンが検出された場合にそのスイッチの対応ビットにおいて１が設定され、スイッチのオフが検出された場合にそのスイッチの対応ビットにおいて０が設定されるバッファである。
【０２０７】
ＣＰＵ５６は、始動口スイッチ１４ａがオンになったかどうか（始動入賞口１４に遊技球が入賞したかどうか）を確認する。始動口スイッチ１４ａがオンとなっていなければ（Ｓ１６４のＮ）、Ｓ１６８の処理に移行する。始動口スイッチ１４ａがオンとなっていれば（Ｓ１６４のＹ）、ＣＰＵ５６は、普通電動役物（可変入賞球装置１５）に入賞した遊技球の個数をカウントする普通電動役物入賞個数カウンタを＋１する（Ｓ１６５）。そして、ＣＰＵ５６は、普通電動役物入賞個数カウンタの値が８未満であるかどうかを確認する（Ｓ１６６）。普通電動役物入賞個数カウンタの値が８未満でない場合（Ｓ１６６のＮ）、つまり８以上である場合は、ＣＰＵ５６は、普通図柄プロセスタイマの値をクリア（０に）する（Ｓ１６７）。この処理によって、普通電動役物作動処理が終了することになる（Ｓ１６１のＹ、Ｓ１７２参照）。このように、この実施の形態では、普通電動役物作動時間内において８個以上の遊技球が可変入賞球装置１５に入賞したときは、普通電動役物作動処理を終了するようにしている。
【０２０８】
次に、ＣＰＵ５６は、普通電動役物開放パターンタイマの値を−１する（Ｓ１６８）。そして、ＣＰＵ５６は、普通電動役物開放パターンタイマの値が０であるかどうか、すなわち、普通電動役物開放パターンタイマがタイムアップしたかどうかを確認する（Ｓ１６９）。タイムアウトしていなければ（Ｓ１６９のＮ）、そのまま処理を終了する。タイムアウトしていれば（Ｓ１６９のＹ）、ＣＰＵ５６は、普通電動役物開放パターンタイマに開放パターン時間をセットする（Ｓ１７０）。そして、ＣＰＵ５６は、ソレノイド１６を駆動して普通電動役物（可変入賞球装置１５）を開放または閉鎖する（Ｓ１７１）。
【０２０９】
具体的には、可変入賞球装置１５が閉状態のときに普通電動役物開放パターンタイマがタイムアップすると、普通電動役物開放パターンタイマに開放パターン時間として開放時間をセットし、出力ポートバッファ（ソレノイドバッファ）の普通電動役物ソレノイド出力ビットを反転させて可変入賞球装置１５を開放する。可変入賞球装置１５が開いた状態のときに普通電動役物開放パターンタイマがタイムアップすると、普通電動役物開放パターンタイマに開放パターン時間として閉鎖時間をセットし、出力ポートバッファ（ソレノイドバッファ）の普通電動役物ソレノイド出力ビットを反転させて可変入賞球装置１５を閉鎖する。
【０２１０】
以上のＳ１６８〜Ｓ１７１の処理によって、低ベース状態のときの開放パターンと高ベース状態のときの開放パターンとが実現される。遊技状態が低ベース状態のときは、開放時間が０．５秒であり開放回数が１回となる開放パターンであるので、たとえば、普通電動役物作動処理が開始されてから１．０秒の閉鎖時間が経過すると、可変入賞球装置１５が開放されて開いた状態となり、その後に０．５秒の開放時間が経過したときに可変入賞球装置１５が閉鎖されて閉状態となる。また、遊技状態が高ベース状態のときは、開放時間が２．５秒であり開放回数が２回となる開放パターンであるので、たとえば、普通電動役物作動処理が開始されてから２．５秒の閉鎖時間が経過すると、可変入賞球装置１５が開放されて開いた状態となり、その後に２．５秒の開放時間が経過したときに可変入賞球装置１５が閉鎖されて閉状態となり、再び２．５秒の閉鎖時間が経過すると、可変入賞球装置１５が開放されて開いた状態となり、さらに２．５秒の開放時間が経過したときに可変入賞球装置１５が閉鎖されて閉状態となる。
【０２１１】
Ｓ１６１において、普通図柄プロセスタイマがタイムアップしたときは（Ｓ１６１のＹ）、ＣＰＵ５６は、普通図柄プロセスフラグの値を普通図柄通常処理（Ｓ１００）を示す値（具体的には「０」）に更新する（Ｓ１７２）。
【０２１２】
次に、タイマ割込処理におけるスイッチ処理（Ｓ２１）を説明する。この実施の形態では、入賞検出またはゲート通過に関わる各スイッチの検出信号のオン状態が所定時間継続すると、確かにスイッチがオンしたと判定されスイッチオンに対応した処理が開始される。図２５は、スイッチ処理で使用されるＲＡＭ５５に形成される各２バイトのバッファを示す説明図である。前回ポートバッファは、前回（たとえば４ｍｓ前）のスイッチオン／オフの判定結果が格納されるバッファである。ポートバッファは、今回入力したポート０，２の内容が格納されるバッファである。スイッチオンバッファは、スイッチのオンが検出された場合に対応ビットが１に設定され、スイッチのオフが検出された場合に対応ビットが０に設定されるバッファである。なお、図２５に示す前回ポートバッファ、ポートバッファ、およびスイッチオンバッファは、入力ポート０，２ごとに用意される。たとえば、この実施の形態では、２つのスイッチオンバッファ１，２が用意されており、入力ポート０のスイッチの状態がスイッチオンバッファ１に設定され、入力ポート２のスイッチの状態がスイッチオンバッファ２に設定される。
【０２１３】
図２６は、遊技制御処理におけるＳ２１のスイッチ処理の処理例を示すフローチャートである。スイッチ処理において、遊技制御用マイクロコンピュータ５６０は、まず、入力ポート０，２（図１０参照）に入力されているデータを入力し（Ｓ２１０１）、入力したデータをポートバッファにセットする（Ｓ２１０２）。
【０２１４】
次いで、ＲＡＭ５５に形成されるウェイトカウンタの初期値をセットし（Ｓ２１０３）、ウェイトカウンタの値が０になるまで、ウェイトカウンタの値を１ずつ減算する（Ｓ２１０４，Ｓ２１０５）。
【０２１５】
ウェイトカウンタの値が０になると、再度、入力ポート０，２のデータを入力し（Ｓ２１０６）、入力したデータとポートバッファにセットされているデータとの間で、ビット毎に論理積をとる（Ｓ２１０７）。そして、論理積の演算結果を、ポートバッファにセットする（Ｓ２１０８）。Ｓ２１０３〜Ｓ２１０８の処理によって、ほぼ［ウェイトカウンタの初期値×（Ｓ２１０４，Ｓ２１０５の処理時間）］の時間間隔を置いて入力ポート０，２から入力した２回の入力データのうち、２回とも「１」になっているビットのみが、ポートバッファにおいて「１」になる。つまり、所定期間としての［ウェイトカウンタの初期値×（Ｓ２１０４，Ｓ２１０５の処理時間）］だけスイッチの検出信号のオン状態が継続すると、ポートバッファにおける対応するビットが「１」になる。
【０２１６】
さらに、遊技制御用マイクロコンピュータ５６０は、前回ポートバッファにセットされているデータとポートバッファにセットされているデータとの間で、ビット毎に排他的論理和をとる（Ｓ２１０９）。排他的論理和の演算結果において、前回（たとえば４ｍｓ前）のスイッチオン／オフの判定結果と、今回オンと判定されたスイッチオン／オフの判定結果とが異なっているスイッチに対応したビットが「１」になる。遊技制御用マイクロコンピュータ５６０は、さらに、排他的論理和の演算結果と、ポートバッファにセットされているデータとの間で、ビット毎に論理積をとる（Ｓ２１１０）。この結果、前回のスイッチオン／オフの判定結果と今回オンと判定されたスイッチオン／オフの判定結果とが異なっているスイッチに対応したビット（排他的論理和演算結果による）のうち、今回オンと判定されたスイッチに対応したビット（論理積演算による）のみが「１」として残る。
【０２１７】
そして、遊技制御用マイクロコンピュータ５６０は、Ｓ１１０における論理積の演算結果をスイッチオンバッファにセットし（Ｓ２１１１）、Ｓ２１０８における演算結果がセットされているポートバッファの内容を前回ポートバッファにセットする（Ｓ２１１２）。
【０２１８】
以上の処理によって、所定期間継続してオン状態であったスイッチのうち、前回（たとえば４ｍｓ前）のスイッチオン／オフの判定結果がオフであったスイッチ、すなわち、オフ状態からオン状態に変化したスイッチに対応したビットが、スイッチオンバッファにおいて「１」になっている。
【０２１９】
さらに、遊技制御用マイクロコンピュータ５６０（具体的には、ＣＰＵ５６）は、スイッチ正常／異常チェック処理を行なう（Ｓ２１１３）。
【０２２０】
図２７は、スイッチ正常／異常チェック処理を示すフローチャートである。図２７に示すスイッチ正常／異常チェック処理において、ＣＰＵ５６は、入力ポート２に対応するスイッチオンバッファの内容を読み出す（Ｓ２１２１）。そして、入力ポート２に対応するスイッチオンバッファにおける始動口スイッチ１４ａに対応するビット０の値が０であるか否か確認する（Ｓ２１２２）。すなわち、始動入賞口１４内の上部に設けられた始動口スイッチ１４ａ（近接スイッチ）がオン（遊技球を検出）したか否か確認する。
【０２２１】
入力ポート２に対応するスイッチオンバッファにおける始動口スイッチ１４ａに対応するビット０の値が０である場合（すなわち、始動口スイッチ１４ａがオン状態である場合）には、ＲＡＭ５５に形成されているスイッチ用カウンタ１の値を１増やす（Ｓ２１２３）。
【０２２２】
また、ＣＰＵ５６は、入力ポート０に対応するスイッチオンバッファの内容を読み出す（Ｓ２１２４）。そして、ＣＰＵ５６は、入力ポート０に対応するスイッチオンバッファにおける入賞確認１スイッチ１４ｂに対応するビット４の値が１であるか否か確認する（Ｓ２１２５）。すなわち、始動入賞口１４内の下部に設けられた入賞確認１スイッチ１４ｂ（フォトセンサ）がオン（遊技球を検出）したか否か確認する。
【０２２３】
入力ポート０に対応するスイッチオンバッファにおける入賞確認１スイッチ１４ｂに対応するビット４の値が１である場合（すなわち、入賞確認１スイッチ１４ｂがオン状態である場合）には、ＲＡＭ５５に形成されているスイッチ用カウンタ１の値を１減らす（Ｓ２１２６）。
【０２２４】
そして、ＣＰＵ５６は、スイッチ用カウンタ１の値が所定値以上になっているか否か確認する（ステップＳ２１２７）。スイッチ用カウンタ１の値が所定値以上になっている場合には、ＣＰＵ５６は、始動入賞口１４への排出異常が発生したと判定し、排出異常が発生したことを示す排出異常フラグをセットする（Ｓ２１２８Ａ）。また、ＣＰＵ５６は、排出異常が発生したことの報知を指定する排出異常報知指定コマンドを演出制御用マイクロコンピュータ１００に送信する制御を行なう（Ｓ２１２８Ｂ）。なお、この実施の形態では、ＣＰＵ５６は、スイッチ用カウンタ１の値が所定値として１０以上となったことに基づいて排出異常フラグがセットされ、情報出力処理（Ｓ３１参照）において排出異常フラグがセットされていることに基づいてセキュリティ信号が外部出力される。そして、遊技機の電源が再投入され初期化処理が実行されて排出異常フラグがリセットされるまで、セキュリティ信号が継続して外部出力される。
【０２２５】
次いで、ＣＰＵ５６は、入力ポート０に対応するスイッチオンバッファにおけるカウントスイッチ２３に対応するビット０の値が１であるか否か確認する（Ｓ２１２９）。すなわち、大入賞口内の上部に設けられたカウントスイッチ２３（近接スイッチ）がオン（遊技球を検出）したか否か確認する。
【０２２６】
入力ポート０に対応するスイッチオンバッファにおけるカウントスイッチ２３に対応するビット０の値が１である場合（すなわち、カウントスイッチ２３がオン状態である場合）には、ＲＡＭ５５に形成されているスイッチ用カウンタ２の値を１増やす（Ｓ２１３０）。
【０２２７】
また、ＣＰＵ５６は、入力ポート０に対応するスイッチオンバッファにおける入賞確認２スイッチ２３ｂに対応するビット５の値が１であるか否か確認する（Ｓ２１３１）。すなわち、大入賞口内の下部に設けられた入賞確認２スイッチ２３ｂ（フォトセンサ）がオン（遊技球を検出）したか否か確認する。
【０２２８】
入力ポート０に対応するスイッチオンバッファにおける入賞確認２スイッチ２３ｂに対応するビット５の値が１である場合（すなわち、入賞確認２スイッチ２３ｂがオン状態である場合）には、ＲＡＭ５５に形成されているスイッチ用カウンタ２の値を１減らす（Ｓ２１３２）。
【０２２９】
そして、ＣＰＵ５６は、スイッチ用カウンタ２の値が所定値以上になっているか否か確認する（ステップＳ２１３３）。スイッチ用カウンタ２の値が所定値以上になっている場合には、ＣＰＵ５６は、大入賞口への排出異常が発生したと判定し、排出異常フラグをセットする（Ｓ２１３４Ａ）。また、ＣＰＵ５６は、排出異常報知指定コマンドを演出制御用マイクロコンピュータ１００に送信する制御を行なう（Ｓ２１３４Ｂ）。なお、この実施の形態では、ＣＰＵ５６は、スイッチ用カウンタ２の値が所定値として１０以上となったことに基づいて、排出異常フラグがセットされ、情報出力処理（Ｓ３１参照）において排出異常フラグがセットされていることに基づいてセキュリティ信号が外部出力される。そして、遊技機の電源が再投入され初期化処理が実行されて排出異常フラグがリセットされるまで、セキュリティ信号が継続して外部出力される。
【０２３０】
なお、Ｓ２１２７，Ｓ２１３３の処理において、ＣＰＵ５６は、たとえば、スイッチ用カウンタ１，２の値が１０以上となったことに基づいて、始動入賞口１４や大入賞口への排出異常が発生したと判定することに加えて、逆にスイッチ用カウンタ１，２の値が−１０以下となったことに基づいても、始動入賞口１４や大入賞口への排出異常が発生したと判定するようにしてもよい。この場合、スイッチ用カウンタ１，２の値がマイナス値となっていることを認識できないように構成されている場合には、たとえば、スイッチ用カウンタ１，２の値のデフォルト値として１０をセットするようにしておき、スイッチ用カウンタ１，２の値が０または２０以上となったことに基づいて、始動入賞口１４や大入賞口への排出異常が発生したと判定するようにしてもよい。
【０２３１】
なお、この実施の形態では、１つのスイッチ用カウンタ１，２のみを用いて始動入賞口１４や大入賞口への排出異常を検出する場合を示したが、始動口スイッチ１４ａやカウントスイッチ２３の検出回数と入賞確認スイッチ１４ｂ，２３ｂの検出回数とで異なるスイッチ用カウンタを用いてもよい。この場合、たとえば、始動口スイッチ１４ａやカウントスイッチ２３のオン状態を検出するごとに第１スイッチ用カウンタの値を１加算するようにするとともに、入賞確認スイッチ１４ｂ，２３ｂのオン状態を検出するごとに第２スイッチ用カウンタの値を１加算するようにすればよい。そして、Ｓ２１２７，Ｓ２１３３では、第１スイッチ用カウンタの値と第２スイッチ用カウンタの値との差が所定値（たとえば、１０）以上であると判定したことに基づいて、始動入賞口１４や大入賞口への排出異常が発生したと判定し、Ｓ２１２８，Ｓ２１３４の処理を実行してセキュリティ信号を外部出力するようにすればよい。
【０２３２】
図２８および図２９は、スイッチ正常／異常チェック処理を説明するための説明図である。このうち、図２８は、正常な状態におけるスイッチ正常／異常チェック処理の例を示しており、図２９は、排出異常につながる不正行為が行なわれているときのスイッチ正常／異常チェック処理の例を示している。また、図２８（Ａ）および図２９（Ａ）は、始動入賞口１４への排出異常の有無を検出する場合を示しており、図２８（Ｂ）および図２９（Ｂ）は、大入賞口への排出異常の有無を検出する場合を示している。
【０２３３】
まず、始動入賞口１４への排出異常の有無を検出する場合を説明する。図２８（Ａ）および図２９（Ａ）に示すように、入力ポート２に対応するスイッチオンバッファのビット０は、そのビット０に対応する始動口スイッチ１４ａ（近接スイッチ）によって遊技球が検出されると「０」になる。また、入力ポート０に対応するスイッチオンバッファのビット４は、そのビット４に対応する入賞確認１スイッチ１４ｂ（フォトセンサ）によって遊技球が検出されると「１」になる。スイッチが正常に動作し、かつ、不正行為（スイッチからの検出信号を不正にオン状態にしたり、オン状態の検出信号を不正にオフ状態にしたりする行為）を受けていない場合には、始動口スイッチ１４ａが入賞確認１スイッチ１４ｂよりも上流側に配置されていることから、まず、始動口スイッチ１４ａ（近接スイッチ）がオンし、次いで、入賞確認１スイッチ１４ｂ（フォトセンサ）がオンするはずである。従って、まず始動口スイッチ１４ａがオンしたことに基づいてスイッチ用カウンタ１の値が１加算されて１となり（Ｓ２１２３参照）、次いで入賞確認１スイッチ１４ｂがオンしたことに基づいてスイッチ用カウンタ１の値が１減算されて０に戻る（Ｓ２１２６参照）。よって、遊技球がスイッチを通過するときに、入力ポート２に対応するスイッチオンバッファのビット０が「０」となるとともに、入力ポート０に対応するスイッチオンバッファのビット４が「１」となり、正常な動作状態であれば、カウントアップのタイミングにずれ（遊技球の通過タイミングのずれに相当）があるものの、図２８（Ａ）に示すように、スイッチ用カウンタ１の値は０に保たれる筈である。
【０２３４】
しかし、電波による不正行為が行なわれた場合には、図２９（Ａ）に示すように、始動口スイッチ１４ａが１回オンする筈の期間に、電波により不正にオフ状態を割り込ませ、恰も始動口スイッチ１４ａが２回オンしたかのように認識させる不正行為が行なわれるおそれがある。たとえば、図２９（Ａ）に示すように、負論理で入力される始動口スイッチ１４ａの場合、信号がローレベルとなってオン状態となっているときに、電波などにより不正にノイズをのせてハイレベルとしてオフ状態とさせるような行為が行なわれるおそれがある。従って、始動口スイッチ１４ａが１回だけオンとなったにもかかわらず、始動口スイッチ１４ａが２回に亘ってオンしたと誤認識させられてスイッチ用カウンタ１の値が合計で２加算されて２となる（Ｓ２１２３が２回実行されることになる）。一方、下流側に配置されている入賞確認１スイッチ１４ｂは、電磁式である始動口スイッチ１４ａとは検出方式が異なり、光学式のフォトセンサが用いられていることから、電波による不正行為の影響を受けない。そのため、図２９（Ａ）に示すように、始動口スイッチ１４ａで遊技球を１球検出した後に、少し遅れて入賞確認１スイッチ１４ｂ側で遊技球を検出されたときに、正常に入賞確認１スイッチ１４ｂのオンを１回だけ検出して、スイッチ用カウンタ１の値を１減算して１とする（Ｓ２１２６参照）。従って、電波による不正行為が行なわれた場合には、検出方式の異なる始動口スイッチ１４ａと入賞確認１スイッチ１４ｂとの間で検出数に差が生じるのであるから、図２９（Ａ）に示すように、スイッチ用カウンタ１の値が０に保たれず、スイッチ用カウンタ１の値が所定値（本例では１０）以上となったことに基づいて（始動口スイッチ１４ａと入賞確認１スイッチ１４ｂとの間の検出誤差の累積値が所定値（本例では１０）以上となったことに基づいて）、始動入賞口１４への排出異常が発生したことを検出することができる。
【０２３５】
次に、大入賞口への排出異常の有無を検出する場合を説明する。図２８（Ｂ）および図２９（Ｂ）に示すように、入力ポート０に対応するスイッチオンバッファのビット０は、そのビット０に対応するカウントスイッチ２３（近接スイッチ）によって遊技球が検出されると「１」になる。また、入力ポート０に対応するスイッチオンバッファのビット５は、そのビット５に対応する入賞確認２スイッチ２３ｂ（フォトセンサ）によって遊技球が検出されると「１」になる。スイッチが正常に動作し、かつ、不正行為（スイッチからの検出信号を不正にオン状態にしたり、オン状態の検出信号を不正にオフ状態にしたりする行為）を受けていない場合には、カウントスイッチ２３が入賞確認２スイッチ２３ｂよりも上流側に配置されていることから、まず、カウントスイッチ２３（近接スイッチ）がオンし、次いで、入賞確認２スイッチ２３ｂ（フォトセンサ）がオンするはずである。従って、まずカウントスイッチ２３がオンしたことに基づいてスイッチ用カウンタ２の値が１加算されて１となり（Ｓ２１３０参照）、次いで入賞確認２スイッチ２３ｂがオンしたことに基づいてスイッチ用カウンタ２の値が１減算されて０に戻る（Ｓ２１３２参照）。よって、遊技球がスイッチを通過するときに、入力ポート０に対応するスイッチオンバッファのビット０が「１」となるとともに、入力ポート０に対応するスイッチオンバッファのビット５が「１」となり、正常な動作状態であれば、カウントアップのタイミングにずれ（遊技球の通過タイミングのずれに相当）があるものの、図２８（Ｂ）に示すように、スイッチ用カウンタ２の値は０に保たれる筈である。
【０２３６】
しかし、電波による不正行為が行なわれた場合には、図２９（Ｂ）に示すように、正論理であるカウントスイッチ２３の信号がローレベルとなってオフ状態となっているときに、電波などにより不正にノイズをのせてハイレベルとしてオン状態とさせて、恰もカウントスイッチ２３がオンしたかのように認識させる不正行為が行なわれるおそれがある。従って、たとえば、図２９（Ｂ）に示す例では、カウントスイッチ２３が１回だけオンとなったにもかかわらず、カウントスイッチ２３が２回に亘ってオンしたと誤認識させられてスイッチ用カウンタ２の値が合計で２加算されて２となる（Ｓ２１３０が２回実行されることになる）。一方、下流側に配置されている入賞確認２スイッチ２３ｂは、電磁式であるカウントスイッチ２３とは検出方式が異なり、光学式のフォトセンサが用いられていることから、電波による不正行為の影響を受けない。そのため、図２９（Ｂ）に示すように、カウントスイッチ２３で遊技球を１球検出した後に、少し遅れて入賞確認２スイッチ２３ｂ側で遊技球を検出されたときに、正常に入賞確認２スイッチ２３ｂのオンを１回だけ検出して、スイッチ用カウンタ２の値を１減算して１とする（Ｓ２１３２参照）。従って、電波による不正行為が行なわれた場合には、検出方式の異なるカウントスイッチ２３と入賞確認２スイッチ２３ｂとの間で検出数に差が生じるのであるから、図２９（Ｂ）に示すように、スイッチ用カウンタ２の値が０に保たれず、スイッチ用カウンタ２の値が所定値（本例では１０）以上となったことに基づいて（カウントスイッチ２３と入賞確認２スイッチ２３ｂとの間の検出誤差の累積値が所定値（本例では１０）以上となったことに基づいて）、大入賞口への排出異常が発生したことを検出することができる。
【０２３７】
なお、不正に光を照射するなどの行為によって同様な不正行為が行なわれることも考えられる。この場合、入賞確認１スイッチ１４ｂや入賞確認２スイッチ２３ｂが１回オンする筈の期間に、光により不正にオフ状態を割り込ませ、恰も入賞確認１スイッチ１４ｂや入賞確認２スイッチ２３ｂが２回オンしたかのように認識させる不正行為が行なわれるおそれがある。しかし、この場合、逆に電磁式の始動口スイッチ１４ａやカウントスイッチ２３側では光による不正行為の影響をうけず正常に遊技球を検出できるのであるから、同様にスイッチ用カウンタ１，２の値が０に保たれず、スイッチ用カウンタ１，２の値が所定値（本例では１０）以上となったことに基づいて（始動口スイッチ１４ａと入賞確認１スイッチ１４ｂとの間の検出誤差の累積値、またはカウントスイッチ２３と入賞確認２スイッチ２３ｂとの間の検出誤差の累積値が所定値（本例では１０）以上となったことに基づいて）、始動入賞口１４や大入賞口への排出異常が発生したことを検出することができる。
【０２３８】
また、この実施の形態では、スイッチ用カウンタ１，２の値が０に保たれていないこと（始動口スイッチ１４ａと入賞確認１スイッチ１４ｂとの間に検出誤差が発生したこと、またはカウントスイッチ２３と入賞確認２スイッチ２３ｂとの間に検出誤差が発生したこと）に基づいて直ちに排出異常と判定するのではなく、スイッチ用カウンタ１，２の値が所定値（本例では１０）以上となったことに基づいて排出異常が発生したと判定している。そのように構成することによって、たとえば、始動入賞口１４内や大入賞口内で遊技球が球詰まり状態を起こした場合などを不正行為による排出異常と判定することを防止している。
【０２３９】
図３０は、始動入賞口１４内で遊技球が球詰まり状態を起こした場合を示す説明図である。なお、図３０では、一例として、始動入賞口１４内で球詰まり状態が発生した場合を示しているが、大入賞口内で球詰まり状態が発生した場合についても同様に考えることができる。
【０２４０】
図３０に示すように、始動入賞口１４内において、始動口スイッチ１４ａと入賞確認１スイッチ１４ｂとは、上下に一定の距離をおいて配置されている。そのため、始動入賞口１４に入賞した遊技球は、まず始動口スイッチ１４ａで検出された後、少し時間をおいて下流側の入賞確認１スイッチ１４ｂで検出されることになる。図３０に示すように、始動入賞口１４内において遊技球が球詰まり状態を起こした場合には、始動口スイッチ１４ａと入賞確認１スイッチ１４ｂとの物理的な距離差によって、その検出数に差が生じた状態となる。この実施の形態では、図３０に示すように、始動口スイッチ１４ａと入賞確認１スイッチ１４ｂとの間で最大３個の検出誤差が生じるものとする。そこで、この実施の形態では、スイッチ用カウンタ１の値が、球詰まり状態における始動口スイッチ１４ａと入賞確認１スイッチ１４ｂとの検出誤差３個に対して十分余裕をもたせた所定値（本例では１０）以上となったことに基づいて排出異常が発生したと判定することによって、始動入賞口１４内で遊技球が球詰まり状態を起こした場合などを不正行為による排出異常と判定することを防止している。
【０２４１】
なお、この実施の形態では、球詰まり状態における始動口スイッチ１４ａと入賞確認１スイッチ１４ｂとの検出誤差３個に対して十分余裕をもたせた所定値（本例では１０）以上となったことに基づいて排出異常が発生したと判定する場合を示しているが、排出異常の判定に用いる所定値は、この実施の形態で示したものに限られない。たとえば、少なくとも、球詰まり状態における始動口スイッチ１４ａと入賞確認１スイッチ１４ｂとの検出誤差３個より多い数であれば、誤って排出異常と判定してしまうことを防止できるのであるから、スイッチ用カウンタ１の値が４以上となったことに基づいて排出異常が発生したと判定するようにしてもよい（大入賞口に関しても、同様に、スイッチ用カウンタ２の値が４以上となったことに基づいて排出異常が発生したと判定するようにしてもよい）。
【０２４２】
また、特に、始動入賞口を２つ備えるように遊技機を構成した場合には、これら２つの始動入賞口に加えて大入賞口の排出異常を検出可能に構成し、１つ当りの入賞口において球詰まり状態における検出誤差がそれぞれ３個ずつであるとすると、最大３個×３＝９個までの検出誤差であれば、電波を用いた不正行為によらなくても、入賞口における球詰まりによって生じる可能性がある。そこで、そのような場合には、スイッチ用カウンタの値が少なくとも１０以上となったことに基づいて排出異常が発生したと判定すれば、誤って排出異常を判定することを防止することができる。
【０２４３】
図３１は、Ｓ２３の異常入賞報知処理を示すフローチャートである。異常入賞報知処理において、遊技制御用マイクロコンピュータ５６０（具体的には、ＣＰＵ５６）は、特別図柄プロセスフラグの値が５以上であるか否か確認する（Ｓ２５１）。特別図柄プロセスフラグの値が５以上であるときは（Ｓ２５１のＹ）、大当り遊技中または小当り遊技中である状態である。そのような状態であれば、大入賞口に遊技球が入賞する可能性があるので、大入賞口への異常入賞の確認処理を行なわずに、Ｓ２６１の処理に移行する。
【０２４４】
特別図柄プロセスフラグの値が５未満である状態は、大当り遊技も小当り遊技も行なわれていない状態である。このような状態のときに大入賞口に遊技球の入賞があれば、その入賞は異常入賞であると判断することができる。従って、以下に示す大入賞口への異常入賞の確認処理を行なう。
【０２４５】
すなわち、特別図柄プロセスフラグの値が５未満であれば（Ｓ２５１のＮ）、ＣＰＵ５６は、スイッチオンバッファ１（入力ポート０に対応するスイッチオンバッファ）の内容をレジスタにロードする（Ｓ２５２）。そして、ＣＰＵ５６は、ロードしたスイッチオンバッファ１の内容とカウントスイッチ入力ビット判定値（０１（Ｈ）、図１０参照）との論理積をとる（Ｓ２５３）。スイッチオンバッファ１の内容が０１（Ｈ）であったとき、すなわちカウントスイッチ２３がオンしているときには、論理積の演算結果は０１（Ｈ）になる。カウントスイッチ２３がオンしていないときには、論理積の演算結果は、０（００（Ｈ））になる。
【０２４６】
論理積の演算結果が０でない場合には（Ｓ２５４のＮ）、すなわち、カウントスイッチ２３がオンしていれば、ＣＰＵ５６は、大入賞口への異常入賞が生じたと判定し、セキュリティ信号情報タイマに所定時間（本例では、３０秒）をセットする（Ｓ２５５）。この実施の形態では、Ｓ２５５でセキュリティ信号情報タイマに所定時間がセットされたことに基づいて、情報出力処理（Ｓ３１参照）が実行されることによって、大入賞口への異常入賞が検出されたときに、セキュリティ信号が所定時間（本例では、３０秒）外部出力される。
【０２４７】
次いで、ＣＰＵ５６は、大入賞口への異常入賞の検出数をカウントするための入賞累積数カウンタの値を１加算する（Ｓ２５６）。そして、入賞累積数カウンタの値が２０となっていれば（Ｓ２５７）、ＣＰＵ５６は、第１態様で大入賞口への異常入賞の報知を行なうことを示す異常入賞１報知指定コマンドを演出制御用マイクロコンピュータ１００に送信する制御を行なう（Ｓ２５８）。また、入賞累積数カウンタの値が５０となっていれば（Ｓ２５９）、ＣＰＵ５６は、第２態様で大入賞口への異常入賞の報知を行なうことを示す異常入賞２報知指定コマンドを演出制御用マイクロコンピュータ１００に送信する制御を行なう（Ｓ２６０）。一方、論理積の演算結果が０である場合には（Ｓ２５４のＹ）、すなわち、カウントスイッチ２３がオンしていなければ、ＣＰＵ５６は、大入賞口への異常入賞が生じていないと判定し、Ｓ２６１の処理に移行する。
【０２４８】
Ｓ２６１では、ＣＰＵ５６は、普通図柄プロセスフラグの値が３であるか否か確認する（Ｓ２６１）。普通図柄プロセスフラグの値が３である状態は、普通電動役物（可変入賞球装置１５）が開状態であると判断される状態（可変入賞球装置１５が物理的に開いている状態のときと、可変入賞球装置１５が物理的に閉鎖されてから所定のインターバル期間を経過するまでの状態のときとを含む）である。そのような状態であれば（Ｓ２６１のＹ）、始動入賞口１４に遊技球が入賞する可能性があるので、始動入賞口１４への異常入賞の確認処理を行なわずに異常入賞報知処理を終了する。
【０２４９】
普通図柄プロセスフラグの値が３でない状態は（Ｓ２６１のＮ）、普通電動役物（可変入賞球装置１５）が開状態以外の状態と判断される状態である。このような状態のときに始動入賞口１４に遊技球の入賞があれば、その入賞は異常入賞である可能性がある。従って、以下に示す始動入賞口１４への異常入賞の確認処理を行なう。
【０２５０】
すなわち、普通図柄プロセスフラグの値が３でなければ（Ｓ２６１のＮ）、ＣＰＵ５６は、スイッチオンバッファ２（入力ポート２に対応するスイッチオンバッファ）の内容をレジスタにロードする（Ｓ２６２）。そして、ＣＰＵ５６は、ロードしたスイッチオンバッファ２の内容と始動口スイッチ入力ビット判定値（０１（Ｈ）、図１０参照）との論理積をとる（Ｓ２６３）。スイッチオンバッファ２の内容が０１（Ｈ）であったとき、すなわち始動口スイッチ１４ａがオンしているときには、論理積の演算結果は０１（Ｈ）になる。始動口スイッチ１４ａがオンしていないときには、論理積の演算結果は、０（００（Ｈ））になる。
【０２５１】
論理積の演算結果が０でない場合には（Ｓ２６４のＮ）、すなわち、始動口スイッチ１４ａがオンしていれば、ＣＰＵ５６は、始動入賞口１４への異常入賞が生じたと判定し、セキュリティ信号情報タイマに所定時間（本例では、３０秒）をセットする（Ｓ２６５）。この実施の形態では、Ｓ２６５でセキュリティ信号情報タイマに所定時間がセットされたことに基づいて、情報出力処理（Ｓ３１参照）が実行されることによって、始動入賞口１４への異常入賞が検出されたときに、セキュリティ信号が所定時間（本例では、３０秒）外部出力される。
【０２５２】
次いで、ＣＰＵ５６は、始動入賞口１４への異常入賞の検出数をカウントするための始動入賞累積数カウンタの値を１加算する（Ｓ２６６）。そして、始動入賞累積数カウンタの値が２０となっていれば（Ｓ２６７）、ＣＰＵ５６は、第１態様で始動入賞口１４への異常入賞の報知を行なうことを示す始動異常入賞１報知指定コマンドを演出制御用マイクロコンピュータ１００に送信する制御を行なう（Ｓ２６８）。また、始動入賞累積数カウンタの値が５０となっていれば（Ｓ２６９）、ＣＰＵ５６は、第２態様で始動入賞口１４への異常入賞の報知を行なうことを示す始動異常入賞２報知指定コマンドを演出制御用マイクロコンピュータ１００に送信する制御を行なう（Ｓ２７０）。一方、論理積の演算結果が０である場合には（Ｓ２６４のＹ）、すなわち、始動口スイッチ１４ａがオンしていなければ、ＣＰＵ５６は、始動入賞口１４への異常入賞が生じていないと判定し、処理を終了する。
【０２５３】
以上のような処理によって、大当り遊技も小当り遊技も行なわれていない状態においてカウントスイッチ２３がオンした場合には、大入賞口への異常入賞が発生したと判定され、情報出力処理（Ｓ３１参照）においてセキュリティ信号が外部出力されることになる。また、大入賞口への異常入賞の検出数が２０となれば異常入賞１報知指定コマンドが送信され、大入賞口への異常入賞の検出数が５０となれば異常入賞２報知指定コマンドが送信される。また、可変入賞球装置１５が開閉動作していない状態（始動入賞口１４が開状態以外の状態）において始動口スイッチ１４ａがオンした場合にも、始動入賞口１４への異常入賞が発生したと判定され、情報出力処理（Ｓ３１参照）においてセキュリティ信号が外部出力されることになる。また、始動入賞口１４への異常入賞の検出数が２０となれば始動異常入賞１報知指定コマンドが送信され、始動入賞口１４への異常入賞の検出数が５０となれば始動異常入賞２報知指定コマンドが送信される。
【０２５４】
なお、Ｓ２５１の処理では、ＣＰＵ５６が、特別図柄プロセスフラグの値に基づいて大入賞口への異常入賞が生じたか否か判定するようにしている。そのため、１つのデータに基づいて異常入賞が生じたか否か判定できるので、判定処理を簡素化することができる。また、上述したように、特別可変入賞球装置２０が閉鎖した後に大当り終了処理または小当り終了処理が所定時間実行されるので、特別可変入賞球装置２０が閉鎖する直前に大入賞口に入賞した遊技球が、特別図柄プロセスフラグの値が０に戻った後にカウントスイッチ２３で検出されてしまうということが防止され、正規の入賞であるにもかかわらずセキュリティ信号が外部出力されたり異常が報知されてしまうようなことはない。
【０２５５】
また、Ｓ２６１の処理では、ＣＰＵ５６が、普通図柄プロセスフラグの値に基づいて始動入賞口１４への異常入賞が生じたか否か判定するようにしている。そのため、１つのデータに基づいて異常入賞が生じたか否か判定できるので、判定処理を簡素化することができる。また、上述したように、異常入賞を判定するタイミングを可変入賞球装置１５を閉鎖するタイミングよりも遅らせる方法として、普通図柄プロセスフラグの値が３から０に切り替わる所定時間前に可変入賞球装置１５を閉鎖し、普通図柄プロセスフラグの値が３から０に切り替わった時点で異常入賞の判定を行なうようにしているので、可変入賞球装置１５が閉鎖する直前に始動入賞口１４に入賞した遊技球が、普通図柄プロセスフラグの値が０に戻った後に始動口スイッチ１４ａで検出されてしまうということが防止され、正規の入賞であるにもかかわらずセキュリティ信号が外部出力されたり異常が報知されてしまうようなことはない。
【０２５６】
なお、可変入賞球装置１５を閉鎖すると同時に普通図柄プロセスフラグの値が３から０に切り替え、普通図柄プロセスフラグの値が３から０に切り替わってから所定時間経過後に異常入賞の判定を行なうようにしてもよい。また、大入賞口への異常入賞の判定においても、同様の方法により異常入賞を判定するタイミングを大入賞口（特別可変入賞球装置２０）を閉鎖するタイミングよりも遅らせるようにしてもよい。
【０２５７】
図３２は、ターミナル基板１６０に出力される各種信号を示すブロック図である。図３２に示すように、この実施の形態では、主基板３１に搭載されている遊技制御用マイクロコンピュータ５６０からターミナル基板１６０に対して、図柄確定回数１信号、始動口信号、大当り１信号、大当り２信号、大当り３信号、時短信号、入賞信号、セキュリティ信号、および高確中信号が、遊技制御用マイクロコンピュータ５６０側の情報出力処理（Ｓ３１参照）によって出力される。また、この実施の形態では、払出制御基板３７に搭載されている払出制御用マイクロコンピュータ３７０から、主基板３１を経由して、ターミナル基板１６０に対して、賞球情報が、払出制御用マイクロコンピュータ３７０側の情報出力処理によって出力される。
【０２５８】
図柄確定回数１信号は、特別図柄の変動回数を通知するための信号である。始動口信号は、始動入賞口１４への入賞個数を通知するための信号である。大当り１信号は、大当り遊技中（特別可変入賞球装置の動作中）であることを通知するための信号である。大当り２信号は、大当り遊技中（特別可変入賞球装置の動作中）で、または特別図柄の変動時間短縮機能が作動中（時短状態中）であることを通知するための信号である。大当り３信号は、１５ラウンドの大当り遊技中であることを通知するための信号である。時短信号は、特別図柄の変動時間短縮機能が作動中（時短状態中）であることを通知するための信号である。
【０２５９】
また、入賞信号は、既に説明したように、所定数分（この実施の形態では、１０個分）の賞球を払い出すための所定の払出条件が成立したこと（始動入賞口１４、大入賞口、普通入賞口２９，３０への入賞が発生したこと。賞球の払出までは行なわれていない。具体的には、近接スイッチ（入賞口スイッチ２９ａ，３０ａ、カウントスイッチ２３、始動口スイッチ１４ａ）からの検出信号とフォトセンサ（入賞確認スイッチ２９ｂ，３０ｂ，２３ｂ，１４ｂ）からの検出信号との両方を入力したことを条件として、所定の払出条件が成立したと判定されたこと。）を示す信号である。
【０２６０】
また、セキュリティ信号は、遊技機のセキュリティ状態を示す信号である。具体的には、始動口スイッチ１４ａの検出結果と入賞確認１スイッチ１４ｂの検出結果とに基づいて、始動入賞口１４への排出異常が発生したと判定された場合に、セキュリティ信号が電源が再投入されて初期化処理が実行されるまでホールコンピュータなどの外部装置に出力される。また、カウントスイッチ２３の検出結果と入賞確認２スイッチ２３ｂの検出結果とに基づいて、大入賞口への排出異常が発生したと判定された場合に、セキュリティ信号が電源が再投入されて初期化処理が実行されるまでホールコンピュータなどの外部装置に出力される。また、大入賞口や始動入賞口１４への異常入賞が検出された場合にも、セキュリティ信号が所定期間（たとえば、３０秒間）ホールコンピュータなどの外部装置に出力される。また、遊技機への電源投入が行なわれて初期化処理が実行された場合にも、セキュリティ信号が所定期間（たとえば、３０秒間）ホールコンピュータなどの外部装置に出力される。
【０２６１】
なお、セキュリティ信号として外部出力される信号は、この実施の形態で示したものに限られない。たとえば、始動入賞口１４や大入賞口への排出異常に限らず、普通入賞口２９，３０への排出異常を検出して、セキュリティ信号として外部出力可能なように構成してもよい。また、たとえば、遊技機に設けられた磁石センサで異常磁気を検出した場合や、遊技機に設けられた電波センサで異常電波を検出した場合に、セキュリティ信号として外部出力可能なように構成してもよい。また、たとえば、遊技機に設けられた各種スイッチの異常を検出した場合（たとえば、入力値が閾値を超えたと判定したことにより、短絡などの発生を検出した場合）に、セキュリティ信号として外部出力可能なように構成してもよい。そのように、普通入賞口への排出異常や磁気異常、電波異常についてもターミナル基板１６０の共通のコネクタＣＮ８からセキュリティ信号として外部出力可能なように構成すれば、１本の信号線さえ接続すればホールコンピュータなど外部装置で異常検出を行なえるようにすることができ、異常検出に関する作業負担を軽減することができる。
【０２６２】
また、たとえば、遊技制御用マイクロコンピュータ５６０と払出制御用マイクロコンピュータ３７０との間の通信異常を検出した場合にも、ターミナル基板１６０の共通のコネクタＣＮ８からセキュリティ信号として外部出力可能なように構成してもよい。この場合、たとえば、遊技制御用マイクロコンピュータ５６０は、払出制御用マイクロコンピュータ３７０から払出制御コマンドを受信できなかったことに基づいて通信異常が発生したと判定し、ターミナル基板１６０の共通のコネクタＣＮ８からセキュリティ信号として外部出力してもよい。また、たとえば、遊技制御用マイクロコンピュータ５６０は、シリアル通信回路５１１のステータスレジスタのいずれかのエラービットの値がセットされていることに基づいて通信異常が発生したと判定し、ターミナル基板１６０の共通のコネクタＣＮ８からセキュリティ信号として外部出力してもよい。
【０２６３】
なお、セキュリティ信号用の信号線およびコネクタＣＮ８とは別に、遊技制御用マイクロコンピュータ５６０と払出制御用マイクロコンピュータ３７０との間の通信異常専用の信号線およびコネクタをターミナル基板１６０に設けてもよい。そして、遊技制御用マイクロコンピュータ５６０と払出制御用マイクロコンピュータ３７０との間の通信異常を検出した場合には、セキュリティ信号とは別の信号として、ターミナル基板１６０を経由してホールコンピュータなどの外部装置に出力するようにしてもよい。
【０２６４】
高確中信号は、遊技状態が高確率状態（確変状態）に制御されていることを示す信号である。この実施の形態では、高確中信号は、停電復旧してから所定条件が成立するまで（具体的には、最初の大当りが発生するまで）、ターミナル基板１６０を介して外部出力される。
【０２６５】
また、賞球情報は、既に説明したように、賞球払出を特定数（本例では１０個）検出するごとに出力される信号である。なお、この実施の形態では、所定数分（この実施の形態では、１０個分）の賞球を払い出すための所定の払出条件が成立したこと（始動入賞口１４、大入賞口、普通入賞口２９，３０への入賞が発生したこと。具体的には、近接スイッチ（入賞口スイッチ２９ａ，３０ａ、カウントスイッチ２３、始動口スイッチ１４ａ）からの検出信号とフォトセンサ（入賞確認スイッチ２９ｂ，３０ｂ，２３ｂ，１４ｂ）からの検出信号との両方を入力したことを条件として、所定の払出条件が成立したと判定されたこと。）に基づいて入賞信号が外部出力され、入賞信号に基づいてホール側で賞球数の把握を行なうことができる。そのため、賞球情報については、外部出力しないように構成してもよい。
【０２６６】
図３３〜図３７は、Ｓ３１の情報出力処理を示すフローチャートである。なお、図３３〜図３７に示す処理のうち、Ｓ１００２〜Ｓ１０２０が始動口信号を出力するための処理であり、Ｓ１０２１〜Ｓ１０２３が入賞信号を出力するための処理であり、Ｓ１０３１〜Ｓ１０３６が図柄確定回数１信号を出力するための処理であり、Ｓ１０５０〜Ｓ１０６８が大当り１信号、大当り２信号、大当り３信号および時短信号を出力するための処理である。また、Ｓ１０６８Ａ〜Ｓ１０６８Ｃ，Ｓ１０６９〜Ｓ１０７４がセキュリティ信号を出力するための処理であり、Ｓ１０７５〜Ｓ１０７７が高確中信号を出力するための処理である。
【０２６７】
情報出力処理において、ＣＰＵ５６は、まず、始動口情報設定テーブルのアドレスをポインタにセットし（Ｓ１００２）、ポインタの指す処理数をロードする（Ｓ１００３）。始動口情報設定テーブルには、処理数（＝１）と始動口スイッチ入力ビット（始動口スイッチ入力ビット判定値（０１（Ｈ）））とが設定されている。なお、始動口スイッチ入力ビット判定値とは、始動入賞口１４への始動入賞の有無を判定するための判定値である。Ｓ１００３では、ポインタが始動口情報設定テーブルの処理数のアドレスを指しているので、始動口情報設定テーブルにおける処理数（＝１）のデータがロードされることになる。なお、遊技機が２つの始動入賞口を備えている場合には、始動口情報設定テーブルに、処理数として２が設定されるとともに、２つの始動入賞口に対する始動口スイッチ入力ビットがそれぞれ設定されるようにすればよい。
【０２６８】
次いで、ＣＰＵ５６は、スイッチオンバッファの内容をレジスタにロードし（Ｓ１００４）、スイッチオンバッファをスイッチ入力データにセットする（Ｓ１００５）。そして、ポインタを１加算し（Ｓ１００６）、ポインタの指す始動口スイッチ入力ビットをレジスタにロードし（Ｓ１００７）、始動口スイッチ入力ビットとスイッチ入力データの論理積をとる（Ｓ１００８）。スイッチオンバッファの内容が０１（Ｈ）であったとき、すなわち始動口スイッチ１４ａがオンしているときは、論理積の演算結果は０１（Ｈ）になる。始動口スイッチ１４ａがオンしていないときは、論理積の演算結果は、００（Ｈ）になる。
【０２６９】
論理積の演算結果が０の場合には（Ｓ１００９のＹ）、Ｓ１０１５の処理に移行する。論理積の演算結果が０でない場合には（Ｓ１００９のＮ）、始動入賞口１４への入賞が生じたと判定し、始動口情報記憶カウンタをレジスタにロードする（Ｓ１０１０）。始動口情報記憶カウンタは、始動口信号の残り出力回数（つまり、始動口信号の未出力の始動入賞の残り入賞個数）をカウントするカウンタである。次いで、ＣＰＵ５６は、始動口情報記憶カウンタを１加算する（Ｓ１０１１）。そして、演算結果（加算した結果）が０でないかどうかを確認する（Ｓ１０１２）。演算結果が０のときは（Ｓ１０１２のＮ）、演算結果を１減算する（Ｓ１０１３）。そして、演算結果を始動口情報記憶カウンタにストアする（Ｓ１０１４）。
【０２７０】
なお、この実施の形態では、始動入賞口１４内の上流側の始動口スイッチ１４ａのオン状態のみを検出したことに基づいて、Ｓ１０１０以降の処理を実行して始動口信号を出力する場合を示しているが、上流側の始動口スイッチ１４ａと下流側の入賞確認スイッチ１４ｂとの両方のオン状態を検出したことに基づいて、始動口信号を出力するように構成してもよい。
【０２７１】
次に、ＣＰＵ５６は、処理数を１減算し（Ｓ１０１５）、処理数が０でないかどうかを判定する（Ｓ１０１６）。処理数が０でないときは（Ｓ１０１６のＹ）、Ｓ１００４の処理に移行する。なお、この実施の形態では、遊技機は始動入賞口１４のみを備えていることから、処理数の初期値として１が設定され、Ｓ１０１６では必ず処理数が０であると判定されることになる。
【０２７２】
Ｓ１０１６で処理数が０であると判定されると（Ｓ１０１６のＮ）、ＣＰＵ５６は、初期値（００（Ｈ））をＲＡＭ５５に形成されている情報バッファにセットする（Ｓ１０１７）。次いで、ＣＰＵ５６は、ＲＡＭ５５に形成されている情報出力バッファの始動口出力ビット位置（図９に示す例では出力ポート１のビット１）をセットする（Ｓ１０１８）。そして、ＣＰＵ５６は、始動口情報記憶タイマのアドレスをポインタにセットし（Ｓ１０１９）、入賞タイマセット処理を実行する（Ｓ１０２０）。
【０２７３】
次いで、ＣＰＵ５６は、情報出力バッファの入賞出力ビット位置（図９に示す例では出力ポート１のビット６）をセットする（Ｓ１０２１）。そして、ＣＰＵ５６は、入賞情報記憶タイマのアドレスをポインタにセットし（Ｓ１０２２）、入賞タイマセット処理を実行する（Ｓ１０２３）。
【０２７４】
なお、この実施の形態では、始動口信号を外部出力する場合と入賞信号を外部出力する場合とで共通のサブルーチン（入賞タイマセット処理）が実行されることによって、情報バッファの始動口出力ビット位置がセットされて始動口信号が出力され、情報バッファの入賞出力ビット位置がセットされて入賞信号が出力される。なお、入賞タイマセット処理の具体的な処理内容については後述する（図３８参照）。
【０２７５】
次に、ＣＰＵ５６は、図柄確定回数１情報タイマをレジスタにロードし（Ｓ１０３１）、図柄確定回数１情報タイマの状態をフラグレジスタに反映させて（Ｓ１０３２）、図柄確定回数１情報タイマがタイムアウトしているかどうかを判定する（Ｓ１０３３）。この実施の形態では、特別図柄変動中処理（Ｓ３０３参照）において、変動時間がタイムアウトすると、特別図柄の変動を停止するときに、図柄確定回数１情報タイマに図柄確定回数出力時間（本例では０．５００秒）がセットされ、その図柄確定回数出力時間が経過していないときは、図柄確定回数１情報タイマがタイムアウトしていないと判定され、図柄確定回数出力時間が経過したとき（図柄確定回数１情報タイマの値が０のとき）に、図柄確定回数１情報タイマがタイムアウトしたと判定される。
【０２７６】
図柄確定回数１情報タイマがタイムアウトしていなければ（Ｓ１０３３のＮ）、図柄確定回数１情報タイマを１減算し（Ｓ１０３４）、演算結果を図柄確定回数１情報タイマにストアする（Ｓ１０３５）。そして、情報バッファの図柄確定回数１出力ビット位置（図９に示す例では出力ポート１のビット０）をセットする（Ｓ１０３６）。情報バッファの図柄確定回数１出力ビット位置がセットされると、その後のＳ１１０２で情報バッファを出力値にセットし、Ｓ１１０３で出力値を出力ポート１に出力することによって、図柄確定回数１信号が出力ポート１から出力される（オン状態となる）。なお、図柄確定回数１情報タイマがタイムアウトすれば（Ｓ１０３３のＹ）、Ｓ１０３６の処理が実行されない結果、図柄確定回数１信号はオフ状態となる。
【０２７７】
以上に示したＳ１０３１〜Ｓ１０３６の処理によって、特別図柄の変動が停止（停止図柄が確定）する度に、図柄確定回数１信号が図柄確定回数出力時間（たとえば５００ｍｓ）オン状態となる。
【０２７８】
次に、ＣＰＵ５６は、特別図柄プロセスフラグをロードし（Ｓ１０５０）、特別図柄プロセスフラグの値と大入賞口開放前処理指定値（「５」）を比較し（Ｓ１０５１）、特別図柄プロセスフラグの値が５未満であるかどうかを判定する（Ｓ１０５２）。特別図柄プロセスフラグの値が５未満であるときは（Ｓ１０５２のＹ）、Ｓ１０５８の処理に移行する。特別図柄プロセスフラグの値が５以上であるときは（Ｓ１０５２のＮ）、さらに特別図柄プロセスフラグの値と小当り開放前処理指定値（「８」）を比較し（Ｓ１０５３）、特別図柄プロセスフラグの値が８以上であるかどうかを判定する（Ｓ１０５４）。特別図柄プロセスフラグの値が８以上であるときは（Ｓ１０５４のＹ）、Ｓ１０５８の処理に移行する。特別図柄プロセスフラグの値が８未満であるときは（Ｓ１０５４のＮ）、情報バッファの大当り１出力ビット位置をセットする（Ｓ１０５５）。また、情報バッファの大当り２出力ビット位置をセットする（Ｓ１０５６）。情報バッファの大当り１出力ビット位置および大当り２出力ビット位置がセットされると、その後のＳ１１０２で情報バッファを出力値にセットし、Ｓ１１０３で出力値を出力ポート１に出力することによって、大当り１信号および大当り２信号が出力ポート１から出力される（オン状態となる）。
【０２７９】
なお、この実施の形態では、Ｓ１０５４の処理によって小当りである場合には大当り１信号を外部出力しないように制御する場合を示しているが、確変状態であるか否かを認識不能とする共通演出（いわゆる確変潜伏演出）を実行可能に遊技機を構成する場合には、小当りであってもＳ１０５５の処理に移行し、大当り１信号を外部出力可能に構成してもよい。
【０２８０】
また、ＣＰＵ５６は、時短状態であるか否かを確認する時短チェック処理を実行し（Ｓ１０５８）、時短状態であるか否かを判定する（Ｓ１０５９）。具体的には、ＣＰＵ５６は、時短状態に移行するときにセットされる時短フラグがセットされているか否かを確認することによって、時短状態であるか否かを判定する。時短状態であるときは（Ｓ１０５９のＹ）、情報バッファの時短出力ビット位置をセットする（Ｓ１０６０）。時短出力ビット位置がセットされると、その後のＳ１１０２で情報バッファを出力値にセットし、Ｓ１１０３で出力値を出力ポート１に出力することによって、時短信号が出力ポート１から出力される（オン状態となる）。また、情報バッファの大当り２出力ビット位置をセットする（Ｓ１０６１）。大当り２出力ビット位置がセットされると、その後のＳ１１０２で情報バッファを出力値にセットし、Ｓ１１０３で出力値を出力ポート１に出力することによって、大当り２信号が出力ポート１から出力される（オン状態となる）。
【０２８１】
また、ＣＰＵ５６は、特別図柄プロセスフラグをロードし（Ｓ１０６２）、特別図柄プロセスフラグの値と大入賞口開放前処理指定値（「５」）を比較し（Ｓ１０６３）、特別図柄プロセスフラグの値が５未満であるかどうかを判定する（Ｓ１０６４）。特別図柄プロセスフラグの値が５未満であるときは（Ｓ１０６４のＹ）、Ｓ１０６８Ａの処理に移行する。特別図柄プロセスフラグの値が５以上であるときは（Ｓ１０６４のＮ）、さらに特別図柄プロセスフラグの値と小当り開放前処理指定値（「８」）を比較し（Ｓ１０６５）、特別図柄プロセスフラグの値が８以上であるかどうかを判定する（Ｓ１０６６）。特別図柄プロセスフラグの値が８以上であるときは（Ｓ１０６６のＹ）、Ｓ１０６８Ａの処理に移行する。特別図柄プロセスフラグの値が８未満であるときは（Ｓ１０６６のＮ）、特別図柄通常処理で大当り種別判定結果に基づいて設定される大当り種別バッファの内容をロードし、通常大当りまたは確変大当りであるか否かを確認する（Ｓ１０６７）。なお、通常大当りまたは確変大当りであるか否かは、たとえば、特別図柄通常処理において設定された大当り種別バッファの内容を確認することによって判定できる。たとえば、大当り種別バッファには、特別図柄通常処理で決定された大当り種別の内容や大当り判定結果を示す内容が格納されており、たとえば、「０１」が通常大当り、「０２」が確変大当り、「０３」が突然確変大当りとされている。そして、大当り種別バッファの内容が「０１」または「０２」であれば、通常大当りまたは確変大当りであると判断される。この場合、情報バッファの大当り３出力ビット位置をセットする（Ｓ１０６８）。大当り３出力ビット位置がセットされると、その後のＳ１１０２で情報バッファを出力値にセットし、Ｓ１１０３で出力値を出力ポート１に出力することによって、大当り３信号が出力ポート１から出力される（オン状態となる）。
【０２８２】
以上に示したＳ１０５０〜Ｓ１０６８の処理によって、大当りの種別や遊技状態に応じた大当り１信号、大当り２信号、大当り３信号および時短信号が出力される（オン状態になる）。
【０２８３】
次いで、ＣＰＵ５６は、排出異常フラグがセットされているか否かを確認する（Ｓ１０６８Ａ）。排出異常フラグがセットされていれば（すなわち、排出異常の発生が検出されていれば）、ＣＰＵ５６は、セットされていればセキュリティ信号情報タイマの値をクリアし（Ｓ１０６８Ｂ）、情報バッファのセキュリティ信号出力ビット位置（図９に示す例では出力ポート１のビット７）をセットする（Ｓ１０６８Ｃ）。情報バッファのセキュリティ信号出力ビット位置がセットされると、その後のＳ１１０２で情報バッファを出力値にセットし、Ｓ１１０３で出力値を出力ポート１に出力することによって、セキュリティ信号が出力ポート１から出力される（オン状態となる）。
【０２８４】
以上に示したＳ１０６８Ａ〜Ｓ１０６８Ｃの処理によって、始動入賞口１４や大入賞口への排出異常が検出されると、遊技機への電源が再投入されて初期化処理が実行されるまで、排出異常に基づくセキュリティ信号が出力される。
【０２８５】
なお、既に説明したように、排出異常フラグはバックアップＲＡＭに記憶され遊技機への電力供給が停止しても保持されるので、遊技機への電力供給停止後に再び電力供給が開始されても停電復旧処理（Ｓ９１，Ｓ９２参照）が実行された場合には、排出異常フラグが保持されていることに基づいてＳ１０６８Ａ〜Ｓ１０６８Ｃの処理が実行されることにより停電復旧後に再び排出異常に基づくセキュリティ信号の外部出力が再開されることになる。そして、遊技機への電力供給が開始されるときに初期化処理（Ｓ１０参照）が実行されたことに基づいて排出異常フラグもリセットされ、排出異常に基づくセキュリティ信号の外部出力が終了することになる（ただし、この場合には、後述するＳ１０６９〜Ｓ１０７４の処理が実行されることにより、初期化処理の実行に基づくセキュリティ信号の外部出力が所定期間（たとえば、３０秒）実行されることになる）。
【０２８６】
排出異常フラグがセットされていなければ（Ｓ１０６８ＡのＮ）、ＣＰＵ５６は、セキュリティ信号情報タイマをロードし（Ｓ１０６９）、セキュリティ信号情報タイマの状態をフラグレジスタに反映させて（Ｓ１０７０）、セキュリティ信号情報タイマがタイムアウトしているかどうかを判定する（Ｓ１０７１）。この実施の形態では、可変入賞球装置１５が開状態でないときに始動入賞口１４への遊技球の入賞を検出した場合や、大当り遊技中でないときに大入賞口への遊技球の入賞を検出した場合に異常入賞が発生したと判定され、セキュリティ信号情報タイマに所定時間（本例では３０秒）がセットされ（異常入賞報知処理におけるＳ２５５，Ｓ２６５参照）、その所定時間が経過していないときは、セキュリティ信号情報タイマがタイムアウトしていないと判定され、その所定時間が経過したとき（セキュリティ信号情報タイマの値が０のとき）に、セキュリティ信号情報タイマがタイムアウトしたと判定される。
【０２８７】
また、この実施の形態では、遊技機への電力供給が開始されて初期化処理が実行されたときにも、セキュリティ信号情報タイマに所定時間（本例では３０秒）がセットされ（メイン処理におけるＳ１４ａ参照）、その所定時間が経過していないときは、セキュリティ信号情報タイマがタイムアウトしていないと判定され、その所定時間が経過したとき（セキュリティ信号情報タイマの値が０のとき）に、セキュリティ信号情報タイマがタイムアウトしたと判定される。
【０２８８】
セキュリティ信号情報タイマがタイムアウトしていなければ（Ｓ１０７１のＮ）、セキュリティ信号情報タイマを１減算し（Ｓ１０７２）、演算結果をセキュリティ信号情報タイマにストアする（Ｓ１０７３）。そして、情報バッファのセキュリティ信号出力ビット位置（図９に示す例では出力ポート１のビット７）をセットする（Ｓ１０７４）。情報バッファのセキュリティ信号出力ビット位置がセットされると、その後のＳ１１０２で情報バッファを出力値にセットし、Ｓ１１０３で出力値を出力ポート１に出力することによって、セキュリティ信号が出力ポート１から出力される（オン状態となる）。なお、セキュリティ信号情報タイマがタイムアウトすれば（Ｓ１０７１のＹ）、Ｓ１０７４の処理が実行されない結果、セキュリティ信号はオフ状態となる。
【０２８９】
以上に示したＳ１０６９〜Ｓ１０７４の処理によって、始動入賞口１４や大入賞口への異常入賞が検出されてから３０秒が経過するまで、または遊技機への電力供給開始時に初期化処理が実行されてから３０秒が経過するまで、ターミナル基板１６０の共通のコネクタＣＮ８を用いてセキュリティ信号が出力される。
【０２９０】
なお、セキュリティ信号の出力中更に新たな異常入賞を検出した場合には、最後に異常入賞を検出してから３０秒が経過するまでセキュリティ信号の出力が継続される。
【０２９１】
また、異常入賞を検出したことや初期化処理が実行されたことに基づいてセキュリティ信号の出力を開始した後、まだセキュリティ信号の出力中であるときに排出異常を検出した場合には、異常入賞の検出や初期化処理の実行に基づくセキュリティ信号の出力制御から排出異常に基づくセキュリティ信号の出力制御に切り替えられる。具体的には、異常入賞の検出や初期化処理の実行に基づいてセキュリティ信号情報タイマがセットされていることによりＳ１０６９〜Ｓ１０７４の処理が実行されてセキュリティ信号が外部出力されているときに、排出異常が検出されると、スイッチ正常／異常チェック処理において排出異常フラグがセットされる（Ｓ２１２８Ａ，Ｓ２１３４Ａ参照）。そして、それ以降は、排出異常フラグがセットされていることによりＳ１０６８Ａ〜Ｓ１０６８Ｃの処理に切り替わり、セキュリティ信号情報タイマはクリアされて（Ｓ１０６８Ｂ参照）、初期化処理で排出異常フラグがリセットされるまで、排出異常フラグがセットされていることに基づいてセキュリティ信号が外部出力される（Ｓ１０６８Ｃ参照）。
【０２９２】
次いで、ＣＰＵ５６は、高確中出力許可フラグがセットされているか否かを確認する（Ｓ１０７５）。なお、高確中出力許可フラグは、遊技機への電力供給開始時にホットスタート処理が実行されたときにセットされる（Ｓ９１０３参照）。高確中出力許可フラグがセットされていれば、ＣＰＵ５６は、確変フラグがセットされているか否かを確認する（Ｓ１０７６）。確変フラグがセットされていれば、ＣＰＵ５６は、情報バッファの高確中信号出力ビット位置（図９に示す例では出力ポート０のビット７）をセットする（Ｓ１０７７）。情報バッファの高確中信号出力ビット位置がセットされると、その後のＳ１１０２で情報バッファを出力値にセットし、Ｓ１１０３で出力値を出力ポート０に出力することによって、高確中信号が出力ポート０から出力される（オン状態となる）。なお、この実施の形態では、停電復旧した後、最初の大当りが発生すれば、高確中出力許可フラグがリセットされ（Ｓ１３０３参照）、その結果、高確中信号はオフ状態となる。
【０２９３】
なお、この実施の形態では、最初の大当りが発生したときに高確中出力許可フラグをリセットする場合を示しているが、高確中出力許可フラグがリセットされるタイミングは、この実施の形態で示したものに限られない。たとえば、小当りが発生した場合にも高確中出力許可フラグをリセットするように構成してもよい。また、たとえば、確変状態に制御された後に変動表示を所定回数実行したことに基づいて確変状態を終了するように構成されている場合には、その所定回数の変動表示を終了して確変状態を終了するときに高確中出力許可フラグをリセットするように構成してもよい。
【０２９４】
以上に示したＳ１０７５〜Ｓ１０７７の処理によって、停電復旧した後、確変フラグがセットされていれば、所定条件が成立するまで（本例では、最初の大当りが発生するまで）、高確中信号が出力される（オン状態になる）。すなわち、この実施の形態では、既に説明したように、遊技機への電源供給が停止しても所定期間はバックアップＲＡＭに確変フラグが保持されている。そのため、停電発生前に確変状態に制御されていた場合には、バックアップＲＡＭに確変フラグが保持されている筈であるから、停電復旧時に高確中信号の出力が開始され、最初の大当りが発生するまで高確中信号の出力が継続される。
【０２９５】
なお、この実施の形態では、最初の大当りが発生したときに、高確中出力許可フラグがリセットされる（Ｓ１３０３参照）のであるから、以降、高確中信号の出力は行なわれなくなる。従って、この実施の形態では、所定条件が成立すれば（本例では、最初の大当りが発生すれば）、高確中信号の出力が禁止されることになる。
【０２９６】
なお、この実施の形態では、メイン処理の停電復旧処理の実行時に高確中出力許可フラグをセットする処理のみを行ない、Ｓ３１の情報出力処理において確変フラグがセットされているか否かを確認して高確中信号を出力するように処理を行なう場合を示したが、高確中信号出力の処理方法は、この実施の形態で示したものに限られない。たとえば、メイン処理の停電復旧処理において確変フラグがセットされているか否かを確認し、セットされていれば、情報バッファの高確中信号出力ビット位置をセットしたり、高確中信号出力用のタイマをセットしたりするなどの処理を行って、高確中信号を出力するようにしてもよい。そして、このように停電復旧処理において確変フラグを確認して高確中信号の出力を開始するように構成する場合であっても、最初の大当りが発生したときなど所定条件が成立したときに高確中信号の出力を停止する制御を行って、以降、高確中信号の出力を行なわないように制御するように構成されていればよい。
【０２９７】
なお、この実施の形態では、タイマ割込ごとに図３３〜図３７に示す情報出力処理において対応する信号の出力ビット位置をセットして（Ｓ１０３６，Ｓ１０５５，Ｓ１０５６，Ｓ１０６０，Ｓ１０６１，Ｓ１０６８，Ｓ１０６８Ｃ，Ｓ１０７４，Ｓ１０７７参照）、Ｓ１１０２，Ｓ１１０３を実行して出力ポート０，１から外部出力する処理例を示しているが、各信号の出力状態に関しては、対応する出力ビットの値が前回の設定と変化しない限り変化しない。たとえば、対応する出力ビットの値が「１」にセットされていれば、セットされている間、信号は出力が継続されることになる。
【０２９８】
図３８は、情報出力処理のＳ１０２０，Ｓ１０２３で実行される入賞タイマセット処理を示すフローチャートである。入賞タイマセット処理において、ＣＰＵ５６は、まず、ポインタの指す情報記憶タイマをロードし（Ｓ２００１）、ロードした情報記憶タイマの状態をフラグレジスタに反映させて（Ｓ２００２）、信号が出力中であるか否かを判定する（Ｓ２００３）。この場合、情報出力処理のＳ１０２０で入賞タイマセット処理が実行される場合には、始動口情報記憶タイマをロードしてその状態をフラグレジスタに反映し、始動口信号が出力中であるか否かを判定することになる。また、情報出力処理のＳ１０２３で入賞タイマセット処理が実行される場合には、入賞情報記憶タイマをロードしてその状態をフラグレジスタに反映し、入賞信号が出力中であるか否かを判定することになる。
【０２９９】
始動口情報記憶タイマは、始動口信号のオン時間およびオフ時間（たとえば、オン時間１００ｍｓとオフ時間１００ｍｓ）を計測するためのタイマである。始動口情報記憶タイマの値が０でなければ始動口信号が出力中であると判定され、始動口情報記憶タイマの値が０であれば始動口信号が出力中でないと判定される。また、入賞情報記憶タイマは、入賞信号のオン時間およびオフ時間（たとえば、オン時間１００ｍｓとオフ時間１００ｍｓ）を計測するためのタイマである。入賞情報記憶タイマの値が０でなければ入賞信号が出力中であると判定され、入賞情報記憶タイマの値が０であれば入賞信号が出力中でないと判定される。
【０３００】
信号（始動口信号または入賞信号）が出力中であれば（Ｓ２００３のＹ）、Ｓ２０１２の処理に移行する。信号（始動口信号または入賞信号）が出力中でなければ（Ｓ２００３のＮ）、ＣＰＵ５６は、ポインタの値を１加算する（Ｓ２００４）。なお、この実施の形態では、ＲＯＭ５４において、始動口情報記憶タイマが設定されている領域の次の領域に始動口情報記憶カウンタがセットされ、入賞情報記憶タイマが設定されている領域の次の領域に入賞情報記憶カウンタがセットされている。従って、Ｓ２００４の処理が実行されることによって、ポインタの値は、始動口情報記憶カウンタまたは入賞情報記憶カウンタのアドレスを示している状態となる。
【０３０１】
次いで、ＣＰＵ５６は、ポインタの指す情報記憶カウンタ（始動口情報記憶カウンタまたは入賞情報記憶カウンタ）をロードし（Ｓ２００５）、ロードした情報記憶カウンタ（始動口情報記憶カウンタまたは入賞情報記憶カウンタ）の状態をフラグレジスタに反映させて（Ｓ２００６）、信号（始動口信号または入賞信号）の出力回数の残数があるかどうかを判定する（Ｓ２００７）。
【０３０２】
なお、始動口スイッチ１４ａがオンしたときは（Ｓ１００９のＮ）、始動口情報記憶カウンタが加算されるので、始動口信号の出力回数の残数があると判定されることになる。また、いずれかの入賞口（始動入賞口１４、大入賞口、普通入賞口２９，３０）への入賞が発生し、近接スイッチ（始動口スイッチ１４ａ、カウントスイッチ２３、入賞口スイッチ２９ａ，３０ａ）がオンするとともにフォトセンサ（入賞確認スイッチ１４ｂ，２３ｂ，２９ｂ，３０ｂ）がオンした場合には、賞球予定数が１０個累積するごとに入賞情報記憶カウンタが加算される（Ｓ５１３２参照）ので、入賞信号の出力回数の残数があると判定されることになる。
【０３０３】
信号（始動口信号または入賞信号）の出力回数の残数がなければ（Ｓ２００７のＹ）、入賞タイマセット処理を終了する。信号（始動口信号または入賞信号）の出力回数の残数があれば（Ｓ２００７のＮ）、ＣＰＵ５６は、ポインタの指す上方記憶カウンタ（始動口情報記憶カウンタまたは入賞情報記憶カウンタ）を１減算し（Ｓ２００８）、演算結果（１減算した結果）を情報記憶カウンタ（始動口情報記憶カウンタまたは入賞情報記憶カウンタ）にストアする（Ｓ２００９）。そして、入賞情報動作時間（５０）をレジスタにセットする（Ｓ２０１０）。なお、入賞情報動作時間（５０）は、４ｍｓのタイマ割込みが５０回実行される時間、すなわち、０．２００秒（２００ｍｓ）の時間となっている。なお、この実施の形態では、始動口信号を出力する場合と入賞信号を出力する場合とで、入賞情報動作時間として同じ値を設定する場合を示しているが、異なる値を設定するようにしてもよい。
【０３０４】
次いで、ＣＰＵ５６は、ポインタの値を１減算する（Ｓ２０１１）。Ｓ２０１１の処理が実行されることによって、ポインタの値は、再び始動口情報記憶タイマまたは入賞情報記憶タイマのアドレスを示している状態に戻ることになる。そして、Ｓ２０１２に移行する。
【０３０５】
次に、ＣＰＵ５６は、Ｓ２０１０で入賞情報動作時間がセットされていなければポインタの指す情報記憶タイマ（始動口情報記憶タイマまたは入賞情報記憶タイマ）を１減算し、Ｓ２０１０で入賞情報動作時間がセットされていれば入賞情報動作時間を１減算する（Ｓ２０１２）。そして、演算結果（１減算した結果）をポインタの指す情報記憶タイマ（始動口情報記憶タイマまたは入賞情報記憶タイマ）にストアする（Ｓ２０１３）。
【０３０６】
ＣＰＵ５６は、演算結果と入賞情報オン時間（２５）を比較し（Ｓ２０１４）、演算結果が入賞情報オン時間よりも短い時間であるかどうかを判定する（Ｓ２０１５）。なお、入賞情報オン時間（２５）は、４ｍｓのタイマ割込みが２５回実行される時間、すなわち、０．１００秒（１００ｍｓ）の時間となっている。
【０３０７】
演算結果が入賞情報オン時間よりも短い時間でない場合、つまり、演算結果（始動口情報記憶タイマまたは入賞情報記憶タイマの残り時間）が入賞情報オン時間（１００ｍｓ）よりも長い時間である場合は（Ｓ２０１５のＮ）、ＣＰＵ５６は、情報バッファをロードし（Ｓ２０１６）、ロードした情報バッファの値と情報出力バッファの値との論理和を求める（Ｓ２０１７）。そして、ＣＰＵ５６は、Ｓ２０１７の演算結果を情報バッファにストアする（Ｓ２０１８）。
【０３０８】
なお、Ｓ２０１６〜Ｓ２０１８の処理が実行されることによって、情報出力処理のＳ１０２０で入賞タイマセット処理が実行される場合には、Ｓ１０１８で始動口出力ビットがセットされた情報出力バッファの値との論理和が求められることによって、情報バッファの始動口出力ビット位置（図９に示す例では出力ポート１のビット１）がセットされることになる。そして、情報バッファの始動口出力ビット位置がセットされると、その後の情報出力処理のＳ１１０２で情報バッファを出力値にセットし、Ｓ１１０３で出力値を出力ポート１に出力することによって、始動口信号が出力ポート１から出力されることになる。
【０３０９】
また、Ｓ２０１６〜Ｓ２０１８の処理が実行されることによって、情報出力処理のＳ１０２３で入賞タイマセット処理が実行される場合には、Ｓ１０１１で入賞出力ビットがセットされた情報出力バッファの値との論理和が求められることによって、情報バッファの入賞出力ビット位置（図９に示す例では出力ポート１のビット６）がセットされることになる。そして、情報バッファの入賞出力ビット位置がセットされると、その後の情報出力処理のＳ１１０２で情報バッファを出力値にセットし、Ｓ１１０３で出力値を出力ポート１に出力することによって、入賞信号が出力ポート１から出力されることになる。
【０３１０】
情報出力処理のＳ１００２〜Ｓ１０２０および図３８に示す入賞タイマセット処理によって、始動入賞口１４への入賞（始動口スイッチ１４ａのオン）が発生すると、始動口信号が出力される。すなわち、始動口信号が１００ｍｓ間オン状態となった後、１００ｍｓ間オフ状態になる。この始動口信号がホールコンピュータに入力されることによって、始動入賞口１４への入賞個数を認識させることができる。
【０３１１】
始動口信号は、１００ｍｓ間オン状態となった後、１００ｍｓ間オフ状態になるので、短時間に連続して始動入賞が発生した場合であっても、１００ｍｓ間のオフ状態の後に次の始動口信号が出力される。すなわち、始動口信号は少なくとも１００ｍｓの間隔をあけて出力される。
【０３１２】
このように、始動口信号は少なくとも１００ｍｓの間隔をあけて出力されるので、ホールコンピュータは、始動入賞数の総数を確実に把握することができる。
【０３１３】
また、情報出力処理のＳ１０２１〜Ｓ１０２３および図３８に示す入賞タイマセット処理によって、いずれかの入賞口（始動入賞口１４、大入賞口、普通入賞口２９，３０）への入賞が発生し（近接スイッチ（始動口スイッチ１４ａ、カウントスイッチ２３、入賞口スイッチ２９ａ，３０ａ）がオンするとともにフォトセンサ（入賞確認スイッチ１４ｂ，２３ｂ，２９ｂ，３０ｂ）がオンし）、賞球予定数が１０個累積するごとに、入賞信号が出力される。すなわち、入賞信号が１００ｍｓ間オン状態となった後、１００ｍｓ間オフ状態になる。この入賞信号がホールコンピュータに入力されることによって、賞球予定数を認識させることができる。
【０３１４】
入賞信号は、１００ｍｓ間オン状態となった後、１００ｍｓ間オフ状態になるので、短時間に連続して始動入賞が発生した場合であっても、１００ｍｓ間のオフ状態の後に次の入賞信号が出力される。すなわち、入賞信号は少なくとも１００ｍｓの間隔をあけて出力される。
【０３１５】
このように、入賞信号は少なくとも１００ｍｓの間隔をあけて出力されるので、ホールコンピュータは、賞球予定数の総数を確実に把握することができる。
【０３１６】
なお、この実施の形態では、入賞信号を外部出力する場合に、まずＳ２０１２の処理を実行して入賞情報記憶タイマの値を減算してから、Ｓ２０１８，Ｓ１１０２，Ｓ１１０３を実行して入賞信号を外部出力する場合を示したが、入賞情報記憶タイマの減算処理と入賞信号の外部出力処理との処理順は、この実施の形態で示したものに限られない。たとえば、まず、Ｓ２０１８，Ｓ１１０２，Ｓ１１０３と同様の処理を実行して入賞信号の外部出力処理を実行してから、Ｓ２０１２と同様の処理を行ない入賞情報記憶タイマの値を減算するようにしてもよい。
【０３１７】
次に、セキュリティ信号の出力タイミングについて説明する。図３９は、セキュリティ信号の出力タイミングを示す説明図である。この実施の形態では、遊技機への電力供給開始時に初期化処理が実行されると（Ｓ１０〜Ｓ１４参照）、セキュリティ信号情報タイマに所定時間（本例では、３０秒）がセットされたことに基づいて（Ｓ１４ａ参照）、情報出力処理（Ｓ３１参照）でＳ１０６９〜Ｓ１０７４，Ｓ１１０２，Ｓ１１０３の処理が実行されて、図３９（Ａ）に示すように、ターミナル基板１６０のコネクタＣＮ８から、ホールコンピュータなどの外部装置に対して所定時間（本例では、３０秒）セキュリティ信号が出力される。
【０３１８】
また、大入賞口への異常入賞が発生したと判定されたとき（Ｓ２５１〜Ｓ２５４参照）や、始動入賞口１４への異常入賞が発生したと判定されたとき（Ｓ２６１〜Ｓ２６４参照）にも、セキュリティ信号情報タイマに所定時間（本例では、３０秒）がセットされたことに基づいて（Ｓ２５５，Ｓ２６５参照）、情報出力処理（Ｓ３１参照）でＳ１０６９〜Ｓ１０７４，Ｓ１１０２，Ｓ１１０３の処理が実行されて、図３９（Ａ）に示すように、ターミナル基板１６０のコネクタＣＮ８から、ホールコンピュータなどの外部装置に対して所定時間（本例では、３０秒）セキュリティ信号が出力される。
【０３１９】
また、遊技機への電源供給が開始された後に、始動口スイッチ１４ａの検出数と入賞確認１スイッチ１４ｂの検出数との検出誤差が所定値（本例では、１０）以上となったことに基づいて、始動入賞口１４への排出異常が発生したと判定されたとき（Ｓ２１２１〜Ｓ２１２７参照）や、カウントスイッチ２３の検出数と入賞確認２スイッチ２３ｂの検出数との検出誤差が所定値（本例では、１０）以上となったことに基づいて、大入賞口への排出異常が発生したと判定されたときにも（Ｓ２１２９〜Ｓ２１３３参照）、排出異常フラグがセットされたことに基づいて（Ｓ２１２８Ａ，Ｓ２１３４Ａ参照）、情報出力処理（Ｓ３１参照）でＳ１０６８Ａ〜Ｓ１０６８Ｃ，Ｓ１１０２，Ｓ１１０３の処理が実行されて、図３９（Ｂ）に示すように、次に遊技機に電源が再投入されて初期化処理が実行されるまで、ターミナル基板１６０のコネクタＣＮ８から、ホールコンピュータなどの外部装置に対してセキュリティ信号が出力される。
【０３２０】
上記のように、この実施の形態では、遊技機への電源供給開始時に初期化処理が実行されたときと、始動入賞口１４や大入賞口への異常入賞を検出したときと、始動入賞口１４や大入賞口への排出異常を検出したときとで、ターミナル基板１６０の共通のコネクタＣＮ８からセキュリティ信号が外部出力される。
【０３２１】
また、この実施の形態では、セキュリティ信号の外部出力中である場合に、新たに始動入賞口１４や大入賞口への排出異常を検出した場合には、初期化処理の実行や異常入賞の検出に基づくセキュリティ信号の出力制御から排出異常の検出に基づくセキュリティ信号の出力制御に切り替えられる。たとえば、遊技機への電源供給開始時に初期化処理が実行されたことに基づいてセキュリティ信号の出力を開始した場合や、始動入賞口１４や大入賞口への異常入賞を検出したことに基づいてセキュリティ信号の出力を開始した場合には、図３９（Ａ）に示すように、原則として３０秒を経過するまでセキュリティ信号の出力が継続される筈である。しかし、図３９（Ｃ）に示すように、その３０秒を経過する前であっても、始動口スイッチ１４ａの検出数と入賞確認１スイッチ１４ｂの検出数との検出誤差が所定値（本例では、１０）以上となって始動入賞口１４への排出異常が発生したと判定されたり、カウントスイッチ２３の検出数と入賞確認２スイッチ２３ｂの検出数との検出誤差が所定値（本例では、１０）以上となって大入賞口への排出異常が発生したと判定される可能性がある。この場合、排出異常の発生が検出され排出異常フラグがセットされることにより（Ｓ２１２１〜Ｓ２１２８Ａ，Ｓ２１２９〜Ｓ２１３４Ａ参照）、情報出力処理（Ｓ３１参照）においてＳ１０６９〜Ｓ１０７４の処理からＳ１０６８Ａ〜Ｓ１０６８Ｃの処理に切り替えられて、図３９（Ｃ）に示すように、次に遊技機に電源が再投入されて初期化処理が実行されるまで、セキュリティ信号の出力が継続されることになる。
【０３２２】
なお、この実施の形態では、遊技機への電力供給開始時に初期化処理が実行された場合や始動入賞口１４や大入賞口への異常入賞を検出した場合には３０秒間に亘ってセキュリティ信号を出力する場合を示したが、セキュリティ信号の出力時間は、この実施の形態で示したものに限られない。たとえば、初期化処理が実行された場合にはセキュリティ信号を３０秒間出力する一方で、始動入賞口１４や大入賞口への異常入賞を検出した場合にはセキュリティ信号を１分間出力するなど、セキュリティ信号の出力時間を異ならせて、初期化処理が実行された場合であるか始動入賞口１４や大入賞口への異常入賞を検出した場合であるかを認識可能に構成してもよい。
【０３２３】
さらに、始動入賞口１４への異常入賞を検出した場合と大入賞口への異常入賞を検出した場合とでセキュリティ信号の出力期間を異ならせてもよい。たとえば、始動入賞口１４への異常入賞を検出した場合にはセキュリティ信号を２分間出力し、大入賞口への異常入賞を検出した場合にはセキュリティ信号を１分間出力するようにしてもよい。
【０３２４】
次に、排出異常に基づきセキュリティ信号を出力しているときに遊技機への電力供給が停止した後に、電力供給が復旧した場合のセキュリティ信号の出力タイミングについて説明する。図４０は、排出異常に基づきセキュリティ信号を出力しているときに遊技機への電力供給が停止した後に、電力供給が復旧した場合のセキュリティ信号の出力タイミングを示す説明図である。
【０３２５】
排出異常に基づきセキュリティ信号を出力しているときに遊技機への電力供給が停止した後、電力供給が復旧した場合に、遊技機への電力供給開始時に初期化処理が実行されると（Ｓ１０〜Ｓ１４参照）、排出異常フラグがリセットされ（Ｓ１０参照）、排出異常に基づくセキュリティ信号の出力制御を終了する。一方、初期化処理が実行された場合には、セキュリティ信号情報タイマに所定時間（本例では、３０秒）がセットされる（Ｓ１４ａ参照）。そのため、情報出力処理（Ｓ３１参照）でＳ１０６９〜Ｓ１０７４，Ｓ１１０２，Ｓ１１０３の処理が実行されて、ターミナル基板１６０のコネクタＣＮ８から、ホールコンピュータなどの外部装置に対して所定時間（本例では、３０秒）セキュリティ信号が出力される。従って、停電復旧後に初期化処理が実行された場合には、図４０（Ａ）に示すように、見た目上、遊技機への電源が再投入された後、所定期間（たとえば、３０秒間）を経過したときにセキュリティ信号の外部出力が終了する。
【０３２６】
一方、排出異常に基づきセキュリティ信号を出力しているときに遊技機への電力供給が停止した後、電力供給が復旧した場合に、パックアップＲＡＭの記憶内容に基づいて停電復帰処理が実行されると（Ｓ９１，Ｓ９２参照）、バックアップＲＡＭに排出異常フラグがバックアップされているので、停電復旧後も情報出力処理（Ｓ３１参照）でＳ１０６８Ａ〜Ｓ１０６８Ｃ，Ｓ１１０２，Ｓ１１０３の処理の実行が継続される。従って、停電復旧後に初期化処理が実行されずに停電復帰処理が実行された場合には、図４０（Ｂ）に示すように、遊技機への電源が再投入された後もセキュリティ信号の外部出力が継続される。よって、一度排出異常に基づきセキュリティ信号の出力を開始すると、初期化処理が実行されるまでは遊技機への電源を再投入してもセキュリティ信号の出力が継続される。
【０３２７】
次に、演出制御手段の動作を説明する。図４１は、演出制御基板８０に搭載されている演出制御用マイクロコンピュータ１００（具体的には、演出制御用ＣＰＵ１０１）が実行するメイン処理を示すフローチャートである。演出制御用マイクロコンピュータ１００は、電源が投入されると、メイン処理の実行を開始する。メイン処理では、まず、ＲＡＭ領域のクリアや各種初期値の設定、また演出制御の起動間隔（たとえば、２ｍｓ）を決めるためのタイマの初期設定等を行なうための初期化処理を行なう（Ｓ７０１）。
【０３２８】
そして、演出制御用マイクロコンピュータ１００は、タイマ割込フラグの監視（Ｓ７０２）を行なうループ処理に移行する。タイマ割込が発生すると、演出制御用マイクロコンピュータ１００は、タイマ割込処理においてタイマ割込フラグをセットする。メイン処理において、タイマ割込フラグがセットされていたら、演出制御用マイクロコンピュータ１００は、そのフラグをクリアし（Ｓ７０３）、演出制御処理を実行する。
【０３２９】
演出制御処理において、演出制御用マイクロコンピュータ１００は、まず、受信した演出制御コマンドを解析し、受信した演出制御コマンドに応じたフラグをセットする処理等を実行する（コマンド解析処理：Ｓ７０４）。次いで、演出制御用マイクロコンピュータ１００は、演出制御プロセス処理を実行する（Ｓ７０５）。演出制御プロセス処理では、制御状態に応じた各プロセスのうち、現在の制御状態（演出制御プロセスフラグ）に対応した処理を選択して可変表示装置９の表示制御等を実行する。また、所定の乱数（たとえば、停止図柄を決定するための乱数）を生成するためのカウンタのカウンタ値を更新する乱数更新処理を実行する（Ｓ７０６）。さらに、可変表示装置９等の演出装置を用いて報知を行なう報知制御処理を実行する（Ｓ７０７）。その後、Ｓ７０２に移行する。
【０３３０】
図４２は、図４１に示されたメイン処理における演出制御プロセス処理（Ｓ７０５）を示すフローチャートである。演出制御プロセス処理では、演出制御用ＣＰＵ１０１は、演出制御プロセスフラグの値に応じてＳ８００〜Ｓ８０７のうちのいずれかの処理を行なう。各処理において、以下のような処理を実行する。
【０３３１】
変動パターンコマンド受信待ち処理（Ｓ８００）：遊技制御用マイクロコンピュータ５６０から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を演出図柄変動開始処理（Ｓ８０１）に対応した値に変更する。
【０３３２】
演出図柄変動開始処理（Ｓ８０１）：演出図柄の変動が開始されるように制御する。そして、演出制御プロセスフラグの値を演出図柄変動中処理（Ｓ８０２）に対応した値に更新する。
【０３３３】
演出図柄変動中処理（Ｓ８０２）：変動パターンを構成する各変動状態（変動速度）の切替タイミング等を制御するとともに、変動時間の終了を監視する。そして、変動時間が終了したら、演出制御プロセスフラグの値を演出図柄変動停止処理（Ｓ８０３）に対応した値に更新する。
【０３３４】
演出図柄変動停止処理（Ｓ８０３）：演出図柄の変動を停止し表示結果（停止図柄）を導出表示する制御を行なう。そして、演出制御プロセスフラグの値を大当り表示処理（Ｓ８０４）または変動パターンコマンド受信待ち処理（Ｓ８００）に対応した値に更新する。
【０３３５】
大当り表示処理（Ｓ８０４）：大当りである場合には、変動時間の終了後、演出表示装置９に大当りの発生を報知するための画面を表示する制御を行なう。また、小当りである場合には、変動時間の終了後、演出表示装置９に小当りの発生を報知するための画面を表示する制御を行なう。たとえば、大当りの開始を指定するファンファーレ指定コマンドを受信したら、ファンファーレ演出を実行する。そして、演出制御プロセスフラグの値をラウンド中処理（Ｓ８０５）に対応した値に更新する。
【０３３６】
ラウンド中処理（Ｓ８０５）：ラウンド中の表示制御を行なう。たとえば、大入賞口が開放中であることを示す大入賞口開放中表示コマンドを受信したら、ラウンド数の表示制御等を行なう。
【０３３７】
ラウンド後処理（Ｓ８０６）：ラウンド間の表示制御を行なう。たとえば、大入賞口が開放後（閉鎖中）であることを示す大入賞口開放後表示コマンドを受信したら、インターバル表示を行なう。
【０３３８】
大当り終了演出処理（Ｓ８０７）：演出表示装置９において、大当り遊技状態が終了したことを遊技者に報知する表示制御を行なう。たとえば、大当りの終了を指定するエンディング指定コマンドを受信したら、エンディング演出を実行する。そして、演出制御プロセスフラグの値を変動パターンコマンド受信待ち処理（Ｓ８００）に対応した値に更新する。
【０３３９】
図４３は、演出制御プロセス処理における演出図柄変動開始処理（Ｓ８０１）を示すフローチャートである。演出図柄変動開始処理において、演出制御用マイクロコンピュータ１００（具体的には、演出制御用ＣＰＵ１０１）は、まず、変動パターンに応じたプロセステーブルを選択する（Ｓ８２１）。そして、演出制御用ＣＰＵ１０１は、選択したプロセステーブルのプロセスデータ１におけるプロセスタイマをスタートさせる（Ｓ８２２）。
【０３４０】
次いで、演出制御用ＣＰＵ１０１は、第１態様で異常入賞の報知（以下、異常入賞１報知という）を行っていることを示す異常入賞１報知中フラグがセットされているか否かを確認する(Ｓ８２３）。異常入賞１報知中フラグがセットされている場合には（Ｓ８２３のＹ）、演出制御用ＣＰＵ１０１は、プロセスデータ１のうち表示制御実行データ１および音番号データ１のみの内容に従って演出装置の制御を実行する（Ｓ８２４）。つまり、異常入賞１報知中フラグがセットされている場合には、演出図柄の新たな可変表示が開始される場合に、その可変表示に応じた音演出が実行されるのではなく、異常入賞１報知に応じた音出力が継続される。従って、この実施の形態では、異常入賞１報知の実行中に演出図柄の変動表示が開始される場合には、演出図柄の変動表示とともに異常入賞１報知が実行されることになる。
【０３４１】
異常入賞１報知中フラグがセットされていなければ、演出制御用ＣＰＵ１０１は、第２態様で異常入賞の報知（以下、異常入賞２報知という）を行っていることを示す異常入賞２報知中フラグがセットされているか否かを確認する(Ｓ８２５）。異常入賞２報知中フラグがセットされている場合には（Ｓ８２５のＹ）、演出制御用ＣＰＵ１０１は、プロセスデータ１のうち表示制御実行データ１のみの内容に従って演出装置の制御を実行する（Ｓ８２６）。つまり、異常入賞２報知中フラグがセットされている場合には、演出図柄の新たな可変表示が開始される場合に、その可変表示に応じたランプの表示演出や音演出が実行されるのではなく、異常入賞２報知に応じたランプの表示や音出力が継続される。従って、この実施の形態では、異常入賞２報知の実行中に演出図柄の変動表示が開始される場合には、演出図柄の変動表示とともに異常入賞２報知が実行されることになる。
【０３４２】
異常入賞２報知中フラグもセットされていなければ、演出制御用ＣＰＵ１０１は、プロセスデータ１の内容（表示制御実行データ１、ランプ制御実行データ１、音番号データ１）に従って演出装置（演出用部品としての演出表示装置９、演出用部品としての各種ランプおよび演出用部品としてのスピーカ２７）の制御を実行する（Ｓ８２７）。たとえば、演出表示装置９において変動パターンに応じた画像を表示させるために、ＶＤＰ１０９に指令を出力する。また、各種ランプを点灯／消灯制御を行なわせるために、ランプドライバ基板３５に対して制御信号（ランプ制御実行データ）を出力する。また、スピーカ２７からの音声出力を行なわせるために、音声出力基板７０に対して制御信号（音番号データ）を出力する。
【０３４３】
なお、この実施の形態では、異常入賞の報知中であるか否かに応じて演出装置を制御する処理を分けているが、可変表示に応じたランプの表示パターンや音演出の効果音と異常入賞の報知に応じたランプの表示パターンや警報音（報知音）とが別チャンネルに設定され、それらのランプ表示を同時に行ない音を同時に音出力することが可能であれば、Ｓ８２４，Ｓ８２６，Ｓ８２７の処理を分ける必要はない。
【０３４４】
また、この実施の形態では、特に言及していないが、排出異常報知の実行中に演出図柄の変動表示が開始される場合にも、演出図柄の変動表示とともに排出異常報知が実行されるようにして、排出異常報知が継続されるようにすることが望ましい。たとえば、演出図柄の変動表示中も演出表示装置９の表示画面の一部に「排出異常」などの文字列を縮小表示することによって、排出異常報知が継続されるようにすればよい。
【０３４５】
また、逆に、排出異常報知の実行中である場合には、演出図柄の変動表示を実行しないように制御してもよい。この場合、たとえば、演出図柄変動開始処理のＳ８２１の前や後述する演出図柄変動中処理のＳ８４１の前に排出異常フラグがセットされているか否かを確認し、排出異常フラグがセットされていれば、そのまま処理を終了して、Ｓ８２１以降の処理やＳ８４１以降の処理に移行しないようにすればよい。
【０３４６】
そして、演出制御用ＣＰＵ１０１は、変動時間タイマに、変動パターンコマンドで特定される変動時間に相当する値を設定し（Ｓ８２８）、演出制御プロセスフラグの値を演出図柄変動中処理（Ｓ８０２）に対応した値に更新する（Ｓ８２９）。
【０３４７】
図４４は、演出制御プロセス処理における演出図柄変動中処理（Ｓ８０２）を示すフローチャートである。演出図柄変動中処理において、演出制御用マイクロコンピュータ１００(具体的には、演出制御用ＣＰＵ１０１）は、プロセスタイマの値を１減算するとともに（Ｓ８４１）、変動時間タイマの値を−１（１減算）する（Ｓ８４２）。プロセスタイマがタイムアウトしたら（Ｓ８４３）、プロセスデータの切替を行なう。すなわち、プロセステーブルにおける次に設定されているプロセスタイマ設定値をプロセスタイマに設定する（Ｓ８４４）。
【０３４８】
次いで、演出制御用ＣＰＵ１０１は、異常入賞１報知中フラグがセットされているか否かを確認する(Ｓ８４５）。異常入賞１報知中フラグがセットされている場合には（Ｓ８４５のＹ）、演出制御用ＣＰＵ１０１は、その次に設定されているプロセスデータｉ（ｉは２〜ｎのいずれか）のうち表示制御実行データｉおよび音番号データｉのみの内容に従って演出装置の制御を実行する（Ｓ８４６）。つまり、異常入賞１報知中フラグがセットされている場合には、演出図柄の新たな可変表示が開始される場合に、その可変表示に応じた音演出が実行されるのではなく、異常入賞１報知に応じた音出力が継続される。よって、異常入賞１報知中フラグがセットされている場合には、演出図柄の可変表示に応じた音演出が実行されるのではなく、異常入賞１報知に応じた音出力が継続される。従って、この実施の形態では、異常入賞１報知の実行中に演出図柄の変動表示が実行される場合には、演出図柄の変動表示とともに異常入賞１報知が実行されることになる。
【０３４９】
異常入賞１報知中フラグがセットされていなければ、演出制御用ＣＰＵ１０１は、異常入賞２報知中フラグがセットされているか否かを確認する(Ｓ８４７）。異常入賞２報知中フラグがセットされている場合には（Ｓ８４７のＹ）、演出制御用ＣＰＵ１０１は、その次に設定されているプロセスデータｉ（ｉは２〜ｎのいずれか）のうち表示制御実行データｉのみの内容に従って演出装置の制御を実行する（Ｓ８４８）。つまり、異常入賞２報知中フラグがセットされている場合には、演出図柄の新たな可変表示が開始される場合に、その可変表示に応じたランプの表示演出や音演出が実行されるのではなく、異常入賞２報知に応じたランプの表示や音出力が継続される。よって、異常入賞２報知中フラグがセットされている場合には、演出図柄の可変表示に応じたランプの表示演出や音演出が実行されるのではなく、異常入賞２報知に応じたランプの表示や音出力が継続される。従って、この実施の形態では、異常入賞２報知の実行中に演出図柄の変動表示が実行される場合には、演出図柄の変動表示とともに異常入賞２報知が実行されることになる。
【０３５０】
異常入賞２報知中フラグもセットされていなければ、演出制御用ＣＰＵ１０１は、その次に設定されているプロセスデータｉ（表示制御実行データｉ、ランプ制御実行データｉおよび音番号データｉ）に基づいて演出装置に対する制御状態を変更する（Ｓ８４９）。
【０３５１】
また、変動時間タイマがタイムアウトしていれば（Ｓ８５０）、演出制御プロセスフラグの値を演出図柄変動停止処理（Ｓ８０３）に応じた値に更新する（Ｓ８５２）。変動時間タイマがタイムアウトしていなくても、図柄確定指定コマンドを受信したことを示す確定コマンド受信フラグがセットされていたら（Ｓ８５１）、Ｓ８５２に移行する。変動時間タイマがタイムアウトしていなくても図柄確定指定コマンドを受信したら変動を停止させる制御に移行するので、たとえば、基板間でのノイズ等に起因して長い変動時間を示す変動パターンコマンドを受信したような場合でも、正規の変動時間経過時（特別図柄の変動終了時）に、演出図柄の変動を終了させることができる。
【０３５２】
図４５および図４６は、Ｓ７０７の報知制御処理を示すフローチャートである。報知制御処理において、演出制御用ＣＰＵ１０１は、まず、排出異常報知指定コマンドを受信したか否かを確認する（Ｓ３００１）。排出異常報知指定コマンドを受信していれば（すなわち、排出異常が検出された場合には）、演出制御用ＣＰＵ１０１は、排出異常報知に応じた音出力を示す音データを音声出力基板７０に出力する（Ｓ３００２）。さらに、演出制御用ＣＰＵ１０１は、演出表示装置９において、そのときに表示されている画面に対して、排出異常報知画面（たとえば、「排出異常」などの文字列を表示する画面）を重畳表示する指令をＶＤＰ１０９に出力する（Ｓ３００３）。ＶＤＰ１０９は、指令に応じて、演出表示装置９に排出異常報知画面を重畳表示する。よって、以後、排出異常報知に応じた音出力が行なわれるとともに、演出表示装置９に排出異常報知画面が重畳表示される。
【０３５３】
なお、この実施の形態では、排出異常報知が開始されると、遊技機への電源供給が停止するまで排出異常報知が継続される。そして、遊技機への電源供給が停止したことに基づいて排出異常報知を終了し、遊技機への電源供給復旧後には排出異常報知は実行されない。具体的には、この実施の形態では、排出異常報知の実行中に電源供給が停止しても、遊技機への電源供給の再開後に排出異常報知指定コマンドを再送するなどの処理は行なわれないので、電源復旧後には排出異常報知は再開されない。
【０３５４】
また、この実施の形態では、排出異常報知として排出異常報知に応じた音出力と排出異常報知画面の表示とを行なう場合を示しているが、排出異常報知の報知態様は、この実施の形態で示したものに限られない。たとえば、さらに、排出異常報知に応じたランプ表示を行なうことによって排出異常報知を実行するように構成してもよい。
【０３５５】
排出異常報知指定コマンドを受信していなければ、演出制御用ＣＰＵ１０１は、異常入賞１報知中フラグがセットされているか否かを確認する（Ｓ３００５）。異常入賞１報知中フラグがセットされていれば（異常入賞１報知中であれば）演出制御用ＣＰＵ１０１は、異常入賞１報知の実行期間を計測するための異常入賞１報知タイマを１減算し（Ｓ３００６）、減算後の異常入賞１報知タイマがタイムアウトしたか否かを確認する（Ｓ３００７）。異常入賞１報知タイマがタイムアウトしていれば、演出制御用ＣＰＵ１０１は、異常入賞１報知に応じた音出力を停止し異常入賞１報知を停止する（Ｓ３００８）。そして、演出制御用ＣＰＵ１０１は、異常入賞１報知中フラグをリセットする（Ｓ３００９）。
【０３５６】
異常入賞１報知中フラグがセットされていない場合（Ｓ３００５のＮ）、または異常入賞１報知タイマがタイムアウトしていない場合（Ｓ３００７のＮ）には、演出制御用ＣＰＵ１０１は、異常入賞１報知指定コマンドまたは始動異常入賞１報知指定コマンドを受信しているか否かを確認する（Ｓ３０１０，Ｓ３０１１）。異常入賞１報知指定コマンドまたは始動異常入賞１報知指定コマンドを受信していれば（Ｓ３０１０のＹ、Ｓ３０１１のＹ）、すなわち大入賞口または始動入賞口１４への異常入賞を２０回検出した場合には、演出制御用ＣＰＵ１０１は、異常入賞１報知に応じた音出力を示す音データを音声出力基板７０に出力する（Ｓ３０１２）。よって、以後、異常入賞１報知に応じた音出力が行なわれる。そして、演出制御用ＣＰＵ１０１は、異常入賞１報知中フラグをセットし（Ｓ３０１３）、異常入賞１報知タイマに３１秒に対応する値をセットする（Ｓ３０１４）。
【０３５７】
以上のように、Ｓ３００５〜Ｓ３０１４の処理が実行されることによって、異常入賞１報知指定コマンドまたは始動異常入賞１報知指定コマンドを受信したことに基づいて、３１秒間にわたって異常入賞１報知が実行される。
【０３５８】
なお、この実施の形態では、異常入賞１報知として異常入賞１報知に応じた音出力を行なう場合を示しているが、異常入賞１報知の報知態様は、この実施の形態で示したものに限られない。たとえば、さらに、異常入賞１報知に応じた画面表示やランプ表示を行なうことによって異常入賞１報知を実行するように構成してもよい。
【０３５９】
また、この実施の形態では、異常入賞１報知指定コマンドを受信した場合と始動異常入賞１報知指定コマンドを受信した場合とで（すなわち、大入賞口への異常入賞を２０回検出した場合と始動入賞口１４への異常入賞を２０回検出した場合とで）、共通の態様で異常入賞１報知を行なう場合を示しているが、異常入賞報知の態様を異ならせてもよい。たとえば、異常入賞１報知指定コマンドを受信した場合には、異常入賞１報知に応じたランプ表示および音出力を行なう一方で、始動異常入賞１報知指定コマンドを受信した場合には、異常入賞１報知に応じた音出力のみを行なうようにしてもよい。
【０３６０】
異常入賞１報知指定コマンドおよび始動異常入賞１報知指定コマンドのいずれも受信していなければ、演出制御用ＣＰＵ１０１は、異常入賞２報知中フラグがセットされているか否かを確認する（Ｓ３０１５）。異常入賞２報知中フラグがセットされていれば（異常入賞２報知中であれば）演出制御用ＣＰＵ１０１は、異常入賞２報知の実行期間を計測するための異常入賞２報知タイマを１減算し（Ｓ３０１６）、減算後の異常入賞２報知タイマがタイムアウトしたか否かを確認する（Ｓ３０１７）。異常入賞２報知タイマがタイムアウトしていれば、演出制御用ＣＰＵ１０１は、異常入賞２報知に応じたランプ表示および音出力を停止し異常入賞２報知を停止する（Ｓ３０１８）。そして、演出制御用ＣＰＵ１０１は、異常入賞２報知中フラグをリセットする（Ｓ３０１９）。
【０３６１】
異常入賞２報知中フラグがセットされていない場合（Ｓ３０１５のＮ）、または異常入賞２報知タイマがタイムアウトしていない場合（Ｓ３０１７のＮ）には、演出制御用ＣＰＵ１０１は、異常入賞２報知指定コマンドまたは始動異常入賞２報知指定コマンドを受信しているか否かを確認する（Ｓ３０２０，Ｓ３０２１）。異常入賞２報知指定コマンドまたは始動異常入賞２報知指定コマンドを受信していれば（Ｓ３０２０のＹ、Ｓ３０２１のＹ）、すなわち大入賞口または始動入賞口１４への異常入賞を５０回検出した場合には、演出制御用ＣＰＵ１０１は、異常入賞２報知に応じた音出力を示す音データを音声出力基板７０に出力する（Ｓ３０２２）。音声出力基板７０に搭載されている音声合成用ＩＣ７０３は、入力された音データに対応したデータを音声データＲＯＭ７０４から読み出し、読み出したデータに従って音声信号をスピーカ２７側に出力する。また、演出制御用ＣＰＵ１０１は、異常入賞２報知に応じたランプ表示を示すランプ制御実行データをランプドライバ基板３５に出力する（Ｓ３０２３）。よって、以後、異常入賞２報知に応じたランプ表示および音出力が行なわれる。そして、演出制御用ＣＰＵ１０１は、異常入賞２報知中フラグをセットし（Ｓ３０２４）、異常入賞２報知タイマに３００秒に対応する値をセットする（Ｓ３０２５）。
【０３６２】
さらに、Ｓ３０２１でＮＯと判断された場合、またはＳ３０２５の後、その他の報知指定コマンドを受信したか否かを判断する（Ｓ３０２６）。その他の報知指定コマンドとは、既に説明した排出異常報知指定コマンド等以外の、各種の異常に対応する報知指定コマンドのことである。たとえば、「磁気異常」に対応する磁気異常報知指定コマンドや、「電波異常」に対応する電波異常報知指定コマンドなどが、Ｓ３０２６のその他の報知指定コマンドに該当する。
【０３６３】
演出制御用ＣＰＵ１０１は、これらの報知指定コマンドを遊技制御基板３１から受信した場合、受信した報知指定コマンドの種類に応じた音声データを音声出力基板７０に出力する（Ｓ３０２７）。音声出力基板７０に搭載されている音声合成用ＩＣ７０３は、入力された音声データに対応したデータを音声データＲＯＭ７０４から読み出し、読み出したデータに従って音声信号をスピーカ２７側に出力する。その後、処理を終了する。
【０３６４】
次に、図４７および図４８を参照して、本実施の形態に係るパチンコ遊技機１において検出される各種の異常および異常報知のために送信されるコマンドを説明する。図４７は、本実施の形態に係るパチンコ遊技機１において検出可能な異常およびその内容を示す図である。また、図４８は、異常入賞、排出異常、およびその他の異常の内容とそれぞれに対応して送信されるコマンドとの関係を示す図である。
【０３６５】
図４７に示すように、本実施の形態に係るパチンコ遊技機１においては、閉鎖中の大入賞への入賞を示す「大入賞口異常入賞」、大入賞口への不適切な入賞を示す「大入賞口排出異常」、閉鎖中の始動入賞口への入賞を示す「始動入賞口異常入賞」、始動入賞口への不適切な入賞を示す「始動入賞口排出異常」、不正磁気の検出を示す「磁気異常」、不正電波の検出を示す「電波異常」、貯留皿（貯留皿）の満タンを示す「皿満タン」、貯留皿の玉無を示す「球切れ」、遊技制御基板と払出制御基板との間の通信異常を示す「払出制御基板通信異常」、カードユニットが未接続を示す「カードユニット未接続」、カードユニットからの信号が異常を示す「カードユニット通信異常」、遊技枠の開放を示す「遊技枠開放」といった、各種の異常を検出可能である。
【０３６６】
これらの異常は、遊技制御用マイクロコンピュータ５６０（図７参照）によって検出される。
【０３６７】
図４８（ａ）に示すように、「大入賞口異常入賞」については、２０回（個）の検出の場合に「異常入賞１報知指定コマンド」が遊技制御用マイクロコンピュータ５６０から演出制御用マイクロコンピュータ１００へと送信される。「始動入賞口異常入賞」についても同様に、２０回（個）の検出の場合に「始動異常入賞１報知指定コマンド」が送信される。すると、音声が３１秒間に亘って出力されることによって異常入賞１報知または始動異常入賞１報知が実行される。
【０３６８】
また、「大入賞口異常入賞」あるいは「始動入賞口異常入賞」が５０回（個）に達すると、「異常入賞２報知指定コマンド」あるいは「始動異常入賞２報知指定コマンド」が送信され、これに伴って、音声報知に加えてランプ報知がなされる。このような異常入賞２報知または始動異常入賞２報知は３００秒に亘って継続する。このように、本実施の形態では、異常入賞については、２０回検出の異常状態であるか、５０回検出の異常状態であるかによって異常の報知態様が変更される。
【０３６９】
さらに、「大入賞口異常入賞」、「始動入賞口異常入賞」のいずれの場合にもセキュリティ信号が３０秒に亘って出力される。
【０３７０】
図４８（ｂ）に示すように、「大入賞口排出異常」あるいは「始動入賞口排出異常」については、１０回（個）の検出の場合に「排出異常報知指定コマンド」が遊技制御用マイクロコンピュータ５６０から演出制御用マイクロコンピュータ１００へと送信される。すると、音声が出力されるとともに所定の排出異常報知画面が可変表示装置９に表示されることによって、排出異常報知が実行される。このような排出異常報知は、パチンコ遊技機１の電源をオフ・オン（再投入）するまで継続する。また、排出異常報知とともに、セキュリティ信号が出力される。ここで出力され始めたセキュリティ信号は、電源をオフ・オン（再投入）して初期化処理を経て３０秒が経過すると停止する。ただし、電源をオフ・オン（再投入）しただけで初期化処理がされない場合には、３０秒が経過しても出力停止せず、出力が継続される。
【０３７１】
図４８（ｃ）に示すように、その他の異常については、検出されることによって図示するようなそれぞれの異常に対応する報知指定コマンドが遊技制御用マイクロコンピュータ５６０から演出制御用マイクロコンピュータ１００へと送信される。すると、それぞれの異常に対応する特有の音声報知が行なわれる。
【０３７２】
以上のように、Ｓ３０１５〜Ｓ３０２５の処理が実行されることによって、異常入賞２報知指定コマンドまたは始動異常入賞２報知指定コマンドを受信したことに基づいて、３００秒間にわたって異常入賞２報知が実行される。
【０３７３】
なお、この実施の形態では、異常入賞２報知として異常入賞２報知に応じたランプ表示および音出力を行なう場合を示しているが、異常入賞２報知の報知態様は、この実施の形態で示したものに限られない。たとえば、さらに、異常入賞２報知に応じた画面表示を行なうことによって異常入賞２報知を実行するように構成してもよい。
【０３７４】
また、異常入賞については、２０回検出の異常状態であるか、５０回検出の異常状態であるかによって異常の報知態様が変更されるようになっているが、その他の異常についても検出回数や検出状況、検出時の遊技状態等によって、報知態様を変更するようにしてもよい。
【０３７５】
また、この実施の形態では、異常入賞２報知指定コマンドを受信した場合と始動異常入賞２報知指定コマンドを受信した場合とで（すなわち、大入賞口への異常入賞を５０回検出した場合と始動入賞口１４への異常入賞を５０回検出した場合とで）、共通の態様で異常入賞２報知を行なう場合を示しているが、異常入賞報知の態様を異ならせてもよい。たとえば、異常入賞２報知指定コマンドを受信した場合には、異常入賞２報知に応じた画像表示、ランプ表示および音出力を行なう一方で、始動異常入賞２報知指定コマンドを受信した場合には、異常入賞２報知に応じたランプ表示および音出力のみを行なうようにしてもよい。
【０３７６】
また、この実施の形態では、遊技制御用マイクロコンピュータ５６０側で大入賞口や始動入賞口１４への異常入賞の発生回数をカウントして、２０回検出したタイミングで異常入賞１報知指定コマンドや始動異常入賞１報知指定コマンドを送信し、５０回検出したタイミングで異常入賞２報知指定コマンドや始動異常入賞２報知指定コマンドを送信する場合を示しているが、この実施の形態で示した処理方法に限らず、たとえば、演出制御用マイクロコンピュータ１００側で大入賞口や始動入賞口１４への異常入賞の発生回数をカウントするように構成してもよい。この場合、たとえば、遊技制御用マイクロコンピュータ５６０は、大入賞口や始動入賞口１４への異常入賞を検出するごとに、異常入賞を検出することを示す異常入賞コマンドを送信するようにし、演出制御用マイクロコンピュータ１００側で、その異常入賞コマンドの受信回数をカウントするようにしてもよい。そして、演出制御用マイクロコンピュータ１００は、異常入賞コマンドの受信回数が２０回となれば異常入賞１報知を実行し、異常入賞コマンドの受信回数が５０回となれば異常入賞２報知を実行するようにすればよい。
【０３７７】
以上に説明したように、この実施の形態によれば、入賞領域（本例では、始動入賞口１４、大入賞口）に入賞した遊技球を検出可能な入賞検出部（本例では、始動口スイッチ１４ａ、カウントスイッチ２３）と、入賞領域に入賞した後に入賞検出部を通過した遊技球を検出可能な入賞確認部（本例では、入賞確認１スイッチ１４ｂ、入賞確認２スイッチ２３ｂ）とを備える。そして、入賞検出部で検出された遊技球の数と入賞確認部で検出された遊技球の数との差分が所定数（本例では、１０個）以上となる差分異常（本例では、排出異常）が発生したことに基づいて、異常情報（本例では、セキュリティ信号）を外部出力するとともに、差分異常が発生したことに基づいて異常報知（本例では、排出異常報知）を実行する。また、異常情報を外部出力しているときに遊技機への電力供給が停止し電力供給が再開された場合には、初期化処理が実行されたか否かに応じて、遊技機への電力供給が再開されてから異なる期間にわたって異常情報を外部出力する（本例では、電源復旧後、初期化処理が実行された場合には３０秒間だけセキュリティ信号が外部出力され、初期化処理が実行されず停電復帰処理が実行された場合には、次に初期化処理が実行されるまでセキュリティ信号の外部出力が継続される）。また、異常報知を実行しているときに遊技機への電力供給が停止し、初期化処理が実行されることなく遊技機への電力供給が再開された場合には、異常報知を実行しないように構成されている。そのため、異常報知を実行しているときに遊技機への電力供給が停止して再度電力供給が開始されたときに、初期化処理を実行して遊技機が起動した場合であるか、差分異常の発生後に遊技機が再起動した場合であるかを外部から認識可能とすることができる。
【０３７８】
たとえば、図２８および図２９で説明したように、電波などを用いた不正行為が行なわれ排出異常報知が開始された場合には、排出異常報知を終わらせるために遊技機の電源を再投入されることが考えられる。この場合、一般に、遊技店員などによって正規に遊技機の電源投入が行なわれる場合には、クリアスイッチを押下した状態で電源投入が行なわれるのが通常であり、遊技機への電源投入とともに初期化処理が実行される。一方で、不正に遊技機の電源が再投入される場合には、クリアスイッチの押下まで行った状態で電源投入することは難しいと思われ、初期化処理が実行されず停電復帰処理が実行されて遊技機が起動される。そこで、この実施の形態では、初期化処理が実行されて遊技機が起動された場合には３０秒間だけセキュリティ信号を外部出力するのに対して、初期化処理が実行されずに遊技機が起動された場合には、次に初期化処理が実行されない限りセキュリティ信号の外部出力が延々と継続されるので、不正者にとっては見た目上は排出異常報知が終了したように見えても、ホール側ではセキュリティ信号の出力状態を確認することにより、排出異常が生じている状態であるか否かを認識可能とすることができる。従って、たとえ不正者によって電源の再投入が行なわれたとしても排出異常の有無を認識可能とすることができ、不正行為の防止を強化することができる。
【０３７９】
なお、この実施の形態では、入賞検出部（本例では、始動口スイッチ１４ａ、カウントスイッチ２３）で検出された遊技球の数と、入賞確認部（本例では、入賞確認１スイッチ１４ｂ、入賞確認２スイッチ２３ｂ）で検出された遊技球の数との差分に基づいて排出異常を判定する場合を示しているが、排出異常の判定の仕方は、この実施の形態で示したものに限られない。たとえば、入賞検出部での検出タイミングを示す情報と入賞確認部での検出タイミングを示す情報とを記憶しておくようにし、その検出タイミングの順番に基づいて排出異常が発生したか否かを判定するように構成してもよい。すなわち、この実施の形態では、入賞検出部の方が入賞確認部よりも前段に設けられているので、まず入賞検出部で遊技球を検出した後に入賞確認部で遊技球を検出する筈である。従って、もし入賞確認部で遊技球を検出した後に入賞検出部で遊技球を検出するような事態が生じた場合には何らかの不正が行なわれたと推測することが可能であり、排出異常が発生したと判定することができる。そのように構成することにより、たとえば、遊技球を糸などを用いて吊った状態で大入賞口や始動入賞口１４に挿入して恰も入賞が発生したかのように見せる不正行為も防止することができる。
【０３８０】
また、この実施の形態では、排出異常報知を実行しているときに遊技機への電力供給が停止した後、遊技機への電力供給が開始された場合には、一律に停電復旧後は排出異常報知を実行しないように構成しているが、少なくとも不正者に排出異常報知が消えたように見せればよいのであるから、初期化処理が実行されずに停電復旧した場合にのみ排出異常報知を実行しないようにすればよく、初期化処理が実行された場合には排出異常報知を実行してもよい。たとえば、遊技機への電源供給が開始され初期化処理が実行された場合には、遊技制御用マイクロコンピュータ５６０から排出異常報知指定コマンドを送信するようにし、所定期間（たとえば、３０秒）だけ排出異常報知を実行するように構成してもよい。
【０３８１】
また、この実施の形態によれば、異常情報を外部出力しているときに遊技機への電力供給が停止し電力供給が再開された場合に、初期化処理が実行された場合には所定期間（本例では、３０秒）が経過するまで異常情報を外部出力し、初期化処理が実行されなかった場合には初期化処理が実行されるまで異常情報を外部出力する。そのため、初期化処理を実行して遊技機が起動した場合であるか、差分異常の発生後に遊技機が再起動した場合であるかを容易に外部から認識可能とすることができる。
【０３８２】
また、この実施の形態によれば、入賞領域に遊技球が入賞不可能な閉鎖状態と遊技球が入賞容易な開放状態とに変化可能な可変入賞装置（本例では、可変入賞球装置１５、特別可変入賞球装置２０）を備える。また、可変入賞装置が閉鎖状態であるときに入賞領域に遊技球が入賞する異常入賞が発生したか否かを判定する。そして、異常入賞が発生したと判定された場合にも、差分異常が発生した場合と共通の出力端子（本例では、ターミナル基板１６０の共通のコネクタＣＮ８）を用いて異常情報を外部出力可能であり、異常入賞が発生したことに基づいて異常情報を外部出力しているときに差分異常が発生した場合には、差分異常の発生に基づく異常情報の外部出力の制御に切り替える（図３９（Ｃ）参照）。そのため、差分異常（本例では、排出異常）の発生だけでなく異常入賞の発生も外部から認識可能とするとともに、出力端子の共通化によって差分異常や異常入賞の発生を認識可能とするための機構の部品数の増加や配線作業の複雑化を防ぐことができる。
【０３８３】
また、この実施の形態によれば、異常入賞が発生したと判定された場合にも異常報知（本例では、異常入賞１報知、異常入賞２報知）を実行可能である。また、異常入賞が発生した場合には、第１態様の異常報知を実行し（本例では、異常入賞１報知では音のみを用いた報知を行ない、異常入賞２報知ではランプおよび音を用いた報知を行なう）、差分異常が発生した場合には、第１態様と比較して外部から認識しやすい第２態様の異常報知を実行する（本例では、音を用いた報知に加えて、排出異常報知画面の表示を行なう）。そのため、緊急性が高い差分異常をより目立つ態様で報知することができる。
【０３８４】
なお、「外部から認識しやすい」態様で報知とは、たとえば、演出表示装置９の表示画面において報知画面を表示するなど外部の遊技者や遊技店員から見て容易に認識できる態様で報知することである。なお、遊技者や遊技店員から見て容易に認識できる態様であれば、この実施の形態で示したものに限らず、たとえば、同じ演出表示装置９の表示画面に表示して報知する場合であっても、報知画面の表示領域を広くすることによって表示してもよい。また、たとえば、同じランプを用いた報知を行なう場合であっても点灯または点滅するランプの数を多くしたり、同じスピーカ２７を用いた報知を行なう場合であっても報知音を大きくしたりするなど、遊技者や遊技店員から見て容易に認識できる態様であれば、外部から認識しやすい態様で報知での報知といえる。このような報知の態様については、排出異常や異常入賞に限らず、パチンコ遊技機１にて検出されるその他の異常に関する報知についても同様である。
【０３８５】
また、この実施の形態によれば、可変入賞装置が閉鎖状態であるときに入賞領域に遊技球が第１所定数（本例では、２０個）入賞した場合には、第１態様の異常入賞報知（本例では、音のみを用いた異常入賞１報知）を実行し、可変入賞装置が閉鎖状態であるときに入賞領域に遊技球が第１所定数より多い第２所定数（本例では、５０個）入賞した場合には、第１態様とは異なる第２態様の異常入賞報知（本例では、ランプおよび音を用いた異常入賞２報知）を実行する。そのため、可変入賞装置が閉鎖状態であるときに入賞領域へのより多くの入賞を検出した緊急性が高い異常入賞をより目立つ態様で報知することができる。
【０３８６】
なお、この実施の形態では、第１所定数として２０個となったときに異常入賞１報知を実行し、第２所定数として５０個となったときに異常入賞２報知を実行する場合を示したが、第１所定数と第２所定数とは、この実施の形態で示したものに限られない。たとえば、第１所定数として３０個となったときに異常入賞１報知を実行し、第２所定数として７０個となったときに異常入賞２報知を実行するなど、第１所定数および第２所定数として様々な値を選択可能である。
【０３８７】
また、この実施の形態によれば、可変入賞装置が閉鎖状態であるときに入賞領域に遊技球が第１所定数入賞した場合には、異常入賞が発生したと判定されてから所定期間（本例では、３１秒）経過後に異常入賞報知の実行を終了し（本例では、音のみを用いた異常入賞１報知を終了する）、可変入賞装置が閉鎖状態であるときに入賞領域に遊技球が第１所定数より多い第２所定数入賞した場合には、異常入賞が発生したと判定されてから所定期間よりも長い特定期間（本例では、３００秒）経過後に異常入賞報知の実行を終了する（本例では、ランプおよび音を用いた異常入賞２報知を終了する）。そのため、可変入賞装置が閉鎖状態であるときに入賞領域へのより多くの入賞を検出した緊急性が高い異常入賞をより長い期間報知して認識しやすくすることができる。
【０３８８】
なお、この実施の形態では、所定期間として３１秒間異常入賞１報知を実行し、特定期間として３００秒間異常入賞２報知を実行する場合を示しているが、所定期間と特定期間とは、この実施の形態で示したものに限られない。たとえば、所定期間として５０秒間異常入賞１報知を実行し、特定期間として５００秒間異常入賞２報知を実行するなど、所定期間および特定期間として様々な期間を選択可能である。
【０３８９】
また、この実施の形態によれば、可変入賞装置が閉鎖状態であるときに入賞領域に遊技球が第１所定数入賞した場合には、第１演出手段（本例では、スピーカ２７）を用いた異常入賞報知を実行し（本例では、異常入賞１報知を実行する）、可変入賞装置が閉鎖状態であるときに入賞領域に遊技球が第１所定数より多い第２所定数入賞した場合には、第１演出手段（本例では、スピーカ２７）および第２演出手段（本例では、ランプ）を用いた異常入賞報知を実行する（本例では、異常入賞２報知を実行する）。そのため、可変入賞装置が閉鎖状態であるときに入賞領域へのより多くの入賞を検出した緊急性が高い異常入賞をより目立つ態様で報知することができる。
実施の形態２．
第１の実施の形態で示した排出異常や異常入賞、その他の異常の検出および初期化処理の実行に基づいてセキュリティ信号を外部出力する構成は、様々な態様に構成された遊技機に適用可能である。たとえば、可動部材などの役物を備えた遊技機において、第１の実施の形態と同様の処理に従って、排出異常や異常入賞、その他の異常の検出に基づいて各種の報知（図４８参照）を行なうとともに、排出異常や異常入賞の検出および初期化処理の実行に基づいてセキュリティ信号を外部出力するように構成してもよい。以下、可動部材などの役物を備えた遊技機に適用した第２の実施の形態について説明する。
【０３９０】
なお、この実施の形態において、第１の実施の形態と同様の構成および処理をなす部分についてはその詳細な説明を省略し、主として第１の実施の形態と異なる部分について説明する。
【０３９１】
まず、第２の実施の形態におけるパチンコ遊技機１の全体の構成について説明する。図４９は、第２の実施の形態におけるパチンコ遊技機１を正面からみた正面図である。
【０３９２】
演出表示装置９の周囲の飾り部において、左側には、モータ８６の回転軸に取り付けられ、モータ８６が回転すると移動する可動部材７８が設けられている。可動部材７８は、たとえば、擬似連の演出や予告演出が実行されるときに動作する。また、演出表示装置９の周囲の飾り部において、左右の下方には、モータ８７の回転軸に取り付けられ、モータ８７が回転すると移動する羽根形状の可動部材（以下、演出羽根役物という。）７９ａ，７９ｂが設けられている。演出羽根役物７９ａ，７９ｂは、たとえば、予告演出が実行されるときに動作する。
【０３９３】
また、演出制御用ＣＰＵ１０１は、出力ポート１０６を介して、可動部材７８を動作させるためにモータ８６を駆動する。また、演出制御用ＣＰＵ１０１は、出力ポート１０６を介して、演出羽根役物７９ａ，７９ｂを動作させるためのモータ８７を駆動する。
【０３９４】
図５０は、第２の実施の形態における演出制御用マイクロコンピュータ１００（具体的には、演出制御用ＣＰＵ１０１）が実行するメイン処理を示すフローチャートである。この実施の形態では、演出制御用ＣＰＵ１０１は、メイン処理において、第１の実施の形態で示した処理に加えて、遊技機への電力供給開始時に可動部材７８や演出羽根役物７９ａ，７９ｂなど役物の初期動作を行なう役物初期動作処理を実行する（Ｓ７０８）。そして、役物初期動作処理を実行すると、その後、Ｓ７０２に移行する。
【０３９５】
なお、この実施の形態では、Ｓ７０７の報知制御処理において、第１の実施の形態で示した排出異常報知や異常入賞報知の処理、その他の異常に関する異常報知の処理に加えて、初期化処理が実行されたことを報知する初期化報知も実行される。
【０３９６】
図５１は、第２の実施の形態における演出図柄変動開始処理（Ｓ８０１）を示すフローチャートである。演出図柄変動開始処理において、Ｓ８２１〜Ｓ８２２の処理は、第１の実施の形態で示したそれらの処理と同様である。
【０３９７】
この実施の形態では、異常入賞１報知中フラグがセットされている場合には（Ｓ８２３のＹ）、演出制御用ＣＰＵ１０１は、プロセスデータ１のうち表示制御実行データ１、音番号データ１、および可動部材制御データ１のみの内容に従って演出装置の制御を実行する（Ｓ８２４Ａ）。つまり、異常入賞１報知中フラグがセットされている場合には、演出図柄の新たな可変表示が開始される場合に、その可変表示に応じた音演出が実行されるのではなく、異常入賞１報知に応じた音出力が継続される。従って、この実施の形態では、異常入賞１報知の実行中に演出図柄の変動表示が開始される場合には、演出図柄の変動表示とともに異常入賞１報知が実行されることになる。
【０３９８】
また、異常入賞２報知中フラグがセットされている場合には（Ｓ８２５のＹ）、演出制御用ＣＰＵ１０１は、プロセスデータ１のうち表示制御実行データ１および可動部材制御データ１のみの内容に従って演出装置の制御を実行する（Ｓ８２６Ａ）。つまり、異常入賞２報知中フラグがセットされている場合には、演出図柄の新たな可変表示が開始される場合に、その可変表示に応じたランプの表示演出や音演出が実行されるのではなく、異常入賞２報知に応じたランプの表示や音出力が継続される。従って、この実施の形態では、異常入賞２報知の実行中に演出図柄の変動表示が開始される場合には、演出図柄の変動表示とともに異常入賞２報知が実行されることになる。
【０３９９】
異常入賞２報知中フラグもセットされていなければ、演出制御用ＣＰＵ１０１は、初期化報知の実行中であることを示す初期化報知中フラグがセットされているか否かを確認する（Ｓ８２６１）。初期化報知中フラグがセットされている場合には（Ｓ８２６１のＹ）、演出制御用ＣＰＵ１０１は、プロセスデータ１のうち表示制御実行データ１および可動部材制御データ１のみの内容に従って演出装置の制御を実行する（Ｓ８２６２）。つまり、初期化報知中フラグがセットされている場合には、演出図柄の新たな可変表示が開始される場合に、その可変表示に応じたランプの表示演出や音演出が実行されるのではなく、初期化報知に応じたランプの表示や音出力が継続される。従って、この実施の形態では、初期化報知の実行中に演出図柄の変動表示が開始される場合には、演出図柄の変動表示とともに初期化報知が実行されることになる。
【０４００】
初期化報知中フラグもセットされていなければ、演出制御用ＣＰＵ１０１は、可動部材７８や演出羽根役物７９ａ，７９ｂなど役物の初期動作の実行中であることを示す役物初期動作中フラグがセットされているか否かを確認する（Ｓ８２６３）。役物初期動作中フラグがセットされている場合には（Ｓ８２６３のＹ）、演出制御用ＣＰＵ１０１は、プロセスデータ１のうち表示制御実行データ１、ランプ制御実行データ１、および音番号データ１のみの内容に従って演出装置の制御を実行する（Ｓ８２６４）。つまり、役物初期動作中フラグがセットされている場合には、可動部材７８や演出羽根役物７９ａ，７９ｂなど役物の初期動作中であるので、演出図柄の変動表示が開始されるとともに、可動部材７８や演出羽根役物７９ａ，７９ｂなど役物の初期動作が継続される。従って、この実施の形態では、役物の初期動作の実行中に演出図柄の変動表示が開始される場合には、演出図柄の変動表示とともに役物の初期動作が実行されることになる。
【０４０１】
役物初期動作中フラグもセットされていなければ、演出制御用ＣＰＵ１０１は、プロセスデータ１の内容（表示制御実行データ１、ランプ制御実行データ１、音番号データ１、可動部材制御データ１）に従って演出装置（演出用部品としての演出表示装置９、演出用部品としての各種ランプ、演出用部品としてのスピーカ２７、演出用部品としての可動部材７８や演出羽根役物７９ａ，７９ｂなど役物）の制御を実行する（Ｓ８２７Ａ）。たとえば、演出表示装置９において変動パターンに応じた画像を表示させるために、ＶＤＰ１０９に指令を出力する。また、各種ランプを点灯／消灯制御を行なわせるために、ランプドライバ基板３５に対して制御信号（ランプ制御実行データ）を出力する。また、スピーカ２７からの音声出力を行なわせるために、音声出力基板７０に対して制御信号（音番号データ）を出力する。また、可動部材７８や演出羽根役物７９ａ，７９ｂを可動させるために、モータ８６，８７に対して駆動信号を出力する。
【０４０２】
なお、Ｓ８２８〜Ｓ８２９の処理は、第１の実施の形態で示したそれらの処理と同様である。
【０４０３】
図５２は、第２の実施の形態における演出図柄変動中処理（Ｓ８０２）を示すフローチャートである。演出図柄変動中処理において、Ｓ８４１〜Ｓ８４４の処理は、第１の実施の形態で示したそれらの処理と同様である。
【０４０４】
この実施の形態では、異常入賞１報知中フラグがセットされている場合には（Ｓ８４５のＹ）、演出制御用ＣＰＵ１０１は、その次に設定されているプロセスデータｉ（ｉは２〜ｎのいずれか）のうち表示制御実行データｉ、音番号データｉ、および可動部材制御データ１のみの内容に従って演出装置の制御を実行する（Ｓ８４６Ａ）。つまり、異常入賞１報知中フラグがセットされている場合には、演出図柄の新たな可変表示が開始される場合に、その可変表示に応じた音演出が実行されるのではなく、異常入賞１報知に応じた音出力が継続される。よって、異常入賞１報知中フラグがセットされている場合には、演出図柄の可変表示に応じた音演出が実行されるのではなく、異常入賞１報知に応じた音出力が継続される。従って、この実施の形態では、異常入賞１報知の実行中に演出図柄の変動表示が実行される場合には、演出図柄の変動表示とともに異常入賞１報知が実行されることになる。
【０４０５】
また、異常入賞２報知中フラグがセットされている場合には（Ｓ８４７のＹ）、演出制御用ＣＰＵ１０１は、その次に設定されているプロセスデータｉ（ｉは２〜ｎのいずれか）のうち表示制御実行データｉおよび可動部材制御データ１のみの内容に従って演出装置の制御を実行する（Ｓ８４８Ａ）。つまり、異常入賞２報知中フラグがセットされている場合には、演出図柄の新たな可変表示が開始される場合に、その可変表示に応じたランプの表示演出や音演出が実行されるのではなく、異常入賞２報知に応じたランプの表示や音出力が継続される。よって、異常入賞２報知中フラグがセットされている場合には、演出図柄の可変表示に応じたランプの表示演出や音演出が実行されるのではなく、異常入賞２報知に応じたランプの表示や音出力が継続される。従って、この実施の形態では、異常入賞２報知の実行中に演出図柄の変動表示が実行される場合には、演出図柄の変動表示とともに異常入賞２報知が実行されることになる。
【０４０６】
異常入賞２報知中フラグもセットされていなければ、演出制御用ＣＰＵ１０１は、初期化報知中フラグがセットされているか否かを確認する（Ｓ８４８１）。初期化報知中フラグがセットされている場合には（Ｓ８４８１のＹ）、演出制御用ＣＰＵ１０１は、その次に設定されているプロセスデータｉのうち表示制御実行データｉおよび可動部材制御データｉのみの内容に従って演出装置の制御を実行する（Ｓ８４８２）。つまり、初期化報知中フラグがセットされている場合には、演出図柄の新たな可変表示が開始される場合に、その可変表示に応じたランプの表示演出や音演出が実行されるのではなく、初期化報知に応じたランプの表示や音出力が継続される。従って、この実施の形態では、初期化報知の実行中に演出図柄の変動表示が実行される場合には、演出図柄の変動表示とともに初期化報知が実行されることになる。
【０４０７】
初期化報知中フラグもセットされていなければ、演出制御用ＣＰＵ１０１は、役物初期動作中フラグがセットされているか否かを確認する（Ｓ８４８３）。役物初期動作中フラグがセットされている場合には（Ｓ８４８３のＹ）、演出制御用ＣＰＵ１０１は、その次に設定されているプロセスデータｉのうち表示制御実行データｉ、ランプ制御実行データｉ、および音番号データｉのみの内容に従って演出装置の制御を実行する（Ｓ８４８４）。つまり、役物初期動作中フラグがセットされている場合には、可動部材７８や演出羽根役物７９ａ，７９ｂなど役物の初期動作中であるので、演出図柄の変動表示が実行されるとともに、可動部材７８や演出羽根役物７９ａ，７９ｂなど役物の初期動作が継続される。従って、この実施の形態では、役物の初期動作の実行中に演出図柄の変動表示が実行される場合には、演出図柄の変動表示とともに役物の初期動作が実行されることになる。
【０４０８】
役物初期動作中フラグもセットされていなければ、演出制御用ＣＰＵ１０１は、その次に設定されているプロセスデータｉ（表示制御実行データｉ、ランプ制御実行データｉ、音番号データｉ、および可動部材制御データｉ）に基づいて演出装置に対する制御状態を変更する（Ｓ８４９Ａ）。
【０４０９】
なお、Ｓ８５０〜Ｓ８５２の処理は、第１の実施の形態で示したそれらの処理と同様である。
【０４１０】
図５３から図５６は、それぞれ、第２の実施の形態における報知制御処理を示す第１から第４のフローチャートである。この報知制御処理は、図５０のステップＳ７０７で実行される。図５３を参照して、この実施の形態では、報知制御処理において、演出制御用ＣＰＵ１０１は、まず、初期化報知中フラグがセットされているか否かを確認する（Ｓ３１０１）。
【０４１１】
初期化報知中フラグは、初期化報知を実行中であることを示すフラグであり、ステップＳ３１０８，ステップＳ３１０９で初期化報知が開始されたときに、ステップＳ３１１０でセットされ、初期化報知期間の３０秒（後述のステップＳ３１１１参照）が経過して、ステップＳ３１０３で初期化報知タイマがタイムアウトしたと判断されたことを条件に、ステップＳ３１０５でリセットされる。
【０４１２】
初期化報知中フラグがセットされていれば（初期化報知中であれば）演出制御用ＣＰＵ１０１は、初期化報知の実行期間を計測するための初期化報知タイマを１減算し（Ｓ３１０２）、減算後の初期化報知タイマがタイムアウトしたか否かを確認する（Ｓ３１０３）。初期化報知タイマがタイムアウトしていれば、演出制御用ＣＰＵ１０１は、初期化報知に応じたランプ表示および音出力を停止し初期化報知を停止する（Ｓ３１０４）。そして、演出制御用ＣＰＵ１０１は、初期化報知中フラグをリセットする（Ｓ３１０５）とともに、初期化報知の実行済みであることを示す初期化報知済フラグをセットする（Ｓ３１０６）。
【０４１３】
初期化報知中フラグがセットされていない場合には（Ｓ３１０１のＮ）、演出制御用ＣＰＵ１０１は、初期化コマンド（図１２のＳ１４参照）を受信しているか否かを確認する（Ｓ３１０７）。初期化コマンドを受信していれば（Ｓ３１０７のＹ）、演出制御用ＣＰＵ１０１は、初期化報知に応じた音出力を示す音データを音声出力基板７０に出力する（Ｓ３１０８）。また、演出制御用ＣＰＵ１０１は、初期化報知に応じたランプ表示を示すランプ制御実行データをランプドライバ基板３５に出力する（Ｓ３１０９）。よって、以後、初期化報知に応じたランプ表示および音出力が行なわれる。そして、演出制御用ＣＰＵ１０１は、初期化報知中フラグをセットし（Ｓ３１１０）、初期化報知タイマに３０秒に対応する値をセットする（Ｓ３１１１）。
【０４１４】
以上のように、Ｓ３１０１〜Ｓ３１１１の処理が実行されることによって、遊技制御用マイクロコンピュータ５６０側で初期化処理が実行され初期化コマンドを受信したことに基づいて、３０秒間にわたって初期化報知が実行される。
【０４１５】
なお、この実施の形態では、初期化報知として初期化報知に応じたランプ表示および音出力を行なう場合を示しているが、初期化報知の報知態様は、この実施の形態で示したものに限られない。たとえば、さらに、初期化報知に応じた画面表示を行なうことによって初期化報知を実行するように構成してもよい。
【０４１６】
そして、演出制御用ＣＰＵ１０１は、排出異常報知指定コマンドを受信したか否か、つまり、排出異常が検出されたか否かを判断する（Ｓ３００１）。排出異常報知指定コマンドを受信していないと判断した場合（Ｓ３００１でＮＯと判断した場合）、演出制御用ＣＰＵ１０１は、排出異常報知期間フラグがセットされているか否か、つまり、排出異常の報知期間中であるか否かを判断する（ステップＳ３００１Ａ）。
【０４１７】
排出異常報知期間フラグとは、排出異常を報知する期間中であることを示すフラグであり、ステップＳ３００１で排出異常報知指定コマンドが受信されたと判断されることを条件に、後述するステップＳ３００１Ｇでセットされ、パチンコ遊技機１への電源供給が停止されたとき、および、リセットされたときに、リセットされる。この排出異常報知期間フラグは、初期化報知および当該排出異常よりも優先順位の高い異常が報知されていることによって、実際に当該排出異常の報知が行なわれていない場合であっても、セットされた状態とされる。
【０４１８】
排出異常報知指定コマンドを受信したと判断した場合（ステップＳ３００１でＹＥＳと判断した場合）、および、排出異常報知期間フラグがセットされている場合（ステップＳ３００１ＡでＹＥＳと判断した場合）、演出制御用ＣＰＵ１０１は、初期化報知中フラグがセットされているか否か、つまり、初期化報知を実行中であるか否かを判断する（ステップＳ３００１Ｂ）。
【０４１９】
初期化報知中フラグがセットされていないと判断した場合（ステップＳ３００１ＢでＮＯと判断した場合）、演出制御用ＣＰＵ１０１は、いずれかの異常の報知中フラグがセットされているか否かを判断する。つまり、いずれかの異常の報知中であるか否かを判断する（ステップＳ３００１Ｃ）。
【０４２０】
いずれかの異常の報知中であると判断した場合（ステップＳ３００１ＣでＹＥＳと判断した場合）、演出制御用ＣＰＵ１０１は、その報知中の異常よりも、ステップＳ３００１で受信した排出異常報知指定コマンドに対応する排出異常の優先順位が高いか否かを判断する（ステップ３００１Ｄ）。
【０４２１】
ここで、異常の優先順位について説明する。図５７は、検出可能な異常、その内容およびその報知の優先順位を示す図である。図５７を参照して、この表は、図４７の表に、それぞれの異常の報知の優先順位の欄を付したものである。
【０４２２】
「大入賞口異常入賞」、「大入賞口排出異常」、「始動入賞口異常入賞」、「始動入賞口排出異常」、「磁気異常」、「電波異常」、「皿満タン」、「球切れ」、「払出制御基板通信異常」、「カードユニット未接続」、「カードユニット通信異常」、および、「遊技枠開放」の異常の報知の優先順位は、それぞれ、２，１，２，１，３，３，６，６，５，５，５，４である。このように、不正行為による被害の深刻性に応じて、不正行為に起因する可能性のある異常に対して、優先順位が予め定められる。
【０４２３】
優先順位の数字は、小さい程、優先順位が高いことを示し、同じであれば、優先順位が等しいことを示す。本実施の形態においては、各異常の中で、「大入賞口排出異常」および「始動入賞口排出異常」の優先順位が、最も優先順位が高く、同じ優先順位のものもない。このため、本実施の形態においては、ステップＳ３００１Ｄでは、常にＹＥＳと判断される。
【０４２４】
いずれかの異常の報知中フラグがセットされていないと判断した場合（ステップＳ３００１ＣでＮＯと判断した場合）、および、排出異常の優先順位が高いと判断した場合（ステップＳ３００１ＤでＹＥＳと判断した場合）、演出制御用ＣＰＵ１０１は、図４５と同様、排出異常報知に応じた音出力を示す音データを音声出力基板７０に出力する（ステップＳ３００２）。さらに、演出制御用ＣＰＵ１０１は、図４５と同様、演出表示装置９において、そのときに表示されている画面に対して、排出異常報知画面（たとえば、「排出異常」などの文字列を表示する画面）を重畳表示する指令をＶＤＰ１０９に出力する（ステップＳ３００３）。
【０４２５】
次いで、演出制御用ＣＰＵ１０１は、排出異常報知中フラグをセットする（ステップＳ３００１Ｅ）。排出異常報知中フラグは、前述した排出異常報知期間フラグと異なり、排出異常の報知を実行中であることを示すフラグであり、ステップＳ３００２，ステップＳ３００３で排出異常の報知が開始されたときに、ステップＳ３００１Ｅでセットされ、排出異常報知期間フラグと同様、パチンコ遊技機１への電源供給が停止されたとき、および、リセットされたときに、リセットされる。排出異常報知期間フラグは、実際に当該排出異常の報知が行なわれていない場合であっても、排出異常の報知期間中であれば、セットされた状態とされる一方、排出異常報知中フラグは、実際に当該排出異常の報知が行なわれている場合にセットされた状態とされる。
【０４２６】
初期化報知中フラグがセットされていると判断した場合（ステップＳ３００１ＢでＹＥＳと判断した場合）、報知中の異常よりも排出異常の優先順位が高くない（つまり、報知中の異常と排出異常との優先順位が同じ、または、報知中の異常よりも排出異常の優先順位が低い）と判断した場合（ステップＳ３００１ＤでＮＯと判断した場合）、および、ステップＳ３００１Ｅの後、演出制御用ＣＰＵ１０１は、排出異常報知期間フラグがセットされているか否かを判断する（ステップＳ３００１Ｆ）。
【０４２７】
排出異常報知期間フラグがセットされていないと判断した場合（ステップＳ３００１ＦでＮＯと判断した場合）、つまり、排出異常報知指定コマンドを受信した直後である場合、演出制御用ＣＰＵ１０１は、排出異常報知期間フラグをセットする（ステップＳ３００１Ｇ）。
【０４２８】
ステップＳ３００１Ｇの後、および、排出異常報知期間フラグが既にセットされていると判断した場合（ステップＳ３００１ＦでＹＥＳと判断した場合）、演出制御用ＣＰＵ１０１は、実行する処理をこの報知制御処理の呼出元の処理に戻す。
【０４２９】
以上のように、ステップＳ３００１からステップＳ３００１Ｇの処理が実行されることによって、排出異常報知指定コマンドを受信した直後、または、排出異常報知期間フラグがセットされていれば、初期化報知中でなく、かつ、いずれかの異常が報知されていない場合、または、初期化報知中でなく、かつ、報知中の異常よりも排出異常の優先順位が高い場合に、排出異常の報知が開始される。
【０４３０】
一方、排出異常報知指定コマンドを受信した直後、または、排出異常を報知する期間であるが、初期化報知中である場合、または、いずれかの異常が報知されており、その報知中の異常よりも排出異常の優先順位が高くない場合には、排出異常の報知が開始されず、開始が保留される。
【０４３１】
そして、排出異常の報知が開始された場合、および、保留された場合のいずれの場合でも、排出異常報知期間フラグが未だにセットされていなければ、排出異常報知期間フラグがセットされる。
【０４３２】
図５４を参照して、排出異常報知指定コマンドを受信しておらず、排出異常報知期間フラグもセットされていないと判断した場合（ステップＳ３００１ＡでＮＯと判断した場合）、演出制御用ＣＰＵ１０１は、異常入賞１報知中フラグがセットされているか否かを判断する（ステップＳ３００５）。
【０４３３】
異常入賞１報知中フラグは、異常入賞１の報知を実行中であることを示すフラグであり、ステップＳ３０１２で異常入賞１の報知が開始されたときに、ステップＳ３０１３でセットされ、ステップＳ３００７で異常入賞１の報知期間が終了したときに、ステップＳ３００９でリセットされる。
【０４３４】
異常入賞１報知中フラグがセットされていると判断した場合（ステップＳ３００５でＹＥＳと判断した場合）、つまり、異常入賞１の報知の実行中である場合、演出制御用ＣＰＵ１０１は、図４５と同様、異常入賞１報知の実行期間を計測するための異常入賞１報知タイマを１減算し（ステップＳ３００６）、減算後の異常入賞１報知タイマがタイムアウトしたか否かを判断する（ステップＳ３００７）。
【０４３５】
異常入賞１報知タイマがタイムアウトしたと判断した場合（ステップＳ３００７でＹＥＳと判断した場合）、演出制御用ＣＰＵ１０１は、図４５と同様、異常入賞１報知に応じた音出力を停止し、異常入賞１報知を停止する（ステップＳ３００８）。そして、演出制御用ＣＰＵ１０１は、図４５と同様、異常入賞１報知中フラグをリセットする（ステップＳ３００９）とともに、異常入賞１報知期間フラグをリセットする（ステップＳ３００９Ａ）。
【０４３６】
異常入賞１報知期間フラグとは、異常入賞１を報知する期間中であることを示すフラグであり、ステップＳ３０１０で異常入賞１報知指定コマンドが受信されたと判断されることを条件に、ステップＳ３０１１Ｇでセットされ、ステップＳ３００７で異常入賞１の報知期間が終了したときに、ステップＳ３００９Ａでリセットされる。異常入賞１報知期間フラグは、実際に当該異常の報知が行なわれていない場合であっても、当該異常の報知期間中であれば、セットされた状態とされる一方、異常入賞１報知中フラグは、実際に当該異常の報知が行なわれている場合にセットされた状態とされる。
【０４３７】
異常入賞１報知中フラグがセットされていないと判断した場合（ステップＳ３００５でＮＯと判断した場合）、異常入賞１報知タイマがタイムアウトしていないと判断した場合（ステップＳ３００７でＮＯと判断した場合）、および、ステップＳ３００９Ａの後、演出制御用ＣＰＵ１０１は、異常入賞１報知指定コマンドまたは始動異常入賞１報知指定コマンドを受信したか否か、つまり、大入賞口異常入賞または始動入賞口異常入賞が２０個、検出されたかを判断する（ステップＳ３０１０，ステップＳ３０１１）。
【０４３８】
いずれの異常入賞１報知指定コマンドも受信していないと判断した場合（ステップＳ３０１０およびステップＳ３０１１でＮＯと判断した場合）、演出制御用ＣＰＵ１０１は、異常入賞１報知期間フラグがセットされているか否か、つまり、異常入賞１の報知期間中であるか否かを判断する（ステップＳ３０１１Ａ）。
【０４３９】
異常入賞１報知指定コマンドまたは始動異常入賞１報知指定コマンドを受信したと判断した場合（ステップＳ３０１０，ステップＳ３０１１でＹＥＳと判断した場合）、および、異常入賞１報知期間フラグがセットされている場合（ステップＳ３０１１ＡでＹＥＳと判断した場合）、演出制御用ＣＰＵ１０１は、初期化報知中フラグがセットされているか否か、つまり、初期化報知を実行中であるか否かを判断する（ステップＳ３０１１Ｂ）。
【０４４０】
初期化報知中フラグがセットされていないと判断した場合（ステップＳ３０１１ＢでＮＯと判断した場合）、演出制御用ＣＰＵ１０１は、いずれかの異常の報知中フラグがセットされているか否かを判断する。つまり、いずれかの異常の報知中であるか否かを判断する（ステップＳ３０１１Ｃ）。
【０４４１】
いずれかの異常の報知中であると判断した場合（ステップＳ３０１１ＣでＹＥＳと判断した場合）、演出制御用ＣＰＵ１０１は、その報知中の異常よりも、ステップＳ３０１０またはステップＳ３０１１で受信した異常入賞１報知指定コマンドまたは始動異常入賞１報知指定コマンドに対応する大入賞口異常入賞または始動入賞口異常入賞の優先順位（図５７参照）が高いか否かを判断する（ステップ３０１１Ｄ）。
【０４４２】
いずれかの異常の報知中フラグがセットされていないと判断した場合（ステップＳ３０１１ＣでＮＯと判断した場合）、および、大入賞口異常入賞または始動入賞口異常入賞の優先順位が高いと判断した場合（ステップＳ３０１１ＤでＹＥＳと判断した場合）、演出制御用ＣＰＵ１０１は、図４５と同様、異常入賞１報知に応じた音出力を示す音データを音声出力基板７０に出力する（ステップＳ３０１２）。よって、以後、異常入賞１報知に応じた音出力が行なわれる。そして、演出制御用ＣＰＵ１０１は、異常入賞１報知中フラグをセットする（ステップＳ３０１３）。
【０４４３】
初期化報知中フラグがセットされていると判断した場合（ステップＳ３０１１ＢでＹＥＳと判断した場合）、報知中の異常よりも大入賞口異常入賞および始動入賞口異常入賞の優先順位が高くない（つまり、報知中の異常との優先順位が同じ、または、報知中の異常よりも優先順位が低い）と判断した場合（ステップＳ３０１１ＤでＮＯと判断した場合）、および、ステップＳ３０１３の後、演出制御用ＣＰＵ１０１は、異常入賞１報知期間フラグがセットされているか否かを判断する（ステップＳ３０１１Ｆ）。
【０４４４】
異常入賞１報知期間フラグがセットされていないと判断した場合（ステップＳ３０１１ＦでＮＯと判断した場合）、つまり、異常入賞１報知指定コマンドまたは始動異常入賞１報知指定コマンドを受信した直後である場合、演出制御用ＣＰＵ１０１は、異常入賞１報知期間フラグをセットし（ステップＳ３０１１Ｇ）、異常入賞１報知タイマに３１秒に対応する値をセットする（ステップＳ３０１４）。
【０４４５】
ステップＳ３０１４の後、および、異常入賞１報知期間フラグが既にセットされていると判断した場合（ステップＳ３０１１ＦでＹＥＳと判断した場合）、演出制御用ＣＰＵ１０１は、実行する処理をこの報知制御処理の呼出元の処理に戻す。
【０４４６】
以上のように、ステップＳ３００５からステップＳ３０１４の処理が実行されることによって、異常入賞１報知指定コマンドまたは始動異常入賞１報知指定コマンドを受信した直後、または、異常入賞１報知期間フラグがセットされていれば、初期化報知中でなく、かつ、いずれかの異常が報知されていない場合、または、初期化報知中でなく、かつ、報知中の異常よりも大入賞口異常入賞または始動入賞口異常入賞の優先順位が高い場合に、異常入賞１の報知が開始される。
【０４４７】
一方、異常入賞１報知指定コマンドまたは始動異常入賞１報知指定コマンドを受信した直後、または、異常入賞１を報知する期間であるが、初期化報知中である場合、または、いずれかの異常が報知されており、その報知中の異常よりも大入賞口異常入賞および始動入賞口異常入賞の優先順位が高くない場合には、異常入賞１の報知が開始されず、開始が保留される。
【０４４８】
そして、異常入賞１の報知が開始された場合、および、保留された場合のいずれの場合でも、異常入賞１報知期間フラグが未だにセットされていなければ、異常入賞１報知期間フラグがセットされる。
【０４４９】
図５５を参照して、ステップＳ３０１５からステップＳ３０２５の処理は、図５４のステップＳ３００５からステップＳ３０１４の処理において、異常入賞１を異常入賞２に置換えた処理であるため、重複する説明は繰返さない。
【０４５０】
図５６を参照して、異常入賞２報知指定コマンドまたは始動異常入賞２報知指定コマンドを受信しておらず、異常入賞２報知期間フラグもセットされていないと判断した場合（ステップＳ３０２１ＡでＮＯと判断した場合）、演出制御用ＣＰＵ１０１は、異常報知中フラグがセットされているか否かを判断する（ステップＳ３０３５）。
【０４５１】
異常報知中フラグは、図４７で示した異常のうち、大入賞口異常入賞、大入賞口排出異常、始動入賞口異常入賞および始動入賞口排出異常以外のその他の異常の報知を実行中であることを示すフラグであり、ステップＳ３０４２で当該異常の報知が開始されたときに、ステップＳ３０４３でセットされ、ステップＳ３０３７で当該異常の報知期間が終了したときに、ステップＳ３０３９でリセットされる。
【０４５２】
異常報知中フラグがセットされていると判断した場合（ステップＳ３０３５でＹＥＳと判断した場合）、つまり、当該異常の報知の実行中である場合、演出制御用ＣＰＵ１０１は、異常報知の実行期間を計測するための異常報知タイマを１減算し（ステップＳ３０３６）、減算後の異常報知タイマがタイムアウトしたか否かを判断する（ステップＳ３０３７）。
【０４５３】
異常報知タイマがタイムアウトしたと判断した場合（ステップＳ３０３７でＹＥＳと判断した場合）、演出制御用ＣＰＵ１０１は、異常報知を停止する（ステップＳ３０３８）。そして、演出制御用ＣＰＵ１０１は、異常報知中フラグをリセットする（ステップＳ３０３９）とともに、異常報知期間フラグをリセットする（ステップＳ３０４０）。
【０４５４】
異常報知期間フラグとは、当該異常を報知する期間中であることを示すフラグであり、ステップＳ３０４１で図４７で示した異常のうち、大入賞口異常入賞、大入賞口排出異常、始動入賞口異常入賞および始動入賞口排出異常以外のその他の異常の報知指定コマンドが受信されたと判断されることを条件に、ステップＳ３０４１Ｇでセットされ、ステップＳ３０３７で当該異常の報知期間が終了したときに、ステップＳ３０４０でリセットされる。異常報知期間フラグは、実際に当該異常の報知が行なわれていない場合であっても、当該異常の報知期間中であれば、セットされた状態とされる一方、異常報知中フラグは、実際に当該異常の報知が行なわれている場合にセットされた状態とされる。
【０４５５】
異常報知中フラグがセットされていないと判断した場合（ステップＳ３０３５でＮＯと判断した場合）、異常報知タイマがタイムアウトしていないと判断した場合（ステップＳ３０３７でＮＯと判断した場合）、および、ステップＳ３０４０の後、演出制御用ＣＰＵ１０１は、図４７で示した異常のうち、大入賞口異常入賞、大入賞口排出異常、始動入賞口異常入賞および始動入賞口排出異常以外のその他の異常の報知指定コマンドを受信したか否か、つまり、その他の異常が検出されたかを判断する（ステップＳ３０４１）。
【０４５６】
いずれの異常の報知指定コマンドも受信していないと判断した場合（ステップＳ３０４１でＮＯと判断した場合）、演出制御用ＣＰＵ１０１は、異常報知期間フラグがセットされているか否か、つまり、その他の異常の報知期間中であるか否かを判断する（ステップＳ３０４１Ａ）。
【０４５７】
その他の異常の報知指定コマンドを受信したと判断した場合（ステップＳ３０４１でＹＥＳと判断した場合）、および、異常報知期間フラグがセットされている場合（ステップＳ３０４１ＡでＹＥＳと判断した場合）、演出制御用ＣＰＵ１０１は、初期化報知中フラグがセットされているか否か、つまり、初期化報知を実行中であるか否かを判断する（ステップＳ３０４１Ｂ）。
【０４５８】
初期化報知中フラグがセットされていないと判断した場合（ステップＳ３０４１ＢでＮＯと判断した場合）、演出制御用ＣＰＵ１０１は、いずれかの異常の報知中フラグがセットされているか否かを判断する。つまり、いずれかの異常の報知中であるか否かを判断する（ステップＳ３０４１Ｃ）。
【０４５９】
いずれかの異常の報知中であると判断した場合（ステップＳ３０４１ＣでＹＥＳと判断した場合）、演出制御用ＣＰＵ１０１は、その報知中の異常よりも、ステップＳ３０４１で受信した報知指定コマンドに対応する異常の優先順位（図５７参照）が高いか否かを判断する（ステップ３０４１Ｄ）。
【０４６０】
いずれかの異常の報知中フラグがセットされていないと判断した場合（ステップＳ３０４１ＣでＮＯと判断した場合）、および、受信した報知指定コマンドに対応する異常の優先順位が高いと判断した場合（ステップＳ３０４１ＤでＹＥＳと判断した場合）、演出制御用ＣＰＵ１０１は、報知指定コマンドの異常に応じた音出力を示す音データを音声出力基板７０に出力する（Ｓ３０４２）。
【０４６１】
音声出力基板７０に搭載されている音声合成用ＩＣ７０３は、入力された音データに対応したデータを音声データＲＯＭ７０４から読み出し、読み出したデータに従って音声信号をスピーカ２７側に出力する。よって、以後、報知指定コマンドに対応する異常に応じた音出力が行なわれる。
【０４６２】
そして、演出制御用ＣＰＵ１０１は、異常報知中フラグをセットする（ステップＳ３０４３）。
【０４６３】
初期化報知中フラグがセットされていると判断した場合（ステップＳ３０４１ＢでＹＥＳと判断した場合）、報知中の異常よりも報知指定コマンドに対応する異常の優先順位が高くない（つまり、報知中の異常との優先順位が同じ、または、報知中の異常よりも優先順位が低い）と判断した場合（ステップＳ３０４１ＤでＮＯと判断した場合）、および、ステップＳ３０４３の後、演出制御用ＣＰＵ１０１は、異常報知期間フラグがセットされているか否かを判断する（ステップＳ３０４１Ｆ）。
【０４６４】
異常報知期間フラグがセットされていないと判断した場合（ステップＳ３０４１ＦでＮＯと判断した場合）、つまり、報知指定コマンドを受信した直後である場合、演出制御用ＣＰＵ１０１は、異常報知期間フラグをセットし（ステップＳ３０４１Ｇ）、異常報知タイマに報知指定コマンドに対応する異常の予め定められた報知期間に相当する値をセットする（ステップＳ３０４４）。
【０４６５】
ステップＳ３０４４の後、および、異常報知期間フラグが既にセットされていると判断した場合（ステップＳ３０４１ＦでＹＥＳと判断した場合）、演出制御用ＣＰＵ１０１は、実行する処理をこの報知制御処理の呼出元の処理に戻す。
【０４６６】
以上のように、ステップＳ３０３５からステップＳ３０４４の処理が実行されることによって、報知指定コマンドを受信した直後、または、異常報知期間フラグがセットされていれば、初期化報知中でなく、かつ、いずれかの異常が報知されていない場合、または、初期化報知中でなく、かつ、報知中の異常よりも受信した報知指定コマンドに対応する異常の優先順位が高い場合に、報知指定コマンドに対応する異常の報知が開始される。
【０４６７】
一方、報知指定コマンドを受信した直後、または、受信した報知指定コマンドに対応する異常を報知する期間であるが、初期化報知中である場合、または、いずれかの異常が報知されており、その報知中の異常よりも受信した報知指定コマンドに対応する異常の優先順位が高くない場合には、報知指定コマンドに対応する異常の報知が開始されず、開始が保留される。
【０４６８】
そして、報知指定コマンドに対応する異常の報知が開始された場合、および、保留された場合のいずれの場合でも、異常報知期間フラグが未だにセットされていなければ、異常報知期間フラグがセットされる。
【０４６９】
図５８は、第２の実施の形態における役物初期動作処理（Ｓ７０８）を示すフローチャートである。役物初期動作処理において、演出制御用ＣＰＵ１０１は、まず、可動部材７８や演出羽根役物７９ａ，７９ｂなど役物の初期動作を実行済みであることを示す役物初期動作済フラグがセットされているか否かを確認する（Ｓ３５０１）。役物初期動作済フラグがセットされていれば、そのまま処理を終了する。役物初期動作済フラグがセットされていなければ、演出制御用ＣＰＵ１０１は、初期化報知済フラグがセットされているか否かを確認する（Ｓ３５０２）。初期化報知済フラグがセットされていなければ、そのまま処理を終了する。初期化報知済フラグがセットされていれば、演出制御用ＣＰＵ１０１は、役物初期動作中フラグがセットされているか否かを確認する（Ｓ３５０３）。
【０４７０】
役物初期動作中フラグがセットされていなければ（すなわち、まだ可動部材７８や演出羽根役物７９ａ，７９ｂなど役物の初期動作の実行中でなければ）、演出制御用ＣＰＵ１０１は、モータ８６，８７への駆動信号の出力を開始して、可動部材７８や演出羽根役物７９ａ，７９ｂなど役物の可動を開始させる（Ｓ３５０４）。そして、演出制御用ＣＰＵ１０１は、役物初期動作中フラグをセットする（Ｓ３５０５）。
【０４７１】
役物初期動作中フラグがセットされていれば（すなわち、可動部材７８や演出羽根役物７９ａ，７９ｂなど役物の初期動作の実行中であれば）、演出制御用ＣＰＵ１０１は、可動部材７８や演出羽根役物７９ａ，７９ｂなど役物が初期位置まで移動したことを検出したか否かを確認する（Ｓ３５０６）。たとえば、この実施の形態では、遊技領域において可動部材７８や演出羽根役物７９ａ，７９ｂの初期位置に初期位置センサ（たとえば、フォトセンサ）が設けられており、初期位置センサからの検出信号を入力すると、演出制御用ＣＰＵ１０１は、可動部材７８や演出羽根役物７９ａ，７９ｂなど役物が初期位置まで移動したと判定する。
【０４７２】
可動部材７８や演出羽根役物７９ａ，７９ｂなど役物が初期位置まで移動したと判定すると、演出制御用ＣＰＵ１０１は、モータ８６，８７への駆動信号の出力を停止して、可動部材７８や演出羽根役物７９ａ，７９ｂなど役物の可動を停止させる（Ｓ３５０７）。そして、演出制御用ＣＰＵ１０１は、役物初期動作中フラグをリセットする（Ｓ３５０８）とともに、可動部材７８や演出羽根役物７９ａ，７９ｂなど役物の初期動作の実行済みであることを示す役物初期動作済フラグをセットする（Ｓ３５０９）。なお、以降、役物初期動作済フラグがセットされていることに基づいて、Ｓ３５０１でＹと判定され、Ｓ３５０２以降の処理が実行されることはない。従って、Ｓ３５０２以降の役物の初期動作を行なう処理は、遊技機への電力供給が開始され初期化処理および初期化報知が実行された後に１回だけ実行されることになる。
【０４７３】
なお、この実施の形態では、複数の役物（可動部材７８、演出羽根役物７９ａ，７９ｂ）が設けられているので、より正確には、演出制御用ＣＰＵ１０１は、全ての役物についてＳ３５０６，Ｓ３５０７の処理を実行して可動を停止した後に、Ｓ３５０８，Ｓ３５０９の処理に移行して役物初期動作中フラグをリセットするとともに役物初期動作済フラグをセットする。
【０４７４】
以上の処理が実行されることによって、遊技機への電力供給が開始され初期化処理が実行されたときに、可動部材７８や演出羽根役物７９ａ，７９ｂなど役物の初期動作が実行される。また、この実施の形態では、Ｓ３５０２で初期化報知済フラグがセットされていることを条件にＳ３５０３以降の処理に移行して役物の初期動作が実行されるので、初期化処理の実行を終了して初期化報知の実行を終了した後に、役物の初期動作が実行される。そのため、初期化処理が実行されたときに初期化報知と役物の初期動作とにかかる電力消費を分散することができる。
【０４７５】
また、遊技機への電力供給が開始された後、初期化処理および初期化報知を実行し、さらに役物の初期動作を終了するまでには、ある程度の時間がかかるのであるが、初期化処理を終了し遊技制御処理を実行可能な状態となると、初期化処理や役物の初期動作を終了していなくても遊技を開始可能な状態となることになる。そのため、役物の初期動作の開始タイミングとなったときに既に遊技が開始され演出図柄の変動表示の実行中であるというケースもありうる。この実施の形態では、役物初期動作処理において、役物の初期動作を開始するにあたって、特に演出図柄の変動表示中であるか否かを区別することなく、そのままＳ３５０４の処理に移行して役物の初期動作を開始するように構成されている。つまり、役物の初期動作を開始するにあたって演出図柄の変動表示が実行されているときには、その演出図柄の変動表示とともに役物の初期動作を実行する。そのため、演出図柄の変動表示が実行される場合であっても役物の初期動作を実行することができる。
【０４７６】
以上に説明したように、この実施の形態によれば、遊技機への電力供給が開始されたときに、所定条件の成立（本例では、クリアスイッチのオン）に基づいて変動データ記憶手段（本例では、バックアップＲＡＭ）の記憶内容を初期化する初期化処理を実行し、初期化処理が実行されたことに基づいて初期化報知を実行する。また、遊技機への電力供給が開始されたことに基づいて、可動部材７８や演出羽根役物７９ａ，７９ｂなど役物の初期動作を実行する。そして、この場合、初期化処理の実行を終了した後に、役物の初期動作を実行する。そのため、初期化処理が実行されたときに初期化報知と役物の初期動作とにかかる電力消費を分散することができる。
【０４７７】
たとえば、この実施の形態では、ランプおよびスピーカ２７を用いて初期化報知を行なうのであるが、一般に遊技機においてはスピーカ２７で消費される電力が最も大きく代替手段もないため省力化に限界がある。また、役物の初期動作を実行する場合にはモータ８６，８７の消費電力が大きい。さらに初期化報知などにおいてランプやＬＥＤを点灯すれば消費電力がさらに大きくなる。そのため、初期化処理と役物の初期動作とを重複したタイミングで実行してしまうと、一時的に電力消費が著しく大きくなり遊技店などの電源に余裕がない事態などが生じてしまうおそれがあり、遊技機が瞬停状態に陥るおそれが高くなる。また、一時的に電力消費が大きくなると過電流などにより遊技機内の各回路が損傷するおそれも生じる。そのため、過電流などにより回路が損傷しにくくなるように回路設計を行なう必要が生じることになる。さらに、遊技機内部においても、一時的にスピーカ２７やモータ８６，８７での電力消費が集中すると、たとえば、ランプや演出表示装置９（液晶表示装置）に供給される電力が不足し、遊技演出を正常に行なえなくなるなどの弊害を生じるおそれもある。そこで、この実施の形態では、初期化処理の実行を終了した後に役物の初期動作を実行するように構成されているので、初期化処理と役物の初期動作とが重複したタイミングで実行されることを防止し、回路設計にコストをかけることなく、電力消費を分散できるようにしている。
【０４７８】
また、この実施の形態によれば、遊技中に少なくとも音出力手段（本例では、スピーカ２７）を用いた音出力による演出を実行可能である（本例では、演出図柄の変動表示において、変動表示に応じた音出力を可能である）とともに、音出力手段を用いた音出力を伴う初期化報知を実行する。そして、初期化報知が実行されているときには、音出力手段を用いた音出力による演出を実行しない（本例では、演出図柄の変動表示中であっても、初期化報知に応じた音出力が継続される）。そのため、初期化報知と音出力手段を用いた音出力による演出とが重複したタイミングで実行されることを防止し、電力消費が集中してしまうことを防止することができる。
【０４７９】
また、この実施の形態によれば、遊技中に少なくとも発光手段（本例では、ランプ）を用いた発光表示による演出を実行可能である（本例では、演出図柄の変動表示において、変動表示に応じたランプ表示を可能である）とともに、発光手段を用いた発光表示を伴う初期化報知を実行する。そして、初期化報知が実行されているときには、発光手段を用いた発光表示による演出を実行しない（本例では、演出図柄の変動表示中であっても、初期化報知に応じたランプ表示が継続される）。そのため、初期化報知と発光手段を用いた発光表示による演出とが重複したタイミングで実行されることを防止し、電力消費が集中してしまうことを防止することができる。
【０４８０】
また、この実施の形態によれば、初期化報知の実行中に演出図柄の変動表示が開始されるときには、その演出図柄の可変表示とともに初期化報知を実行する。また、役物の初期動作を開始するにあたって演出図柄の変動表示が実行されているときには、その演出図柄の変動表示とともに役物の初期動作を実行する。そのため、演出図柄の変動表示が実行される場合であっても初期化報知や役物の初期動作を実行することができる。
【０４８１】
なお、この実施の形態で示したように、演出図柄の変動表示と役物の初期動作とを並行して実行可能に構成してしまうと、初期動作のために可動部材７８や演出羽根役物７９ａ，７９ｂなど役物を可動しているにもかかわらず、その役物の可動が大当りやリーチなどの予告を表しているものと誤解を与えてしまうおそれがある。そこで、この実施の形態のように演出図柄の変動表示とともに役物の初期動作を実行可能に構成した場合には、役物の初期動作の実行中に、たとえば「役物初期動作中」などの文字列を表示して役物の初期動作中であることを報知するようにすることが望ましい。そのようにすれば、役物の初期動作の実行中であるにもかかわらず、その役物の可動が大当りやリーチなどの予告を表しているものと誤解を与えてしまうことを防止することができる。
【０４８２】
また、上記のような誤解が生じないようにするために、たとえば、役物の初期動作の実行中に演出図柄の変動表示を開始する場合には、その演出図柄の変動表示において予告演出を実行しないように制限したり予告演出をキャンセルしたりするように構成してもよい。
【０４８３】
また、この実施の形態によれば、パチンコ遊技機１は、遊技状態を制御するとともに遊技機で異常（図４７、図５７参照）が発生したときに異常報知指定コマンドを送信する遊技制御用マイクロコンピュータ５６０、特に、図１４のステップＳ２３〜ステップＳ２７，ステップＳ４２、図２７、図３１を実行する部分と、異常報知指定コマンドを受信する毎に、音声出力基板７０を制御して、異常報知指定コマンドに基づく音声による異常報知を所定の報知許容期間において行なう演出制御用マイクロコンピュータ１００、特に、図４１，図５０のステップＳ７０７、図４５，図５３のステップＳ３００２、図４５，図５４のステップＳ３０１２、図４６，図５５のステップＳ３０２２、図４６のステップＳ３０２７、図５６のステップＳ３０４２を実行する部分とを備える。
【０４８４】
また、図５３のステップＳ３００１Ｄ、図５４のステップＳ３０１１Ｄ、図５５のステップＳ３０２１Ｄ、図５６のステップＳ３０４１Ｄで示したように、演出制御用マイクロコンピュータ１００によって、異常報知指定コマンドを新たに受信した際、先に受信済みの異常報知指定コマンドに基づく異常報知を行なっている場合に、新たに受信した異常報知指定コマンドと先に受信済みの異常報知指定コマンドとの予め定められた優先順位（図５７参照）が比較される。
【０４８５】
図５３のステップＳ３００１，Ｓ３００１Ａ，Ｓ３００１Ｃ，Ｓ３００１Ｄ，Ｓ３００２、図５４のステップＳ３００６，Ｓ３０１０，Ｓ３０１１Ａ，Ｓ３０１１Ｃ，Ｓ３０１１Ｄ，Ｓ３０１１Ｇ，Ｓ３０１２，Ｓ３０１４、図５５のステップＳ３０１６，Ｓ３０２０，Ｓ３０２１Ａ，Ｓ３０２１Ｃ，Ｓ３０２１Ｄ，Ｓ３０２１Ｇ，Ｓ３０２２，Ｓ３０２３，Ｓ３０２５、図５６のステップＳ３０３６，Ｓ３０４１，Ｓ３０４１Ａ，Ｓ３０４１Ｃ，Ｓ３０４１Ｄ，Ｓ３０４１Ｇ，Ｓ３０４２，Ｓ３０４４で示したように、演出制御用マイクロコンピュータ１００によって、比較された結果、新たに受信した異常報知指定コマンドと先に受信済みの異常報知指定コマンドとが同じ優先順位である場合または新たに受信した異常報知指定コマンドが先に受信済みの異常報知指定コマンドよりも優先順位が低い場合に、先に受信済みの異常報知指定コマンドに基づく報知が終了した時点で、新たに受信した異常報知指定コマンドに基づいた異常報知の報知許容期間が経過していなければ、新たに受信した異常報知指定コマンドに基づく報知が開始される。
【０４８６】
図５３のステップＳ３００１，Ｓ３００１Ａ，Ｓ３００１Ｂ，Ｓ３００１Ｇ，Ｓ３００２、図５４のステップＳ３００６，Ｓ３０１０，Ｓ３０１１Ａ，Ｓ３０１１Ｂ，Ｓ３０１１Ｇ，Ｓ３０１２，Ｓ３０１４、図５５のステップＳ３０１６，Ｓ３０２０，Ｓ３０２１Ａ，Ｓ３０２１Ｂ，Ｓ３０２１Ｇ，Ｓ３０２２，Ｓ３０２３，Ｓ３０２５、図５６のステップＳ３０３６，Ｓ３０４１，Ｓ３０４１Ａ，Ｓ３０４１Ｂ，Ｓ３０４１Ｇ，Ｓ３０４２，Ｓ３０４４で示したように、演出制御用マイクロコンピュータ１００によって、異常報知指定コマンドを受信した際、初期化報知手段が初期化報知を実行している場合に、初期化報知が終了した時点で、受信した異常報知指定コマンドに基づいた異常報知の報知許容期間が経過していなければ、受信した異常報知指定コマンドに基づく報知が開始される。
【０４８７】
これにより、不正行為による被害の深刻性に応じて予め定められた、不正行為に起因する可能性のある異常に対する優先順位に基づいて、優先順位が高い異常が発生するごとに優先的に異常が報知される。また、初期化報知が異常の報知よりも最優先で行なわれる。このため、不正行為に起因する可能性が高い異常から優先的に、遊技店の店員に報知することができる。
実施の形態３．
第２の実施の形態では、役物の初期動作を開始するにあたって演出図柄の変動表示が実行されているときでも、その演出図柄の変動表示とともに役物の初期動作を実行するように構成していたが、役物の初期動作を制限するように構成してもよい。以下、演出図柄の変動表示中には役物の初期動作を制限する第３の実施の形態について説明する。
【０４８８】
なお、この実施の形態において、第１の実施の形態および第２の実施の形態と同様の構成および処理をなす部分についてはその詳細な説明を省略し、主として第１の実施の形態と異なる部分について説明する。
【０４８９】
図５９は、第３の実施の形態における役物初期動作処理（Ｓ７０８）を示すフローチャートである。この実施の形態では、役物初期動作処理において、Ｓ３５０３で役物初期動作中フラグがセットされていなければ（すなわち、まだ可動部材７８や演出羽根役物７９ａ，７９ｂなど役物の初期動作の実行中でなければ）、演出制御用ＣＰＵ１０１は、演出図柄の変動表示中であるか否かを確認する（Ｓ３５０３Ａ）。なお、演出図柄の変動表示中であるか否かは、たとえば、演出図柄変動開始処理のＳ８２８でセットされる変動時間タイマの値が０であるか否かを確認し、変動時間タイマの値が０でなければ演出図柄の変動表示中であると判定することができる。また、たとえば、演出図柄プロセスフラグの値が演出図柄変動開始処理〜演出図柄変動停止処理であることを示す１〜３の値となっているときに演出図柄の変動表示中であると判定してもよい。
【０４９０】
演出図柄の変動表示中でなければ（Ｓ３５０３ＡのＮ）、演出制御用ＣＰＵ１０１は、Ｓ３５０４に移行し、役物の初期動作の実行を開始する。演出図柄の変動表示中であれば（Ｓ３５０３ＡのＹ）、演出制御用ＣＰＵ１０１は、そのまま処理を終了する。すなわち、演出図柄の変動表示中である場合には役物の初期動作を開始せず、役物の初期動作の実行を制限する。
【０４９１】
以上に説明したように、この実施の形態によれば、役物の初期動作を開始するにあたって演出図柄の変動表示が実行されているときには、役物の初期動作の実行を制限する。そのため、演出図柄の変動表示が実行される場合であっても、演出図柄の変動表示を終了した後に役物の初期動作を実行することができる。また、演出図柄の変動表示と役物の初期動作とが重複したタイミングで実行されることを防止できるので、より電力消費が集中してしまうことを防止することができる。
【０４９２】
なお、この実施の形態では、役物の初期動作の開始タイミングでのみ演出図柄の変動表示中であるか否かを確認し、演出図柄の変動表示中であれば役物の初期動作を開始しないように制御する場合を示したが、役物の初期動作の制限態様は、この実施の形態で示したものに限られない。たとえば、さらに役物の初期動作の実行中の途中から演出図柄の変動表示が開始されたか否かも確認するようにし、演出図柄の変動表示が開始された場合には役物の初期動作を中断するように構成してもよい。そのように構成すれば、演出図柄の変動表示と役物の初期動作とが重複したタイミングで実行されることをより確実に防止することができる。
【０４９３】
また、たとえば、演出図柄の変動表示が複数回連続して実行されるようなケースでは、所定回数（たとえば、３回）演出図柄の変動表示が連続して役物の初期動作を開始できなかった場合には、演出図柄の変動表示の実行中であっても強制的に役物の初期動作を実行するように構成してもよい。そのように構成すれば、役物の初期動作が全く実行できなくなってしまうような事態を防止することができる。
【０４９４】
また、逆に、電力消費の集中防止を重視し、演出図柄の変動表示が連続して役物の初期動作を開始できない場合には、役物の初期動作を全く実行しないように構成してもよい。この場合、たとえば、所定回数（たとえば、３回）演出図柄の変動表示が連続して役物の初期動作を開始できなかった場合には、役物の初期動作を実行していなくても、役物初期動作済フラグをセットし、以降、強制的に役物の初期動作を実行しないように構成してもよい。
【０４９５】
また、上記の各実施の形態で示した排出異常や異常入賞、その他の異常の検出および初期化処理の実行に基づいてセキュリティ信号を外部出力する構成や、初期化報知および役物の初期動作を実行する構成は、パチンコ遊技機に限らず、様々な形態の遊技機に適用することができる。たとえば、上記の各実施の形態で示した構成を封入循環式のパチンコ機に適用するようにしてもよい。封入循環式のパチンコ機は、そのパチンコ機で用いられる所定数（たとえば、５０個）の遊技玉が封入領域内（たとえば、パチンコ機内）に封入されており、このパチンコ機に設けられた遊技領域に遊技球を発射させ、遊技領域を経由した遊技球を回収部（たとえば、各入賞口、アウト口、ファール玉戻り口）を介して回収し、回収した遊技玉を再び遊技領域に発射させるために封入領域内において循環させる。また、そのような封入循環式のパチンコ機では、各入賞口への入賞があった場合に、賞球に代えて、カードユニットに挿入されたカードに賞球数に相当するポイントなどを加算する処理が行なわれる。そのような封入循環式のパチンコ機において、上記の各実施の形態の構成を適用し、排出異常や異常入賞の検出および初期化処理の実行に基づいてセキュリティ信号を外部出力したり、初期化報知および役物の初期動作を実行するように構成してもよい。
【０４９６】
今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０４９７】
１  パチンコ遊技機、９  演出表示装置、１４  始動入賞口、１４ａ  始動口スイッチ、１４ｂ  入賞確認１スイッチ、１５  可変入賞球装置、２３  カウントスイッチ、２３ｂ  入賞確認２スイッチ、２９  入賞口（普通入賞口）、２９ａ  入賞口スイッチ、２９ｂ  入賞確認３スイッチ、３０  入賞口（普通入賞口）、３０ａ  入賞口スイッチ、３０ｂ  入賞確認４スイッチ、３１  遊技制御基板（主基板）、３７  払出制御基板、５６  ＣＰＵ、８０  演出制御基板、１００  演出制御用マイクロコンピュータ、１０１  演出制御用ＣＰＵ、１６０  ターミナル基板、３７０  払出制御用マイクロコンピュータ、３７１  払出制御用ＣＰＵ、３８０  シリアル通信回路（払出制御側）、５０９  乱数回路、５１１  シリアル通信回路（遊技制御側）、５６０  遊技制御用マイクロコンピュータ。
【図１】
0005558528.tif 000002
【図２】
0005558528.tif 000003
【図３】
0005558528.tif 000004
【図４】
0005558528.tif 000005
【図５】
0005558528.tif 000006
【図６】
0005558528.tif 000007
【図７】
0005558528.tif 000008
【図８】
0005558528.tif 000009
【図９】
0005558528.tif 000010
【図１０】
0005558528.tif 000011
【図１１】
0005558528.tif 000012
【図１２】
0005558528.tif 000013
【図１３】
0005558528.tif 000014
【図１４】
0005558528.tif 000015
【図１５】
0005558528.tif 000016
【図１６】
0005558528.tif 000017
【図１７】
0005558528.tif 000018
【図１８】
0005558528.tif 000019
【図１９】
0005558528.tif 000020
【図２０】
0005558528.tif 000021
【図２１】
0005558528.tif 000022
【図２２】
0005558528.tif 000023
【図２３】
0005558528.tif 000024
【図２４】
0005558528.tif 000025
【図２５】
0005558528.tif 000026
【図２６】
0005558528.tif 000027
【図２７】
0005558528.tif 000028
【図２８】
0005558528.tif 000029
【図２９】
0005558528.tif 000030
【図３０】
0005558528.tif 000031
【図３１】
0005558528.tif 000032
【図３２】
0005558528.tif 000033
【図３３】
0005558528.tif 000034
【図３４】
0005558528.tif 000035
【図３５】
0005558528.tif 000036
【図３６】
0005558528.tif 000037
【図３７】
0005558528.tif 000038
【図３８】
0005558528.tif 000039
【図３９】
0005558528.tif 000040
【図４０】
0005558528.tif 000041
【図４１】
0005558528.tif 000042
【図４２】
0005558528.tif 000043
【図４３】
0005558528.tif 000044
【図４４】
0005558528.tif 000045
【図４５】
0005558528.tif 000046
【図４６】
0005558528.tif 000047
【図４７】
0005558528.tif 000048
【図４８】
0005558528.tif 000049
【図４９】
0005558528.tif 000050
【図５０】
0005558528.tif 000051
【図５１】
0005558528.tif 000052
【図５２】
0005558528.tif 000053
【図５３】
0005558528.tif 000054
【図５４】
0005558528.tif 000055
【図５５】
0005558528.tif 000056
【図５６】
0005558528.tif 000057
【図５７】
0005558528.tif 000058
【図５８】
0005558528.tif 000059
【図５９】
0005558528.tif 000060